(57)【要約】      （修正有）【課題】免許不要無線周波数スペクトル帯域における送信のための方法を提供する。【解決手段】ワイヤレス通信のための方法であって、免許不要無線周波数スペクトル帯域において第１のチャネルにアクセスすることを示すために第１の信号を送信することと、免許不要無線周波数スペクトル帯域において第１の信号とともに情報を送信することと、を含む。【選択図】図２７
2019216444.tif 000002
【特許請求の範囲】
【請求項１】
ワイヤレス通信のための方法であって、
無線周波数スペクトル帯域において第１のチャネルにアクセスすることを示すために第１の信号を送信することと、
前記無線周波数スペクトル帯域において前記第１の信号とともに情報を送信することとを備える、方法。
【請求項２】
前記情報がシステム情報を備える、請求項１に記載の方法。
【請求項３】
前記第１の信号とともに情報を前記送信することが、
情報を前記第１の信号の一部として送信することを備える、請求項１に記載の方法。
【請求項４】
前記第１の信号が、シーケンスに少なくとも一部基づいて生成される、請求項３に記載の方法。
【請求項５】
前記シーケンスが前記情報に依存する、請求項４に記載の方法。
【請求項６】
前記第１の信号とともに情報を前記送信することが、
前記第１の信号とともに第２の信号において情報を送信することを備え、前記第２の信号が前記第１の信号と別である、請求項１に記載の方法。
【請求項７】
前記第１の信号の送信のために複数の位相から第１の位相を選択することをさらに備え、前記複数の位相の異なる位相が異なる情報に対応し、
前記第１の信号とともに情報を前記送信することが、前記第１の位相において前記第１の信号を送信することを備える、請求項１に記載の方法。
【請求項８】
前記第１の信号が、前記無線周波数スペクトル帯域の第１の直交周波数分割多重化（ＯＦＤＭ）シンボル期間および前記無線周波数スペクトル帯域の第２のＯＦＤＭシンボル期間の間に送信され、前記情報が、前記第２のＯＦＤＭシンボル期間の間に送信される、請求項１に記載の方法。
【請求項９】
前記無線周波数スペクトル帯域の前記第２のＯＦＤＭシンボル期間の間に、前記情報を搬送する第２の信号を送信することをさらに備え、
前記第１の信号が、前記第２の信号のための位相基準を提供する、請求項８に記載の方法。
【請求項１０】
前記情報が、前記無線周波数スペクトル帯域における送信のために使用されるフレームのサブフレームの数を示す、請求項１に記載の方法。
【請求項１１】
前記情報が、前記無線周波数スペクトル帯域中のコンポーネントキャリアで搬送される送信を受信するために使用すべきアンテナの数を示す、請求項１に記載の方法。
【請求項１２】
前記無線周波数スペクトル帯域中の前記コンポーネントキャリアを受信するために使用すべきアンテナの前記数に少なくとも一部基づいて、前記無線周波数スペクトル帯域中の前記コンポーネントキャリアの送信のための変調およびコーディング方式（ＭＣＳ）を調整することをさらに備える、請求項１１に記載の方法。
【請求項１３】
前記無線周波数スペクトル帯域中の前記コンポーネントキャリアで搬送される送信を受信するために使用すべきアンテナの前記数が、前記コンポーネントキャリアと関連付けられるアップリンク構成またはダウンリンク構成に少なくとも一部基づいて決定される、請求項１１に記載の方法。
【請求項１４】
前記無線周波数スペクトル帯域中の前記コンポーネントキャリアで搬送される送信を受信するために使用すべきアンテナの前記数が、ユーザ機器（ＵＥ）にサービスするために使用される複数のコンポーネントキャリアの各々と関連付けられるクリアチャネルアセスメント（ＣＣＡ）手順に少なくとも一部基づいて決定される、請求項１１に記載の方法。
【請求項１５】
前記無線周波数スペクトル帯域中の前記コンポーネントキャリアのフレームの各サブフレームに対して、前記無線周波数スペクトル帯域中の前記コンポーネントキャリアで搬送される送信を受信するために使用すべきアンテナの前記数を選択することをさらに備える、請求項１１に記載の方法。
【請求項１６】
ワイヤレス通信のための方法であって、
無線周波数スペクトル帯域にアクセスするためのコンテンションに勝利することと、  前記無線周波数スペクトル帯域にアクセスするためのコンテンションに前記勝利した後で、第２の信号の開始点を前記無線周波数スペクトル帯域と関連付けられる基準の境界と揃えるように、第１の信号を送信することを備える、方法。
【請求項１７】
前記無線周波数スペクトル帯域が免許不要無線周波数スペクトルナムドを備える、請求項１６に記載の方法。
【請求項１８】
タイミング情報にアクセスすることと、
前記タイミング情報と前記無線周波数スペクトル帯域にアクセスするためのコンテンションに前記勝利したこととに少なくとも一部基づいて前記基準の境界を決定することとをさらに備える、請求項１６に記載の方法。
【請求項１９】
前記第１の信号が可変長訓練シーケンスを備える、請求項１６に記載の方法。
【請求項２０】
前記第１の信号が、可変長訓練シーケンスと少なくとも１つの固定長訓練シーケンスとを備える、請求項１６に記載の方法。
【請求項２１】
前記無線周波数スペクトル帯域においてリッスンビフォートーク（ＬＢＴ）−負荷ベース機器（ＬＢＥ）動作モードで動作することをさらに備える、請求項１６に記載の方法。
【請求項２２】
前記基準の境界が、前記無線周波数スペクトル帯域と関連付けられる直交周波数分割多重化（ＯＦＤＭ）シンボル期間の境界を備える、請求項１６に記載の方法。
【請求項２３】
前記第１の信号がコンテンションの優先順位と関連付けられ、前記第１の信号が前記コンテンションの優先順位に少なくとも一部基づいて前記ＯＦＤＭシンボル期間の一部分の間に送信される、請求項２２に記載の方法。
【請求項２４】
ワイヤレス通信のための装置であって、
プロセッサと、
前記プロセッサと電子通信しているメモリと、
前記メモリに記憶された命令とを備え、前記命令が、前記プロセッサによって、
無線周波数スペクトル帯域にアクセスするためのコンテンションに勝利し、
前記無線周波数スペクトル帯域にアクセスするためのコンテンションに勝利した後で、第２の信号の開始点を前記無線周波数スペクトル帯域と関連付けられる基準の境界と揃えるように、第１の信号を送信する
ように実行可能である、装置。
【請求項２５】
ワイヤレス通信のための方法であって、
第１のフレーム期間の間に無線周波数スペクトル帯域にアクセスするためのコンテンションに勝利することと、前記第１のフレーム期間は複数の異なるフレーム期間から選択される、
前記複数の異なるフレーム期間の各々のために前記第１のフレーム期間の１つまたは複数のサブフレームの間に、ある周期性で信号を送信することとを備える、方法。
【請求項２６】
前記周期性が固定された周期性である、請求項２５に記載の方法。
【請求項２７】
前記周期性で前記信号を前記送信することが、
前記信号を固定された時間および固定された周波数位置において送信することを備える、請求項２５に記載の方法。
【請求項２８】
前記信号がオーバーヘッドチャネルにおいて送信される、請求項２５に記載の方法。
【請求項２９】
前記第１のフレーム期間がリッスンビフォートーク（ＬＢＴ）フレーム期間を備える、請求項２５に記載の方法。
【請求項３０】
前記信号がコンテンション手順のタイミングと競合するかどうかを決定することと、
前記信号が前記コンテンション手順の前記タイミングと競合するという前記決定に少なくとも一部基づいて、前記信号の送信を防ぐこととをさらに備える、請求項２５に記載の方法。
【発明の詳細な説明】
【技術分野】
【０００１】
相互参照
[0001]本特許出願は、２０１４年１２月２９日に出願された、Ｌｕｏ他による「Ｔｅｃｈｎｉｑｕｅｓ  ｆｏｒ  Ｃｏｎｆｉｇｕｒｉｎｇ  Ｐｒｅａｍｂｌｅ  ａｎｄ  Ｏｖｅｒｈｅａｄ  Ｓｉｇｎａｌｓ  ｆｏｒ  Ｔｒａｎｓｍｉｓｓｉｏｎｓ  ｉｎ  ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」という表題の米国特許出願第１４／５８４，１４９号、２０１４年３月２１日に出願された、Ｌｕｏ他による「Ｔｅｃｈｎｉｑｕｅｓ  ｆｏｒ  Ｃｏｎｆｉｇｕｒｉｎｇ  Ｐｒｅａｍｂｌｅ  ａｎｄ  Ｏｖｅｒｈｅａｄ  Ｓｉｇｎａｌｓ  ｆｏｒ  Ｔｒａｎｓｍｉｓｓｉｏｎｓ  ｉｎ  ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」という表題の米国仮特許出願第６１／９６９，０８０号、および、２０１４年５月１２日に出願された、Ｌｕｏ他による「Ｔｅｃｈｎｉｑｕｅｓ  ｆｏｒ  Ｃｏｎｆｉｇｕｒｉｎｇ  Ｐｒｅａｍｂｌｅ  ａｎｄ  Ｏｖｅｒｈｅａｄ  Ｓｉｇｎａｌｓ  ｆｏｒ  Ｔｒａｎｓｍｉｓｓｉｏｎｓ  ｉｎ  ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」という表題の米国仮特許出願第６１／９９２，１７４号の優先権を主張し、これらの各々が本出願の譲受人に譲渡される。
【０００２】
[0002]本開示は、たとえば、ワイヤレス通信システムに関し、より具体的には、無線周波数スペクトル帯域における送信のためにプリアンブル信号とオーバーヘッド信号とを構成するための技法に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数および出力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
[0004]例として、ワイヤレス多元接続通信システムは、各々が複数のＵＥのための通信を同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、ＵＥと通信し得る。
【０００５】
[0005]いくつかの通信モードは、セルラーネットワークの異なる無線周波数スペクトル帯域（たとえば、免許無線周波数スペクトル帯域および／または免許不要無線周波数スペクトル帯域）を通じたＵＥとの通信を可能にし得る。セルラーネットワークにおけるデータトラフィックの増加とともに、少なくとも一部のデータトラフィックの、免許不要無線周波数スペクトル帯域へのオフロードは、セルラー事業者にデータ送信容量の増強のための機会を与え得る。また、複数のモバイルネットワーク事業者が、アクセスすることが許可されている共有されている免許無線周波数スペクトルにアクセスすることをめぐり、互いに競合することがある。免許無線周波数スペクトル帯域にアクセスし、免許無線周波数スペクトル帯域を通じてデータを送信する前に、送信装置は、いくつかの例では、無線周波数スペクトル帯域にアクセスするために、リッスンビフォートーク（ＬＢＴ）手順を実行し得る。ＬＢＴ手順は、無線周波数スペクトル帯域のチャネルが利用可能であるかどうかを決定するために、クリアチャネルアセスメント（ＣＣＡ）を実行することを含み得る。（たとえば、別のデバイスが無線周波数スペクトル帯域のチャネルをすでに使用しているので）無線周波数スペクトル帯域のチャネルが利用可能ではないと決定されるとき、そのチャネルのためにＣＣＡが後で再び実行され得る。
【０００６】
[0006]いくつかの場合、ある無線周波数スペクトル帯域を通じた１つまたは複数のノード（たとえば、Ｗｉ−Ｆｉ（登録商標）ノードおよび／または他の事業者のノード）による送信が、基地局またはＵＥがその無線周波数スペクトルにアクセスするのを妨げ、基地局またはＵＥが無線周波数スペクトル帯域の使用に「飢える」ようになることがある。いくつかの場合、この飢餓の問題は、フレームベースの機器のために構成されたＬＢＴプロトコル（ＬＢＴ−ＦＢＥ：LBT protocol configured for frame based equipment）の代わりに、負荷ベースの機器のために構成されたＬＢＴプロトコル（ＬＢＴ−ＬＢＥ：LBT protocol configured for load based equipment）を使用することによって、軽減され得る。ＬＢＴ−ＬＢＥプロトコルでは、複数のＮ回のＣＣＡ手順を含む拡張ＣＣＡ手順が実行され得る。ＬＢＴ−ＬＢＥプロトコルとともに実行される拡張ＣＣＡ手順は、（たとえば、ＬＢＴ−ＦＢＥプロトコルとともに実行される単一のＣＣＡ手順と比較して）無線周波数スペクトル帯域にアクセスするためのより多くの機会を、基地局またはＵＥに与えることができる。
【発明の概要】
【０００７】
[0007]本開示は、たとえば、無線周波数スペクトル帯域における送信のためにプリアンブル信号とオーバーヘッド信号とを構成するための、１つまたは複数の技法に関する。いくつかの例では、本技法は、無線周波数スペクトル帯域中のプリアンブル信号において情報を送信することを含み得る。送信される情報は、情報に後続する送信を復号する際に受信装置を助け、および／または、受信装置が電力を節約することなどを可能にし得る。いくつかの例では、本技法は、第２の信号の開始点を無線周波数スペクトル帯域と関連付けられる基準の境界と揃えるように、第１の信号を送信することを含み得る。第１の信号は、無線周波数スペクトル帯域にアクセスするためのコンテンションに勝利した後で送信され得る。第１の信号は、たとえば、チャネルを予約するため、および／またはチャネルを通じて情報を送信するために使用され得る。いくつかの例では、本技法は、無線フレームの境界のタイミングに対するオーバーヘッド信号の位置をコンヴェリー(convery)するために信号を送信することを含み得る。いくつかの例では、本技法は、ＬＢＴ手順が行われるＬＢＴ無線フレーム期間の持続時間（たとえば、２ミリ秒、５ミリ秒、および／または１０ミリ秒）とは無関係に、ある周期で、１つまたは複数の時間において、ならびに／または１つおよび／もしくは複数の周波数位置において、１つまたは複数のオーバーヘッドチャネル送信を構成することを含み得る。このことは、いくつかの例では、オーバーヘッド送信と関連付けられる処理の負担を減らし得る。
【０００８】
[0008]説明のための例の第１のセットでは、ワイヤレス通信のための方法が説明される。一例では、方法は、無線周波数スペクトル帯域において第１のチャネルにアクセスすることを示すために第１の信号を送信することと、その無線周波数スペクトル帯域において第１の信号とともに情報を送信することとを含み得る。
【０００９】
[0009]方法のいくつかの例では、情報はシステム情報を含み得る。いくつかの例では、情報は、無線周波数スペクトル帯域における送信のためのフレーム構造を示し得る。いくつかの例では、情報は、無線周波数スペクトル帯域における送信のためのアップリンク構成またはダウンリンク構成を示し得る。いくつかの例では、情報は、無線周波数スペクトル帯域における送信のために使用されるフレームのサブフレームの数を示し得る。
【００１０】
[0010]方法のいくつかの例では、第１の信号とともに情報を送信することは、第１の信号の一部として情報を送信することを含み得る。第１の信号は、いくつかの例では、シーケンスに少なくとも一部基づいて生成され得る。シーケンスは、いくつかの例では、情報に依存し得る。いくつかの例では、情報は、セル識別子（ＩＤ）、公衆陸上移動体ネットワークＩＤ、またはこれらの組合せを含み得る。
【００１１】
[0011]方法のいくつかの例では、第１の信号とともに情報を送信することは、第１の信号とともに第２の信号において情報を送信することを含み得る。第２の信号は第１の信号とは別であり得る。
【００１２】
[0012]いくつかの例では、方法は、第１の信号の送信のための複数の位相の中の第１の位相を選択することを含み得る。複数の位相の異なる位相は、異なる情報に対応し得る。これらの例では、第１の信号とともに情報を送信することは、第１の位相において第１の信号を送信することを含み得る。
【００１３】
[0013]いくつかの例では、第１の信号および情報は、無線周波数スペクトル帯域の単一の直交周波数分割多重化（ＯＦＤＭ）シンボル期間の間に送信され得る。
【００１４】
[0014]いくつかの例では、第１の信号は、無線周波数スペクトル帯域の第１のＯＦＤＭシンボル期間および無線周波数スペクトル帯域の第２のＯＦＤＭシンボル期間の間に送信されてよく、情報は、第２のＯＦＤＭシンボル期間の間に送信されてよい。これらの例では、方法は、無線周波数スペクトル帯域の第２のＯＦＤＭシンボル期間の間に情報を搬送する第２の信号を送信することを含み得る。これらの後者の例では、第１の信号は第２の信号のための位相基準を提供し得る。
【００１５】
[0015]いくつかの例では、情報は、無線周波数スペクトル帯域中のコンポーネントキャリアで搬送される送信を受信するために使用すべきアンテナの数を示し得る。これらの例では、方法は、無線周波数スペクトル帯域中のコンポーネントキャリアを受信するために使用すべきアンテナの数に少なくとも一部基づいて、無線周波数スペクトル帯域中のコンポーネントキャリアの送信のための変調およびコーディング方式（ＭＣＳ）を調整することを含み得る。いくつかの例では、無線周波数スペクトル帯域中のコンポーネントキャリアで搬送される送信を受信するために使用すべきアンテナの数は、コンポーネントキャリアと関連付けられるアップリンク構成またはダウンリンク構成に少なくとも一部基づいて決定され得る。いくつかの例では、無線周波数スペクトル帯域中のコンポーネントキャリアで搬送される送信を受信するために使用すべきアンテナの数は、ユーザ機器（ＵＥ）にサービスするために使用される複数のコンポーネントキャリアの各々と関連付けられるクリアチャネルアセスメント（ＣＣＡ）手順に少なくとも一部基づいて決定され得る。いくつかの例では、方法は、無線周波数スペクトル帯域中のコンポーネントキャリアのフレームの各サブフレームに対して、無線周波数スペクトル帯域中のコンポーネントキャリアで搬送される送信を受信するために使用すべきアンテナの数を選択することを含み得る。
【００１６】
[0016]説明のための例の第２のセットでは、ワイヤレス通信のための装置が説明される。一例では、装置は、無線周波数スペクトル帯域において第１のチャネルにアクセスすることを示すために第１の信号を送信するための手段と、その無線周波数スペクトル帯域において第１の信号とともに情報を送信するための手段とを含み得る。いくつかの例では、装置は、説明のための例の第１のセットに関して上で説明されたワイヤレス通信のための方法の１つまたは複数の態様を実装するための手段をさらに含み得る。
【００１７】
[0017]説明のための例の第３のセットでは、ワイヤレス通信のための別の装置が説明される。一例では、装置は、プロセッサと、プロセッサと電子通信しているメモリと、メモリに記憶された命令とを含み得る。命令は、無線周波数スペクトル帯域において第１のチャネルにアクセスすることを示すために第１の信号を送信し、その無線周波数スペクトル帯域において第１の信号とともに情報を送信するように、プロセッサによって実行可能であり得る。いくつかの例では、命令はまた、説明のための例の第１のセットに関して上で説明されたワイヤレス通信のための方法の１つまたは複数の態様を実装するように、プロセッサによって実行可能であり得る。
【００１８】
[0018]説明のための例の第４のセットでは、ワイヤレス通信システム中のワイヤレス通信装置による通信のためのコンピュータプログラム製品が説明される。一例では、コンピュータプログラム製品は、ワイヤレス通信装置に、無線周波数スペクトル帯域において第１のチャネルにアクセスすることを示すために第１の信号を送信させ、その無線周波数スペクトル帯域において第１の信号とともに情報を送信させるように、プロセッサによって実行可能な命令を記憶する、非一時的コンピュータ可読媒体を含み得る。いくつかの例では、命令はまた、ワイヤレス通信装置に、説明のための例の第１のセットに関して上で説明されたワイヤレス通信のための方法の１つまたは複数の態様を実装させるように、プロセッサによって実行可能であり得る。
【００１９】
[0019]説明のための例の第５のセットでは、ワイヤレス通信のための方法が説明される。一例では、方法は、無線周波数スペクトル帯域にアクセスするためのコンテンションに勝利することを含み得る。方法はまた、無線周波数スペクトル帯域にアクセスするためのコンテンションに勝利した後で、第２の信号の開始点を無線周波数スペクトル帯域と関連付けられる基準の境界と揃えるように、第１の信号を送信することを含み得る。
【００２０】
[0020]いくつかの例では、方法は、タイミング情報にアクセスすることと、タイミング情報と無線周波数スペクトル帯域にアクセスするためのコンテンションに勝利したこととに少なくとも一部基づいて基準の境界を決定することとを含み得る。
【００２１】
[0021]方法のいくつかの例では、第１の信号は可変長訓練シーケンスを含み得る。いくつかの例では、第１の信号は、可変長訓練シーケンスと少なくとも１つの固定長訓練シーケンスとを含み得る。
【００２２】
[0022]いくつかの例では、方法は、第１の信号の一部として情報を送信することを含み得る。
【００２３】
[0023]いくつかの例では、第１の信号は、ユーザ機器（ＵＥ）による自動利得制御（ＡＧＣ）のために使用可能であり得る。
【００２４】
[0024]いくつかの例では、方法は、無線周波数スペクトル帯域においてＬＢＴ−ＬＢＥ動作モードで動作することを含み得る。方法のいくつかの例では、基準の境界はＯＦＤＭシンボル期間の境界を含み得る。これらの例では、第１の信号はコンテンションの優先順位と関連付けられてよく、第１の信号はコンテンションの優先順位に少なくとも一部基づいてＯＦＤＭシンボル期間の一部分の間に送信されてよい。方法のいくつかの例では、基準の境界は、無線周波数スペクトル帯域と関連付けられるフレームのスロットの境界を含み得る。方法のいくつかの例では、基準の境界は、無線周波数スペクトル帯域と関連付けられるフレームのサブフレームの境界を含み得る。
【００２５】
[0025]方法のいくつかの例では、第２の信号は、無線周波数スペクトル帯域にアクセスするためのコンテンションに勝利したことを示す信号を含み得る。いくつかの例では、第１の信号は第２の信号の前に送信され得る。
【００２６】
[0026]説明のための例の第６のセットでは、ワイヤレス通信のための装置が説明される。一例では、装置は、無線周波数スペクトル帯域にアクセスするためのコンテンションに勝利するための手段を含み得る。装置はまた、無線周波数スペクトル帯域にアクセスするためのコンテンションに勝利した後で、第２の信号の開始点を無線周波数スペクトル帯域と関連付けられる基準の境界と揃えるように、第１の信号を送信するための手段を含み得る。いくつかの例では、装置は、説明のための例の第５のセットに関して上で説明されたワイヤレス通信のための方法の１つまたは複数の態様を実装するための手段をさらに含み得る。
【００２７】
[0027]説明のための例の第７のセットでは、ワイヤレス通信のための別の装置が説明される。一例では、装置は、プロセッサと、プロセッサと電子通信しているメモリと、メモリに記憶された命令とを含み得る。命令は、無線周波数スペクトル帯域にアクセスするためのコンテンションに勝利するように、プロセッサによって実行可能でありうる。命令はまた、無線周波数スペクトル帯域にアクセスするためのコンテンションに勝利した後で、第２の信号の開始点を無線周波数スペクトル帯域と関連付けられる基準の境界と揃えるように、第１の信号を送信するように、プロセッサによって実行可能であり得る。いくつかの例では、命令はまた、説明のための例の第５のセットに関して上で説明されたワイヤレス通信のための方法の１つまたは複数の態様を実装するように、プロセッサによって実行可能であり得る。
【００２８】
[0028]説明のための例の第８のセットでは、ワイヤレス通信システム中のワイヤレス通信装置による通信のためのコンピュータプログラム製品が説明される。一例では、コンピュータプログラム製品は、ワイヤレス通信装置に、無線周波数スペクトル帯域にアクセスするためのコンテンションに勝利させるようにプロセッサによって実行可能な命令を記憶した、非一時的コンピュータ可読媒体を含み得る。命令はまた、ワイヤレス通信装置に、無線周波数スペクトル帯域にアクセスするためのコンテンションに勝利した後で、第２の信号の開始点を無線周波数スペクトル帯域と関連付けられる基準の境界と揃えるように、第１の信号を送信させるように、プロセッサによって実行可能であり得る。いくつかの例では、命令はまた、ワイヤレス通信装置に、説明のための例の第５のセットに関して上で説明されたワイヤレス通信のための方法の１つまたは複数の態様を実装させるように、プロセッサによって実行可能であり得る。
【００２９】
[0029]説明のための例の第９のセットでは、ワイヤレス通信のための方法が説明される。一例では、方法は、第１のフレーム期間の間に無線周波数スペクトル帯域にアクセスするためのコンテンションに勝利することを含み得る。第１のフレームは、複数の異なるフレーム期間から選択され得る。方法はまた、複数の異なるフレーム期間の各々のために、第１のフレーム期間の１つまたは複数のサブフレームの間にある周期性で信号を送信することを含み得る。
【００３０】
[0030]方法のいくつかの例では、その周期性は固定された周期性であり得る。
【００３１】
[0031]方法のいくつかの例では、その周期性で信号を送信することは、固定された時間および固定された周波数位置において信号を送信することを含み得る。
【００３２】
[0032]方法のいくつかの例では、信号はオーバーヘッドチャネルにおいて送信され得る。
【００３３】
[0033]方法のいくつかの例では、第１のフレーム期間はリッスンビフォートーク（ＬＢＴ）フレーム期間を含み得る。
【００３４】
[0034]いくつかの例では、方法は、信号がコンテンション手順のタイミングと競合するかどうかを決定することと、信号がコンテンション手順のタイミングと競合するという決定に少なくとも一部基づいて信号の送信を防ぐこととを含み得る。
【００３５】
[0035]説明のための例の第１０のセットでは、ワイヤレス通信のための装置が説明される。一例では、装置は、第１のフレーム期間の間に無線周波数スペクトル帯域にアクセスするためのコンテンションに勝利するための手段を含み得る。第１のフレームは、複数の異なるフレーム期間から選択され得る。装置はまた、複数の異なるフレーム期間の各々のために、第１のフレーム期間の１つまたは複数のサブフレームの間にある周期性で信号を送信するための手段を含み得る。いくつかの例では、装置は、説明のための例の第９のセットに関して上で説明されたワイヤレス通信のための方法の１つまたは複数の態様を実装するための手段をさらに含み得る。
【００３６】
[0036]説明のための例の第１１のセットでは、ワイヤレス通信のための別の装置が説明される。一例では、装置は、プロセッサと、プロセッサと電子通信しているメモリと、メモリに記憶された命令とを含み得る。命令は、第１のフレーム期間の間に無線周波数スペクトル帯域にアクセスするためのコンテンションに勝利するように、プロセッサによって実行可能でありうる。第１のフレームは、複数の異なるフレーム期間から選択され得る。命令はまた、複数の異なるフレーム期間の各々のために、第１のフレーム期間の１つまたは複数のサブフレームの間にある周期性で信号を送信するように、プロセッサによって実行可能であり得る。いくつかの例では、命令はまた、説明のための例の第９のセットに関して上で説明されたワイヤレス通信のための方法の１つまたは複数の態様を実装するように、プロセッサによって実行可能であり得る。
【００３７】
[0037]説明のための例の第１２のセットでは、ワイヤレス通信システム中のワイヤレス通信装置による通信のためのコンピュータプログラム製品が説明される。一例では、コンピュータプログラム製品は、ワイヤレス通信装置に、第１のフレーム期間の間に無線周波数スペクトル帯域にアクセスするためのコンテンションに勝利させるようにプロセッサによって実行可能な命令を記憶した、非一時的コンピュータ可読媒体を含み得る。第１のフレームは、複数の異なるフレーム期間から選択され得る。命令はまた、ワイヤレス通信装置に、複数の異なるフレーム期間の各々のために、第１のフレーム期間の１つまたは複数のサブフレームの間にある周期性で信号を送信させるように、プロセッサによって実行可能であり得る。いくつかの例では、命令はまた、ワイヤレス通信装置に、説明のための例の第９のセットに関して上で説明されたワイヤレス通信のための方法の１つまたは複数の態様を実装させるように、プロセッサによって実行可能であり得る。
【００３８】
[0038]説明のための例の第１３のセットでは、ワイヤレス通信のための別の方法が説明される。一例では、方法は、無線周波数スペクトル帯域にアクセスするためのコンテンションに勝利することと、無線周波数スペクトル帯域にアクセスするためのコンテンションに勝利した後で、無線周波数スペクトル帯域と関連付けられる無線フレームの境界のタイミングを示すために第１の信号を送信することと、無線フレームの境界のタイミングに関連してオーバーヘッド信号のための位置情報を搬送するために第２の信号を送信することとを含み得る。
【００３９】
[0039]方法のいくつかの例では、第２の信号は無線リソース制御（ＲＲＣ）シグナリングを含み得る。方法のいくつかの例では、第２の信号は、無線フレームの境界に関連してダウンリンク制御チャネルのための位置情報を搬送することができる。いくつかの例では、第２の信号は、チャネル状態情報（ＣＳＩ）フィードバックのために使用されるリソースのための位置情報を搬送することができる。
【００４０】
[0040]いくつかの例では、方法は、無線周波数スペクトル帯域上でリッスンビフォートーク（ＬＢＴ）負荷ベース機器（ＬＢＥ）動作モードで動作することを含み得る。いくつかの例では、第１の信号は第２の信号を含み得る。
【００４１】
[0041]説明のための例の第１４のセットでは、ワイヤレス通信のための装置が説明される。一例では、装置は、無線周波数スペクトル帯域にアクセスするためのコンテンションに勝利するための手段と、無線周波数スペクトル帯域にアクセスするためのコンテンションに勝利した後で、無線周波数スペクトル帯域と関連付けられる無線フレームの境界のタイミングを示すために第１の信号を送信するための手段と、無線フレームの境界のタイミングに関連してオーバーヘッド信号のための位置情報を搬送するために第２の信号を送信するための手段とを含み得る。いくつかの例では、装置は、説明のための例の第１３のセットに関して上で説明されたワイヤレス通信のための方法の１つまたは複数の態様を実装するための手段をさらに含み得る。
【００４２】
[0042]説明のための例の第１５のセットでは、ワイヤレス通信のための別の装置が説明される。一例では、装置は、プロセッサと、プロセッサと電子通信しているメモリと、メモリに記憶された命令とを含み得る。命令は、無線周波数スペクトル帯域にアクセスするためのコンテンションに勝利し、無線周波数スペクトル帯域にアクセスするためのコンテンションに勝利した後で、無線周波数スペクトル帯域と関連付けられる無線フレームの境界のタイミングを示すために第１の信号を送信し、無線フレームの境界のタイミングに関連してオーバーヘッド信号のための位置情報を搬送するために第２の信号を送信するように、プロセッサによって実行可能であり得る。いくつかの例では、命令はまた、説明のための例の第１３のセットに関して上で説明されたワイヤレス通信のための方法の１つまたは複数の態様を実装するように、プロセッサによって実行可能であり得る。
【００４３】
[0043]説明のための例の第１６のセットでは、ワイヤレス通信システム中のワイヤレス通信装置による通信のためのコンピュータプログラム製品が説明される。一例では、コンピュータプログラム製品は、ワイヤレス通信装置に、無線周波数スペクトル帯域にアクセスするためのコンテンションに勝利させ、無線周波数スペクトル帯域にアクセスするためのコンテンションに勝利した後で、無線周波数スペクトル帯域と関連付けられる無線フレームの境界のタイミングを示すために第１の信号を送信させ、無線フレームの境界のタイミングに関連してオーバーヘッド信号のための位置情報を搬送するために第２の信号を送信させるようにプロセッサによって実行可能な命令を記憶した、非一時的コンピュータ可読媒体を含み得る。いくつかの例では、命令はまた、ワイヤレス通信装置に、説明のための例の第１３のセットに関して上で説明されたワイヤレス通信のための方法の１つまたは複数の態様を実装させるように、プロセッサによって実行可能であり得る。
【００４４】
[0044]上では、以下の発明を実施するための形態がより良く理解され得るように、本開示による例の特徴および技術的利点をやや広く概説した。追加の特徴および利点が以下で説明される。開示される概念および特定の実施例は、本開示の同じ目的を実施するために他の構造を修正または設計するための基礎として容易に利用され得る。そのような等価な構成は、添付の特許請求の範囲の趣旨および範囲から逸脱しない。関連する利点とともに、本明細書で開示される概念の編成と動作の方法の両方に関して、それらの概念を特徴づけると考えられる特徴は、添付の図に関連して検討されれば以下の説明からより良く理解されるだろう。各図は、例示および説明のみの目的で与えられ、特許請求の範囲の限界を定めるものとして与えられるものではない。
【００４５】
[0045]以下の図面を参照することにより、本発明の性質および利点のさらなる理解が実現され得る。添付の図では、同様のコンポーネントまたは特徴は、同じ参照ラベルを有し得る。さらに、同じタイプの様々なコンポーネントは、参照ラベルの後に、ダッシュと、同様のコンポーネントを区別する第２のラベルとを続けることによって区別され得る。本明細書において第１の参照ラベルのみが使用される場合、説明は、第２の参照ラベルにかかわらず、同じ第１の参照ラベルを有する同様のコンポーネントのいずれのコンポーネントにも適用可能である。
【００４６】
[0046]以下の図面を参照することにより、本発明の性質および利点のさらなる理解が実現され得る。添付の図では、同様のコンポーネントまたは特徴は、同じ参照ラベルを有し得る。さらに、同じタイプの様々なコンポーネントは、参照ラベルの後に、ダッシュと、同様のコンポーネントを区別する第２のラベルとを続けることによって区別され得る。本明細書において第１の参照ラベルのみが使用される場合、説明は、第２の参照ラベルにかかわらず、同じ第１の参照ラベルを有する同様のコンポーネントのいずれのコンポーネントにも適用可能である。
【図面の簡単な説明】
【００４７】
【図１】[0047]本開示の様々な態様による、ワイヤレス通信システムのブロック図。
【図２】[0048]本開示の様々な態様による、ＬＴＥ（登録商標）／ＬＴＥ−Ａが、免許不要無線周波数スペクトル帯域を使用する様々な状況の下で展開されるワイヤレス通信システムを示す図。
【図３】[0049]本開示の様々な態様による、免許不要無線周波数スペクトル帯域におけるセルラーダウンリンクのためのゲーティング間隔（またはＬＢＴ無線フレーム）の例を示す図。
【図４】[0050]本開示の様々な態様による、免許不要無線周波数スペクトル帯域を通じたワイヤレス通信の例を示す図。
【図５】[0051]本開示の様々な態様による、免許不要無線周波数スペクトル帯域を通じたワイヤレス通信の例を示す図。
【図６】本開示の様々な態様による、免許不要無線周波数スペクトル帯域における同期する事業者のＣＣＡ免除送信（ＣＥＴ）のためのリソース割振りの例を示す図。
【図７】[0053]本開示の様々な態様による、免許不要無線周波数スペクトル帯域を通じたワイヤレス通信のタイミング図。
【図８Ａ】[0054]本開示の様々な態様による、無線周波数スペクトル帯域中のチャネルにアクセスすることを示す第１の信号（たとえば、チャネル使用ビーコン信号（ＣＵＢＳ））とともに情報がどのように送信され得るかの例を示す図。
【図８Ｂ】[0055]本開示の様々な態様による、無線周波数スペクトル帯域中のチャネルにアクセスすることを示す第１の信号（たとえば、ＣＵＢＳ）とともに情報がどのように送信され得るかの例を示す図。
【図９】[0056]本開示の様々な態様による、コンポーネントキャリアで搬送される送信を受信するために使用すべきアンテナの数を示す情報がどのように決定され使用され得るかの例を示す図。
【図１０】[0057]本開示の様々な態様による、コンポーネントキャリアで搬送される送信を受信するために使用すべきアンテナの数を示す情報がどのように決定され使用され得るかの例を示す図。
【図１１Ａ】[0058]本開示の様々な態様による、第２の信号の開始点を無線周波数スペクトル帯域と関連付けられる基準の境界と揃えるように第１の信号がどのように送信され得るかの例を示す図。
【図１１Ｂ】[0059]本開示の様々な態様による、第２の信号の開始点を無線周波数スペクトル帯域と関連付けられる基準の境界と揃えるように第１の信号がどのように送信され得るかの例を示す図。
【図１１Ｃ】[0060]本開示の様々な態様による、第２の信号の開始点を無線周波数スペクトル帯域と関連付けられる基準の境界と揃えるように第１の信号がどのように送信され得るかの例を示す図。
【図１２】[0061]本開示の様々な態様による、第２の信号の開始点を無線周波数スペクトル帯域と関連付けられる基準の境界と揃えるように、無線周波数スペクトル帯域においてＬＢＴ−ＬＢＥ動作モードで動作している間に第１の信号がどのように送信され得るかの例を示す図。
【図１３】[0062]本開示の様々な態様による、第２の信号の開始点を無線周波数スペクトル帯域と関連付けられる基準の境界と揃えるように、無線周波数スペクトル帯域においてＬＢＴ−ＬＢＥ動作モードで動作している間に第１の信号がどのように送信され得るかの例を示す図。
【図１４】[0063]本開示の様々な態様による、第２の信号の開始点を無線周波数スペクトル帯域と関連付けられる基準の境界と揃えるように、無線周波数スペクトル帯域においてＬＢＴ−ＬＢＥ動作モードで動作している間に第１の信号がどのように送信され得るかの例を示す図。
【図１５】[0064]本開示の様々な態様による、第２の信号の開始点を無線周波数スペクトル帯域と関連付けられる基準の境界と揃えるように、無線周波数スペクトル帯域においてＬＢＴ−ＬＢＥ動作モードで動作している間に第１の信号がどのように送信され得るかの例を示す図。
【図１６】[0065]本開示の様々な態様による、無線周波数スペクトル帯域において１つまたは複数のオーバーヘッド送信がどのように行われ得るかの例を示す図。
【図１７】[0066]本開示の様々な態様による、ワイヤレス通信において使用するための装置のブロック図。
【図１８】[0067]本開示の様々な態様による、ワイヤレス通信において使用するための装置のブロック図。
【図１９】[0068]本開示の様々な態様による、ワイヤレス通信において使用するための装置のブロック図。
【図２０】[0069]本開示の様々な態様による、ワイヤレス通信において使用するための装置のブロック図。
【図２１】[0070]本開示の様々な態様による、ワイヤレス通信において使用するための装置のブロック図。
【図２２】[0071]本開示の様々な態様による、ワイヤレス通信において使用するための装置のブロック図。
【図２３】[0072]本開示の様々な態様による、ワイヤレス通信において使用するための装置のブロック図。
【図２４】[0073]本開示の様々な態様による、ワイヤレス通信において使用するための装置のブロック図。
【図２５】[0074]本開示の様々な態様による、ワイヤレス通信において使用するための基地局（たとえば、ｅＮＢの一部またはすべてを形成する基地局）のブロック図。
【図２６】[0075]本開示の様々な態様による、ワイヤレス通信において使用するためのＵＥのブロック図。
【図２７】[0076]本開示の様々な態様による、ワイヤレス通信のための方法の例を示すフローチャート。
【図２８】[0077]本開示の様々な態様による、ワイヤレス通信のための方法の例を示すフローチャート。
【図２９】[0078]本開示の様々な態様による、ワイヤレス通信のための方法の例を示すフローチャート。
【図３０】[0079]本開示の様々な態様による、ワイヤレス通信のための方法の例を示すフローチャート。
【図３１】[0080]本開示の様々な態様による、ワイヤレス通信のための方法の例を示すフローチャート。
【図３２】[0081]本開示の様々な態様による、ワイヤレス通信のための方法の例を示すフローチャート。
【図３３】[0082]本開示の様々な態様による、ワイヤレス通信のための方法の例を示すフローチャート。
【図３４】[0083]本開示の様々な態様による、ワイヤレス通信のための方法の例を示すフローチャート。
【発明を実施するための形態】
【００４８】
[0084]プリアンブル信号および／またはオーバーヘッド信号が無線周波数スペクトル帯域（たとえば、Ｗｉ−Ｆｉ用途のような免許不要の用途に利用可能であるので装置がアクセスを争う必要があり得る免許不要周波数スペクトル帯域、または、複数のモバイルネットワーク事業者がアクセスすることを許可されている共有された免許無線周波数帯域）における送信のために構成される、技法が説明される。いくつかの例では、無線周波数スペクトル帯域は、セルラー通信（たとえば、Ｌｏｎｇ  Ｔｅｒｍ  Ｅｖｏｌｕｔｉｏｎ（ＬＴＥ）通信および／またはＬＴＥ−Ａｄｖａｎｃｅｄ（ＬＴＥ−Ａ）通信）のために使用され得る。
【００４９】
[0085]セルラーネットワークにおけるデータトラフィックの増加とともに、無線周波数スペクトル帯域への少なくとも一部のデータトラフィックのオフロードは、セルラー事業者（たとえば、公衆陸上移動体ネットワーク（ＰＬＭＮ）および／またはＬＴＥ／ＬＴＥ−Ａネットワークのようなセルラーネットワークを定義する基地局の協調させられたセットの事業者）にデータ送信容量の増強のための機会を与え得る。無線周波数スペクトル帯域にアクセスし、無線周波数スペクトル帯域を通じてデータを通信するより前に、送信装置は、いくつかの例では、無線周波数スペクトル帯域にアクセスするために、ＬＢＴ手順を実行し得る。そのようなＬＢＴ手順は、無線周波数スペクトル帯域のチャネルが利用可能であるかどうかを決定するために、ＣＣＡを実行することを含み得る。チャネルが利用可能ではないと決定されるとき、そのチャネルのためのＣＣＡが後で再び実行され得る。
【００５０】
[0086]説明される技法のいくつかの例では、情報（たとえば、Ｎビットの情報）が、無線周波数スペクトル帯域中のチャネルにアクセスすること（たとえば、そのチャネルを予約すること）を示す信号とともに情報を送信することによって、無線周波数スペクトル帯域中のチャネルを通じて送信され得る。ある例では、情報は、無線周波数スペクトル帯域中のチャネルにアクセスすることを示す信号の一部として送信され得る。別の例では、情報は、無線周波数スペクトル帯域中のチャネルにアクセスすることを示す信号とともに別の信号として送信され得る。送信される情報は、情報に後続する送信を復号する際に受信装置を助け、および／または、受信装置が電力を節約することなどを可能にし得る。
【００５１】
[0087]説明される技法のいくつかの例では、無線周波数スペクトル帯域と関連付けられる基準の境界の前に（たとえば、無線周波数スペクトル帯域と関連付けられる次の直交周波数分割多重化（ＯＦＤＭ）シンボル期間の境界、無線周波数スペクトル帯域と関連付けられるフレームのスロットの境界、および／または、無線周波数スペクトル帯域と関連付けられるフレームのサブフレームの境界の前）に成功したコンテンション手順（たとえば、ＬＢＴ手順）が完了するときに、第１の信号が送信され得る。第１の信号は、第２の信号の開始点を無線周波数スペクトル帯域と関連付けられる基準の境界と揃えるために使用され得る。いくつかの例では、第１の信号の開始は、無線周波数スペクトル帯域の基準の境界と一致しないことがあり、第１の信号の長さは、コンテンション手順が実行されるときと基準の境界（たとえば、次のＯＦＤＭシンボル期間の境界）が発生するときの間のタイミングの変動により、可変であり得る。
【００５２】
[0088]説明される技法のいくつかの例では、１つまたは複数のオーバーヘッドチャネル送信（たとえば、ｅＣＲＳおよび／またはＣＳＩ−ＲＳ送信）が、ＬＢＴ無線フレーム期間の持続時間（たとえば、２ミリ秒、５ミリ秒、および／または１０ミリ秒）とは無関係に、ある周期性で、１つもしくは複数の時間において、ならびに／または１つおよび／もしくは複数の周波数位置において送信され得る。たとえば、１つまたは複数のオーバーヘッドチャネル送信は、サブフレームが発生するＬＢＴ無線フレームの持続時間とは無関係に１つまたは複数のサブフレームの間に行われ得る。
【００５３】
[0089]本明細書で説明される技法は、ＣＤＭＡ、ＴＤＭＡ、ＦＤＭＡ、ＯＦＤＭＡ、ＳＣ−ＦＤＭＡおよび他のシステムなどの様々なワイヤレス通信システムに使用され得る。「システム」および「ネットワーク」という用語はしばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実装し得る。ＣＤＭＡ２０００は、ＩＳ−２０００、ＩＳ−９５およびＩＳ−８５６規格を包含する。ＩＳ−２０００  Ｒｅｌｅａｓｅ０およびＡは一般に、ＣＤＭＡ２０００  １Ｘ、１Ｘなどと呼ばれる。ＩＳ−８５６（ＴＩＡ−８５６）は一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、Ｗｉｄｅｂａｎｄ  ＣＤＭＡ（ＷＣＤＭＡ（登録商標））とＣＤＭＡの他の変形形態とを含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ（登録商標））などの無線技術を実装することができる。ＯＦＤＭＡシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ（登録商標）  Ｌｏｎｇ  Ｔｅｒｍ  Ｅｖｏｌｕｔｉｏｎ（ＬＴＥ）およびＬＴＥ  Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。本明細書で説明された技法は、上述のシステムおよび無線技術、ならびに他のシステムおよび無線技術のために使用され得る。しかしながら、以下の説明では、例としてＬＴＥシステムについて説明し、以下の説明の大部分でＬＴＥ用語が使用されるが、本技法はＬＴＥ適用例以外に適用可能である。
【００５４】
[0090]以下の説明は、例を与えるものであり、特許請求の範囲に記載される範囲、適用可能性、または例を限定するものではない。本開示の趣旨および範囲から逸脱することなく、論じられる要素の機能および配置において変更が行われ得る。様々な例は、適宜、様々な手順またはコンポーネントを省略し、置換し、または追加し得る。たとえば、説明される方法は、説明される順序とは異なる順序で実行されてよく、様々なステップが追加され、省略され、または組み合わされてよい。また、いくつかの例に関して説明される特徴は、他の例では組み合わせられ得る。
【００５５】
[0091]図１は、本開示の様々な態様による、ワイヤレス通信システム１００のブロック図を示す。ワイヤレス通信システム１００は、複数の基地局１０５（たとえば、１つまたは複数のｅＮＢの一部またはすべてを形成する基地局）と、いくつかのＵＥ１１５と、コアネットワーク１３０とを含み得る。基地局１０５のいくつかは、様々な例ではコアネットワーク１３０または基地局１０５のうちのいくつかの一部であり得る、基地局コントローラ（図示せず）の制御下でＵＥ１１５と通信し得る。基地局１０５のいくつかは、バックホール１３２を通じてコアネットワーク１３０と制御情報および／またはユーザデータを通信し得る。いくつかの例では、基地局１０５のいくつかは、有線またはワイヤレス通信リンクであり得るバックホールリンク１３４を通じて、互いに直接または間接的に通信し得る。ワイヤレス通信システム１００は、複数のキャリア（様々な周波数の波形信号）上での動作をサポートし得る。マルチキャリア送信機は、複数のキャリア上で同時に変調された信号を送信し得る。たとえば、各通信リンク１２５は、様々な無線技術に従って変調されたマルチキャリア信号であり得る。各々の変調された信号は、異なるキャリア上で送られてよく、制御情報（たとえば、基準信号、制御チャネルなど）、オーバーヘッド情報、データなどを搬送し得る。
【００５６】
[0092]基地局１０５は、１つまたは複数の基地局アンテナを介して、ＵＥ１１５とワイヤレスに通信し得る。基地局１０５の各々は、それぞれのカバレッジエリア１１０に通信カバレッジを与え得る。いくつかの例では、基地局１０５は、アクセスポイント、基地局装置（ＢＴＳ：base transceiver station）、無線基地局、無線送受信機、基本サービスセット（ＢＳＳ：basic service set）、拡張サービスセット（ＥＳＳ：extended service set）、ＮｏｄｅＢ、ｅｖｏｌｖｅｄ  ＮｏｄｅＢ（ｅＮＢ）、Ｈｏｍｅ  ＮｏｄｅＢ、Ｈｏｍｅ  ｅＮｏｄｅＢ、ＷＬＡＮアクセスポイント、Ｗｉ−Ｆｉノードまたは何らかの他の適切な用語で呼ばれることがある。基地局１０５のためのカバレッジエリア１１０は、カバレッジエリアの一部分のみを構成するセクタに分割され得る。ワイヤレス通信システム１００は、異なるタイプの基地局１０５（たとえば、マクロ基地局、マイクロ基地局、および／またはピコ基地局）を含み得る。基地局１０５はまた、セルラーおよび／またはＷＬＡＮ無線アクセス技術のような、異なる無線技術を利用し得る。基地局１０５は、同じまたは異なるアクセスネットワークまたは事業者展開と関連付けられ得る。同じもしくは異なるタイプの基地局１０５のカバレッジエリアを含み、同じもしくは異なる無線技術を利用し、および／または同じもしくは異なるアクセスネットワークに属する、異なる基地局１０５のカバレッジエリアは、重複することがある。
【００５７】
[0093]いくつかの例では、ワイヤレス通信システム１００は、ＬＴＥ／ＬＴＥ−Ａ通信システム（またはネットワーク）を含んでよく、このＬＴＥ／ＬＴＥ−Ａ通信システムは、免許無線周波数スペクトル帯域（たとえば、特定の用途のために特定のユーザに免許されているので装置がアクセスを争わなくてよい無線周波数スペクトル帯域）および／または免許不要無線周波数スペクトル帯域（たとえば、Ｗｉ−Ｆｉ用途のような免許不要の用途に利用可能であるので装置がアクセスを争う必要があり得る無線周波数スペクトル帯域）における、動作または展開の１つまたは複数のモードをサポートし得る。他の例では、ワイヤレス通信システム１００は、ＬＴＥ／ＬＴＥ−Ａとは異なる１つまたは複数のアクセス技術を使用してワイヤレス通信をサポートし得る。ＬＴＥ／ＬＴＥ−Ａ通信システムでは、ｅｖｏｌｖｅｄ  ＮｏｄｅＢまたはｅＮＢという用語は、たとえば、基地局１０５の複数またはグループを表すために使用され得る。
【００５８】
[0094]ワイヤレス通信システム１００は、異なるタイプの基地局１０５が様々な地理的領域にカバレッジを与える、異種ＬＴＥ／ＬＴＥ−Ａネットワークであってよく、またはそれを含んでよい。たとえば、各基地局１０５は、マクロセル、ピコセル、フェムトセル、および／または他のタイプのセルに通信カバレッジを与え得る。ピコセル、フェムトセル、および／または他のタイプのセルなどのスモールセルは、低電力ノードまたはＬＰＮを含み得る。マクロセルは、たとえば、比較的大きい地理的エリア（たとえば、半径数キロメートル）をカバーし、ネットワークプロバイダのサービスに加入しているＵＥによる無制限アクセスを可能にし得る。ピコセルは、たとえば、比較的小さい地理的エリアをカバーし、ネットワークプロバイダのサービスに加入しているＵＥによる無制限アクセスを可能にし得る。また、フェムトセルは、たとえば、比較的小さい地理的エリア（たとえば、自宅）をカバーし、無制限アクセスに加えて、フェムトセルとの関連を有するＵＥ（たとえば、限定加入者グループ（ＣＳＧ）中のＵＥ、自宅内のユーザのためのＵＥなど）による制限付きアクセスも与え得る。マクロセルのためのｅＮＢは、マクロｅＮＢと呼ばれることがある。ピコセルのためのｅＮＢは、ピコｅＮＢと呼ばれることがある。またフェムトセルのためのｅＮＢは、フェムトｅＮＢまたはホームｅＮＢと呼ばれることがある。ｅＮＢは、１つまたは複数（たとえば、２つ、３つ、４つなど）のセルをサポートし得る。
【００５９】
[0095]コアネットワーク１３０は、バックホール１３２（たとえば、Ｓ１アプリケーションプロトコルなど）を介して基地局１０５と通信し得る。基地局１０５はまた、たとえば、バックホールリンク１３４（たとえば、Ｘ２アプリケーションプロトコルなど）を介して、および／またはバックホール１３２を介して（たとえば、コアネットワーク１３０を通じて）、直接または間接的に互いに通信し得る。ワイヤレス通信システム１００は、同期動作または非同期動作をサポートし得る。同期動作の場合、ｅＮＢは同様のフレームタイミングおよび／またはゲーティングタイミングを有してよく、異なるｅＮＢからの送信は時間的にほぼ揃えられ得る。非同期動作の場合、ｅＮＢは異なるフレームタイミングおよび／またはゲーティングタイミングを有してよく、異なるｅＮＢからの送信は時間的に揃えられないことがある。
【００６０】
[0096]ＵＥ１１５は、ワイヤレス通信システム１００全体にわたって分散していることがある。ＵＥ１１５は、当業者によって、モバイルデバイス、移動局、加入者局、モバイルユニット、加入者ユニット、ワイヤレスユニット、リモートユニット、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、携帯電話、携帯情報端末（ＰＤＡ）、ワイヤレスモデム、ワイヤレス通信デバイス、ハンドヘルドデバイス、タブレットコンピュータ、ラップトップコンピュータ、コードレス電話、時計または眼鏡などのウェアラブルアイテム、ワイヤレスローカルループ（ＷＬＬ）局などであり得る。ＵＥ１１５は、マクロｅＮＢ、ピコｅＮＢ、フェムトｅＮＢ、リレーなどと通信することが可能であり得る。ＵＥ１１５はまた、セルラーもしくは他のＷＷＡＮアクセスネットワーク、またはＷＬＡＮアクセスネットワークのような、異なるタイプのアクセスネットワークを通じて通信することが可能であり得る。ＵＥ１１５とのいくつかの通信モードでは、複数の通信リンク１２５またはチャネル（すなわち、コンポーネントキャリア）を通じて通信が行われてよく、各チャネルはＵＥ１１５といくつかのセル（たとえばサービングセル、これはいくつかの場合には同じまたは異なる基地局１０５によって運用され得る）の１つとの間のコンポーネントキャリアを使用する。
【００６１】
[0097]各コンポーネントキャリアは、免許無線周波数スペクトル帯域または免許不要無線周波数スペクトル帯域で与えられてよく、特定の通信モードで使用されるコンポーネントキャリアのセットは、すべてが、（たとえば、ＵＥ１１５において）免許無線周波数スペクトル帯域で受信されるか、すべてが、（たとえば、ＵＥ１１５において）免許不要無線周波数スペクトル帯域で受信されるか、または（たとえば、ＵＥ１１５において）免許無線周波数スペクトル帯域と免許不要無線周波数スペクトル帯域との組合せで受信され得る。
【００６２】
[0098]ワイヤレス通信システム１００に示される通信リンク１２５は、アップリンク（ＵＬ）通信（たとえば、ＵＥ１１５から基地局１０５への送信）を搬送するためのアップリンクチャネル（コンポーネントキャリアを使用した）、および／または、ダウンリンク（ＤＬ）通信（たとえば、基地局１０５からＵＥ１１５への送信）を搬送するためのダウンリンクチャネル（コンポーネントキャリアを使用した）を含み得る。ＵＬ通信または送信は逆方向リンク通信または送信と呼ばれることもあり、一方、ＤＬ通信または送信は順方向リンク通信または送信と呼ばれることもある。ダウンリンク通信および／またはアップリンク通信は、免許無線周波数スペクトル帯域、免許不要無線周波数スペクトル帯域、またはその両方を使用して行われ得る。
【００６３】
[0099]ワイヤレス通信システム１００のいくつかの例では、ＬＴＥ／ＬＴＥ−Ａは、免許不要無線周波数スペクトル帯域を使用する様々な状況の下で展開され得る。展開の状況は、免許無線周波数スペクトル帯域におけるＬＴＥ／ＬＴＥ−Ａダウンリンク通信が免許不要無線周波数スペクトル帯域にオフロードされ得る補助ダウンリンクモード、ＬＴＥ／ＬＴＥ−Ａダウンリンク通信とＬＴＥ／ＬＴＥ−Ａアップリンク通信の両方が免許無線周波数スペクトル帯域から免許不要無線周波数スペクトル帯域にオフロードされ得るキャリアアグリゲーションモード、ならびに／または、基地局１０５とＵＥ１１５との間のＬＴＥ／ＬＴＥ−Ａダウンリンク通信およびＬＴＥ／ＬＴＥ−Ａアップリンク通信が免許不要無線周波数スペクトル帯域において行われ得るスタンドアロンモードを含み得る。基地局１０５およびＵＥ１１５は、いくつかの例では、これらまたは同様の動作モードの１つまたは複数をサポートし得る。ＯＦＤＭＡ波形は、免許無線周波数スペクトル帯域および／または免許不要無線周波数スペクトル帯域におけるＬＴＥ／ＬＴＥ−Ａダウンリンク通信のための通信リンク１２５において使用されてよく、ＯＦＤＭＡ、ＳＣ−ＦＤＭＡ、および／またはリソースブロックがインターリーブされたＦＤＭＡ波形は、免許無線周波数スペクトル帯域および／または免許不要無線周波数スペクトル帯域におけるＬＴＥ／ＬＴＥ−Ａアップリンク通信のための通信リンク１２５において使用されてよい。
【００６４】
[0100]図２は、本開示の様々な態様による、ＬＴＥ／ＬＴＥ−Ａが、免許不要無線周波数スペクトル帯域を使用する様々な状況の下で展開されるワイヤレス通信システム２００を示す。より具体的には、図２は、ＬＴＥ／ＬＴＥ−Ａが免許不要無線周波数スペクトル帯域を使用して展開される、補助ダウンリンクモード、キャリアアグリゲーションモード、およびスタンドアロンモードの例を示す。ワイヤレス通信システム２００は、図１を参照して説明されたワイヤレス通信システム１００の部分の例であり得る。その上、第１の基地局２０５および第２の基地局２０５−ａは、図１を参照して説明された基地局１０５の１つまたは複数の態様の例であってよく、第１のＵＥ２１５、第２のＵＥ２１５−ａ、第３のＵＥ２１５−ｂ、および第４のＵＥ２１５−ｃは、図１を参照して説明されたＵＥ１１５の１つまたは複数の態様の例であってよい。
【００６５】
[0101]ワイヤレス通信システム２００における補助ダウンリンクモードの例では、第１の基地局２０５は、ダウンリンクチャネル２２０を使用して第１のＵＥ２１５にＯＦＤＭＡ波形を送信し得る。ダウンリンクチャネル２２０は、免許不要無線周波数スペクトル帯域における周波数Ｆ１と関連付けられ得る。第１の基地局２０５は、第１の双方向リンク２２５を使用して第１のＵＥ２１５にＯＦＤＭＡ波形を送信することができ、第１の双方向リンク２２５を使用して第１のＵＥ２１５からＳＣ−ＦＤＭＡ波形を受信することができる。第１の双方向リンク２２５は、免許無線周波数スペクトル帯域における周波数Ｆ４と関連付けられ得る。免許不要無線周波数スペクトル帯域におけるダウンリンクチャネル２２０および免許無線周波数スペクトル帯域における第１の双方向リンク２２５は、同時に動作し得る。ダウンリンクチャネル２２０は、第１の基地局２０５のためにダウンリンク容量オフロードを提供し得る。いくつかの例では、ダウンリンクチャネル２２０は、（たとえば、１つのＵＥに宛てられる）ユニキャストサービスのために、または（たとえば、いくつかのＵＥに宛てられる）マルチキャストサービスのために使用され得る。この状況は、免許無線周波数スペクトル帯域を使用し、トラフィックおよび／またはシグナリングの混雑の一部を緩和する必要がある、任意のサービスプロバイダ（たとえば、モバイルネットワーク事業者（ＭＮＯ））に対して生じ得る。
【００６６】
[0102]ワイヤレス通信システム２００におけるキャリアアグリゲーションモードの一例では、第１の基地局２０５は、第２の双方向リンク２３０を使用して第２のＵＥ２１５−ａにＯＦＤＭＡ波形を送信することができ、第２の双方向リンク２３０を使用して第２のＵＥ２１５−ａからＯＦＤＭＡ波形、ＳＣ−ＦＤＭＡ波形、および／またはリソースブロックがインターリーブされたＦＤＭＡ波形を受信することができる。第２の双方向リンク２３０は、免許不要無線周波数スペクトル帯域における周波数Ｆ１と関連付けられ得る。第１の基地局２０５はまた、第３の双方向リンク２３５を使用して第２のＵＥ２１５−ａにＯＦＤＭＡ波形を送信することができ、第３の双方向リンク２３５を使用して第２のＵＥ２１５−ａからＳＣ−ＦＤＭＡ波形を受信することができる。第３の双方向リンク２３５は、免許無線周波数スペクトル帯域における周波数Ｆ２と関連付けられ得る。第２の双方向リンク２３０は、第１の基地局２０５のためにダウンリンクおよびアップリンクの容量オフロードを提供し得る。上で説明された補助ダウンリンクのように、この状況は、免許無線周波数スペクトルを使用しトラフィックおよび／またはシグナリングの混雑の一部を緩和する必要がある、任意のサービスプロバイダ（たとえば、ＭＮＯ）に対して生じ得る。
【００６７】
[0103]ワイヤレス通信システム２００におけるキャリアアグリゲーションモードの別の例では、第１の基地局２０５は、第４の双方向リンク２４０を使用して第３のＵＥ２１５−ｂにＯＦＤＭＡ波形を送信することができ、第４の双方向リンク２４０を使用して第３のＵＥ２１５−ｂからＯＦＤＭＡ波形、ＳＣ−ＦＤＭＡ波形、および／またはリソースブロックがインターリーブされた波形を受信することができる。第４の双方向リンク２４０は、免許不要無線周波数スペクトル帯域における周波数Ｆ３と関連付けられ得る。第１の基地局２０５はまた、第５の双方向リンク２４５を使用して第３のＵＥ２１５−ｂにＯＦＤＭＡ波形を送信することができ、第５の双方向リンク２４５を使用して第３のＵＥ２１５−ｂからＳＣ−ＦＤＭＡ波形を受信することができる。第５の双方向リンク２４５は、免許無線周波数スペクトル帯域における周波数Ｆ２と関連付けられ得る。第４の双方向リンク２４０は、第１の基地局２０５のためにダウンリンクおよびアップリンクの容量オフロードを提供し得る。この例および上で与えられた例は説明の目的で提示され、容量オフロードのために、免許無線周波数スペクトルにおけるＬＴＥ／ＬＴＥ−Ａと共有アクセス無線周波数スペクトルにおけるＬＴＥ／ＬＴＥ−Ａとを組み合わせる他の同様の動作モードまたは展開シナリオがあり得る。
【００６８】
[0104]上で説明されたように、共有アクセス無線周波数スペクトルにおけるＬＴＥ／ＬＴＥ−Ａを使用することによって提供される容量オフロードから恩恵を受け得る１つのタイプのサービスプロバイダは、ＬＴＥ／ＬＴＥ−Ａ免許無線周波数スペクトル帯域へのアクセス権を有する従来のＭＮＯである。これらのサービスプロバイダについて、動作の例は、免許無線周波数スペクトル帯域上のＬＴＥ／ＬＴＥ−Ａ主要コンポーネントキャリア（ＰＣＣ）と免許不要無線周波数スペクトル帯域上の少なくとも１つの二次的コンポーネントキャリア（ＳＣＣ）とを使用するブートストラップモード（たとえば、補助ダウンリンク、キャリアアグリゲーション）を含み得る。
【００６９】
[0105]キャリアアグリゲーションモードでは、たとえば、免許無線周波数スペクトルにおいて（たとえば、第１の双方向リンク２２５、第３の双方向リンク２３５、および第５の双方向リンク２４５を介して）データおよび制御が通信され得るが、たとえば、免許不要の無線周波数スペクトル帯域において（たとえば、第２の双方向リンク２３０および第４の双方向リンク２４０を介して）データが通信され得る。共有アクセス無線周波数スペクトルを使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションに属し得る。
【００７０】
[0106]ワイヤレス通信システム２００におけるスタンドアロンモードの一例では、第２の基地局２０５−ａは、双方向リンク２５０を使用して第４のＵＥ２１５−ｃにＯＦＤＭＡ波形を送信することができ、双方向リンク２５０を使用して第４のＵＥ２１５−ｃからＯＦＤＭＡ波形、ＳＣ−ＦＤＭＡ波形、および／またはリソースブロックがインターリーブされたＦＤＭＡ波形を受信することができる。双方向リンク２５０は、免許不要無線周波数スペクトル帯域における周波数Ｆ３と関連付けられ得る。スタンドアロンモードは、スタジアム内アクセス（たとえば、ユニキャスト、マルチキャスト）のような、非従来型のワイヤレスアクセスの状況において使用され得る。この動作モードのためのサービスプロバイダのタイプの例は、免許無線周波数スペクトル帯域へのアクセスを有しないスタジアム所有者、ケーブル会社、イベント主催者、ホテル、企業、または大企業であり得る。
【００７１】
[0107]いくつかの例では、図１および／または図２を参照して説明された基地局１０５、２０５、および／または２０５−ａの１つのような送信装置、および／または、図１および／または図２を参照して説明されたＵＥ１１５、２１５、２１５−ａ、２１５−ｂ、および／または２１５−ｃの１つは、免許不要無線周波数スペクトル帯域のチャネルに（たとえば、免許不要無線周波数スペクトル帯域の物理チャネルに）アクセスするためにゲーティング間隔を使用し得る。ゲーティング間隔は、欧州電気通信標準化機構（ＥＴＳＩ）（ＥＮ３０１  ８９３）において指定されているＬＢＴプロトコルに基づくＬＢＴプロトコルのような、コンテンションベースのプロトコルの適用を定義し得る。ＬＢＴプロトコルの適用を定義するゲーティング間隔を使用するとき、ゲーティング間隔は、送信装置がクリアチャネルアセスメント（ＣＣＡ）手順のようなコンテンション手順を実行する必要があるときを示し得る。ＣＣＡ手順の結果は、免許不要無線周波数スペクトル帯域のチャネルが（ＬＢＴ無線フレームまたはＣＣＡフレームとも呼ばれる）ゲーティング間隔のために利用可能であるかまたは使用中であるかを送信デバイスに示し得る。チャネルが、対応するＬＢＴ無線フレームのために利用可能である（たとえば、使用のために「空いている」）ことをＣＣＡ手順が示すとき、送信装置は、ＬＢＴ無線フレームの一部またはすべての間に免許不要無線周波数スペクトル帯域のチャネルを予約および／または使用し得る。チャネルが利用可能ではないこと（たとえば、チャネルが別の装置によって使用中であるまたは予約されていること）をＣＣＡ手順が示すとき、送信装置は、ＬＢＴ無線フレームの間にチャネルを使用することを妨げられ得る。
【００７２】
[0108]いくつかの場合、送信装置が周期的にゲーティング間隔を生成し、ゲーティング間隔の少なくとも１つの境界を周期的なフレーム構造の少なくとも１つの境界と同期することが有用であり得る。たとえば、免許不要無線周波数スペクトル帯域におけるセルラーダウンリンクのための周期的なゲーティング間隔を生成し、周期的なゲーティング間隔の少なくとも１つの境界をセルラーダウンリンクと関連付けられる周期的なフレーム構造（たとえば、周期的なＬＴＥ／ＬＴＥ−Ａ無線フレーム構造）の少なくとも１つの境界と同期することが有用であり得る。そのような同期の例が図３に示される。
【００７３】
[0109]図３は、本開示の様々な態様による、免許不要無線周波数スペクトル帯域におけるセルラーダウンリンクのためのゲーティング間隔（またはＬＢＴ無線フレーム）の例３００を示す。第１のゲーティング間隔３０５、第２のゲーティング間隔３１５、および／または第３のゲーティング間隔３２５は、免許不要無線周波数スペクトル帯域を通じた送信をサポートするｅＮＢまたはＵＥによって周期的なゲーティング間隔として使用され得る。そのようなｅＮＢの例は、図１および／または図２を参照して説明された基地局１０５、２０５、および／または２０５−ａを含んでよく、そのようなＵＥの例は、図１および／または図２を参照して説明されたＵＥ１１５、２１５、２１５−ａ、２１５−ｂ、および／または２１５−ｃを含んでよい。いくつかの例では、第１のゲーティング間隔３０５、第２のゲーティング間隔３１５、および／または第３のゲーティング間隔３２５は、図１および／または図２を参照して説明されたワイヤレス通信システム１００および／または２００とともに使用され得る。
【００７４】
[0110]例として、第１のゲーティング間隔３０５の持続時間は、セルラーダウンリンクと関連付けられる周期的なフレーム構造のＬＴＥ／ＬＴＥ−Ａ無線フレーム３１０の持続時間に等しい（またはそれにほぼ等しい）ことが示されている。いくつかの例では、「ほぼ等しい」は、第１のゲーティング間隔３０５の持続時間が、周期的なフレーム構造の持続時間のサイクリックプレフィックス（ＣＰ）持続時間内にあることを意味する。
【００７５】
[0111]第１のゲーティング間隔３０５の少なくとも１つの境界は、ＬＴＥ／ＬＴＥ−Ａ無線フレームＮ−１〜Ｎ＋１を含む周期的なフレーム構造の少なくとも１つの境界と同期され得る。いくつかの場合、第１のゲーティング間隔３０５は、周期的なフレーム構造のフレーム境界と揃えられた境界を有し得る。他の場合には、第１のゲーティング間隔３０５は、周期的なフレーム構造のフレーム境界と同期されるが、それからオフセットされた境界を有し得る。たとえば、第１のゲーティング間隔３０５の境界は、周期的なフレーム構造のサブフレーム境界と、または周期的なフレーム構造のサブフレーム中間点境界（たとえば、特定のサブフレームの中間点）と揃えられ得る。
【００７６】
[0112]いくつかの場合、周期的なフレーム構造は、ＬＴＥ／ＬＴＥ−Ａ無線フレームＮ−１〜Ｎ＋１を含み得る。各ＬＴＥ／ＬＴＥ−Ａ無線フレーム３１０は、たとえば、１０ミリ秒の持続時間を有してよく、第１のゲーティング間隔３０５も１０ミリ秒の持続時間を有してよい。これらの場合、第１のゲーティング間隔３０５の境界は、ＬＴＥ／ＬＴＥ−Ａ無線フレームの１つ（たとえば、ＬＴＥ／ＬＴＥ−Ａ無線フレーム（Ｎ））の境界（たとえば、フレーム境界、サブフレーム境界、またはサブフレーム中間点境界）と同期され得る。
【００７７】
[0113]例として、第２のゲーティング間隔３１５および第３のゲーティング間隔３２５の持続時間は、セルラーダウンリンクと関連付けられる周期的なフレーム構造の持続時間の約数（または、その近似的な約数）であることが示されている。いくつかの例では、「の近似的な約数」は、第２のゲーティング間隔３１５および／または第３のゲーティング間隔３２５の持続時間が、周期的なフレーム構造の約数（たとえば、１／２または１／５）の持続時間のサイクリックプレフィックス（ＣＰ）持続時間内にあることを意味する。たとえば、第２のゲーティング間隔３１５は５ミリ秒の持続時間を有することがあり、第３のゲーティング間隔３２５は２ミリ秒の持続時間を有することがある。第２のゲーティング間隔３１５または第３のゲーティング間隔３２５は、そのより短い持続時間が免許不要無線周波数スペクトル帯域のより頻繁な共有を容易にし得るので、第１のゲーティング間隔３０５よりも有利であり得る。
【００７８】
[0114]図４は、本開示の様々な態様による、免許不要無線周波数スペクトル帯域を通じたワイヤレス通信４１０の例４００を示す。図３を参照して説明される第１のゲーティング間隔３０５のようなゲーティング間隔に対応し得るＬＢＴ無線フレーム４１５は、１０ミリ秒の持続時間を有してよく、いくつかのダウンリンクサブフレーム４２０と、いくつかのアップリンクサブフレーム４２５と、２つのタイプの特別なサブフレーム、Ｓサブフレーム４３０およびＳ’サブフレーム４３５とを含んでよい。Ｓサブフレーム４３０は、ダウンリンクサブフレーム４２０とアップリンクサブフレーム４２５との間の遷移を提供することができ、一方、Ｓ’サブフレーム４３５は、アップリンクサブフレーム４２５とダウンリンクサブフレーム４２０との間の遷移を提供することができる。Ｓ’サブフレーム４３５の間に、図１および／または図２を参照して説明された基地局１０５、２０５、および／または２０５−ａの１つまたは複数のような、１つまたは複数の基地局によって、ワイヤレス通信４１０が行われるチャネルをある期間の時間の間予約するために、ダウンリンククリアチャネルアセスメント（ＤＣＣＡ）手順４４０が実行され得る。基地局によるＤＣＣＡ手順４４０の成功に続いて、基地局は、基地局がチャネルを予約したという指示を他の基地局および／または装置（たとえば、ＵＥ、Ｗｉ−Ｆｉアクセスポイントなど）に提供するために、チャネル使用ビーコン信号（ＣＵＢＳ）４４５を送信し得る。いくつかの例では、ＣＵＢＳ４４５は、複数のインターリーブされたリソースブロックを使用して送信され得る。この方式でＣＵＢＳ４４５を送信することで、ＣＵＢＳ４４５は、免許不要無線周波数スペクトル帯域中の利用可能な周波数帯域幅の少なくともある割合を占有し、１つまたは複数の規制上の要件（たとえば、ＣＵＢＳ４４５が利用可能な周波数帯域幅の少なくとも８０％を占有するという要件）を満たすことが可能になり得る。ＣＵＢＳ４４５は、いくつかの例では、ＬＴＥ／ＬＴＥ−Ａセル固有基準信号（ＣＲＳ）および／またはチャネル状態情報基準信号（ＣＳＩ−ＲＳ）の形態と同様の形態をとり得る。
【００７９】
[0115]Ｓ’サブフレーム４３５は、図４では０〜１３の番号を付された、１４個のＯＦＤＭシンボルを含み得る。Ｓ’サブフレーム４３５の第１の部分、この例ではシンボル０〜５は、ＬＴＥ／ＬＴＥ−Ａ通信規格との互換性のために必要とされ得る、サイレントＤＬ期間として基地局によって使用され得る。したがって、基地局は、サイレントＤＬ期間中にデータを送信しないことがあるが、ＵＥは、サイレントＤＬ期間中に何らか量のアップリンクデータを送信し得る。Ｓ’サブフレーム４３５の第２の部分は、ＤＣＣＡ手順４４０のために使用され得る。例４００では、Ｓ’サブフレーム４３５は、シンボル６〜１２中に含まれる７つのＤＣＣＡスロットを含む。様々なネットワーク事業者によるＤＣＣＡスロットの使用は、より効率的なシステム動作を提供するように協調させられ得る。いくつかの例では、ＤＣＣＡ手順４４０を実行するために７つの可能なＤＣＣＡＴスロットのいずれを使用すべきかを決定するために、基地局１０５は、以下の形式のマッピング関数を評価し得る。
【００８０】
【数１】
2019216444.tif 000003
【００８１】
ここで、ＧｒｏｕｐＩＤは、基地局１０５に割り当てられた「展開グループｉｄ」であり、ｔは、ＤＣＣＡ手順４４０が実行されるゲーティング間隔またはフレームに対応するＬＢＴ無線フレーム番号である。
【００８２】
[0116]図５は、本開示の様々な態様による、免許不要無線周波数スペクトル帯域を通じたワイヤレス通信５１０の例５００を示す。図３を参照して説明される第１のゲーティング間隔３０５のようなゲーティング間隔に対応し得るＬＢＴ無線フレーム５１５、および／または図４を参照して説明されるＬＢＴ無線フレーム４１５は、１０ミリ秒の持続時間を有してよく、いくつかのダウンリンクサブフレーム５２０と、いくつかのアップリンクサブフレーム５２５と、２つのタイプの特別なサブフレーム（たとえば、Ｓサブフレーム５３０およびＳ’サブフレーム５３５とを含んでよい。Ｓサブフレーム５３０は、ダウンリンクサブフレーム５２０とアップリンクサブフレーム５２５との間の遷移を提供することができ、一方、Ｓ’サブフレーム５３５は、アップリンクサブフレーム５２５とダウンリンクサブフレーム５２０との間の遷移を提供することができる。Ｓサブフレーム５３０の間に、図１および／または図２を参照して上で説明されたＵＥ１１５、２１５、２１５−ａ、２１５−ｂ、および／または２１５−ｃの１つまたは複数のような、１つまたは複数のＵＥによって、ワイヤレス通信５１０が行われるチャネルをある期間の時間の間予約するために、アップリンクＣＣＡ（ＵＣＣＡ）手順５４０が実行され得る。ＵＥによるＵＣＣＡ手順５４０の成功に続いて、ＵＥは、ＵＥがチャネルを予約したという指示を他のＵＥおよび／または装置（たとえば、基地局、Ｗｉ−Ｆｉアクセスポイントなど）に提供するために、ＣＵＢＳ５４５を送信し得る。いくつかの例では、ＣＵＢＳ５４５は、複数のインターリーブされたリソースブロックを使用して送信され得る。この方式でＣＵＢＳ５４５を送信することで、ＣＵＢＳ５４５は、免許不要無線周波数スペクトル帯域中の利用可能な周波数帯域幅の少なくともある割合を占有し、１つまたは複数の規制上の要件（たとえば、ＣＵＢＳ５４５が利用可能な周波数帯域幅の少なくとも８０％を占有するという要件）を満たすことが可能になり得る。ＣＵＢＳ５４５は、いくつかの例では、ＬＴＥ／ＬＴＥ−Ａセル固有基準信号（ＣＲＳ）および／またはチャネル状態情報基準信号（ＣＳＩ−ＲＳ）の形態と同様の形態をとり得る。
【００８３】
[0117]Ｓサブフレーム５３０は、図５では０〜１３の番号を付された、１４個のＯＦＤＭシンボルを含み得る。Ｓサブフレーム５３０の第１の部分、この例ではシンボル０〜３は、ダウンリンクパイロットタイムスロット（ＤｗＰＴＳ）５５０として使用されてよく、Ｓサブフレーム５３０の第２の部分はガード期間（ＧＰ）５５５として使用されてよい。Ｓサブフレーム５３０の第３の部分は、ＵＣＣＡ手順５４０のために使用され得る。例５００では、Ｓサブフレーム５３０は、シンボル６〜１２中に含まれる７つのＵＣＣＡスロットを含む。様々なＵＥによるＵＣＣＡスロットの使用は、より効率的なシステム動作を提供するために協調させられ得る。いくつかの例では、ＵＣＣＡ手順５４０を実行するために７つの可能なＵＣＣＡスロットのいずれを使用すべきかを決定するために、ＵＥは、以下の形式のマッピング関数を評価し得る。
【００８４】
【数２】
2019216444.tif 000004
【００８５】
ここで、ＧｒｏｕｐＩＤは、ＵＥに割り当てられた「展開グループｉｄ」であり、ｔは、ＵＣＣＡ手順５４０が実行されるフレームに対応するＬＢＴ無線フレーム番号である。
【００８６】
[0118]ＤＣＣＡ手順４４０および／またはＵＣＣＡ手順５４０のためのマッピング関数は、マッピング関数が直交の性質を有するか非直交の性質を有するかに応じて、異なる基準に基づいて構成され得る。直交ＬＢＴアクセスを用いる例では、マッピング関数は、以下に従った直交の性質を有し得る。
【００８７】
【数３】
2019216444.tif 000005
【００８８】
すべての時間ｔに対して、ｘ≠ｙであるときは常に異なるグループｉｄを表す。この場合、異なるグループｉｄを有する基地局および／またはＵＥは、重複しないＣＣＡスロットの間にＣＣＡ手順（たとえば、ＤＣＣＡ手順４４０および／またはＵＣＣＡ手順５４０）を実行することができる。干渉がない場合、より前のＣＣＡスロットにマッピングするグループｉｄを有する基地局またはＵＥは、ある期間の時間の間チャネルを確保し得る。様々な展開によれば、このマッピング関数は、様々な時間インデックスｔにわたって、異なるグループｉｄが適切に長い時間間隔にわたってより前のＣＣＡスロットにマッピングする等しい機会を有する（したがって、他の干渉がない場合にチャネルを確保する）ように、マッピング｛ＦD/U（ｘ，ｔ），ｔ＝１，２，３，．．．｝が変化するという意味で公正である。
【００８９】
[0119]同じネットワーク事業者／サービスプロバイダによって展開されるすべての基地局およびＵＥは、それらがコンテンションプロセスにおいて互いを先取りしないように、同じグループｉｄを割り当てられ得る。これにより、同じ展開の基地局とＵＥとの間で完全な周波数再利用が可能になり、システムスループットの向上につながる。異なる展開の基地局および／またはＵＥは、直交ＣＣＡスロットマッピングによって、チャネルへのアクセスが相互に排他的になるように、異なるグループｉｄを割り当てられ得る。
【００９０】
[0120]直交しないＣＣＡスロットアクセスまたは重複するＣＣＡスロットアクセスを伴う例では、マッピング関数は、８つ以上のグループｉｄを許容し得る。いくつかの状況では、たとえば、８つ以上の展開グループｉｄをサポートすることが有用であることがあり、その場合、ＣＣＡスロットマッピング関数の直交の性質を維持することが可能ではない。そのような場合、任意の２つのグループｉｄ間の競合の頻度を下げることが望ましいことがある。いくつかの例では、直交しないＣＣＡスロットマッピングシーケンスはまた、ＬＢＴの機会についての緊密な協調を伴わずに、複数の展開の間で公平なチャネルアクセスを与えるために使用され得る。直交しないＣＣＡスロットマッピングシーケンスの一例は、以下によって与えられる。
【００９１】
【数４】
2019216444.tif 000006
【００９２】
ここで、Ｒ1,7（ｘ，ｔ）は、ＧｒｏｕｐＩＤ  ｘについて独立して選ばれる１と７の間の擬似乱数生成器である。この場合、同じＬＢＴ無線フレームｔにおける異なるＧｒｏｕｐＩＤの基地局および／またはＵＥ間に潜在的な競合があり得る。
【００９３】
[0121]したがって、ＣＣＡスロットは、上記のマッピング関数に従って選択され、ＤＣＣＡ手順４４０および／またはＵＣＣＡ手順５４０のために使用され得る。
【００９４】
[0122]図４および図５の各々において、ＤＣＣＡ手順４４０の実行の成功と、ＤＣＣＡ手順４４０が実行された送信期間の開始との間の期間（たとえば、図４参照）、または、ＵＣＣＡ手順５４０の実行の成功と、ＵＣＣＡ手順５４０が実行された送信期間の開始との間の期間（たとえば、図５参照）が、プリアンブルと呼ばれ得る。ＤＣＣＡ手順４４０またはＵＣＣＡ手順５４０がいつ実行されるかは可変であるので、プリアンブルの長さは変化し得る。しかしながら、図４および図５に示される例の各々において、プリアンブルは、ＣＵＢＳ４４５（たとえば、図４参照）またはＣＵＢＳ５４５（たとえば、図５参照）の後続の送信を終了させる。
【００９５】
[0123]図６は、本開示の様々な態様による、免許不要無線周波数スペクトル帯域における同期する事業者のＣＣＡ免除送信（ＣＥＴ）のためのリソース割振りの例６００を示す。ＣＥＴは、免許不要無線周波数スペクトル帯域に最初にアクセスするためにＣＣＡ（たとえば、ＤＣＣＡまたはアップリンクＣＣＡ（ＵＣＣＡ））を実行する必要なく、行われ得る。代わりに、事業者は、ＣＥＴを送信する目的でＣＣＡを実行することを免除される。
【００９６】
[0124]示されるように、ＣＥＴのためのリソース６０５の割振りは、たとえば、８０ミリ秒（８０ｍｓ）に１回、またはＣＥＴ期間ごとに１回行われてよく、ここでＣＥＴ期間は設定可能な周期性を有し得る。免許不要無線周波数スペクトル帯域中のいくつかの事業者（たとえば、異なるＰＬＭＮ）の各々は、ＣＥＴを送信するための別の１つのサブフレーム（示されている）または複数のサブフレーム（示されていない）を与えられ得る。例として、図６は、７つの異なる事業者（たとえば、事業者ＰＬＭＮ１、ＰＬＭＮ２、…、ＰＬＭＮ７）に対する隣接ＣＥＴサブフレームを示す。そのようなＣＥＴ送信フレームワークは、基地局とＵＥとの間のダウンリンクおよび／またはアップリンクに適用可能であり得る。
【００９７】
[0125]ＬＢＴ−ＬＢＥプロトコルのいくつかの例では、送信装置はＣＣＡ手順を実行し、ＣＣＡ手順が成功すると、免許不要無線周波数スペクトル帯域のチャネルを通じた送信を直ちに開始することができる。しかしながら、ＣＣＡ手順が成功しないとき、送信装置は、１とｑの間のランダムな整数Ｎを選択することによって、拡張ＣＣＡ手順を実行することができ、ここでｑは事業者またはベンダーによって告知される４≦ｑ≦３２の値を有する。ランダムな整数Ｎの値を選択すると、送信装置は、免許不要無線周波数スペクトル帯域のチャネルが空いていることが判明するＮ回のＣＣＡ手順のために、免許不要無線周波数スペクトル帯域にアクセスするのを待機することができる。Ｎ回のＣＣＡ手順のために免許不要無線周波数スペクトル帯域のチャネルが空いていることが判明すると、送信装置は、別の拡張ＣＣＡ手順を実行しなければならなくなるまで、最大で（１３／３２）×ｑミリ秒（ｍｓｅｃ）の間、免許不要無線周波数スペクトル帯域を通じて送信することができる。したがって、（１３／３２）×ｑ  ｍｓｅｃの送信時間が、最大のチャネル占有時間（すなわち、ＭａｘＣｈａｎｎｅｌＯｃｃｕｐａｎｃｙＴｉｍｅ）である。送信機からの送信を受信すると、受信機は、最後の成功したＣＣＡ手順または拡張ＣＣＡ手順がＭａｘＣｈａｎｎｅｌＯｃｃｕｐａｎｃｙＴｉｍｅ前よりも最近に実行されていれば、肯定応答／否定応答（ＡＣＫ／ＮＡＣＫ）送信を直ちに開始することができる。
【００９８】
[0126]大半の条件下では、送信装置によるＬＢＴ−ＦＢＥプロトコルの使用は、免許不要無線周波数スペクトル帯域への十分なアクセスを提供する。ＬＢＴ−ＦＢＥプロトコルの使用は、同じ事業者と関連付けられる基地局またはｅＮＢの間で周波数の再使用１を可能にするという点で有利でありうる。しかしながら、いくつかの状況では、１つまたは複数のＷｉ−Ｆｉノードが、免許不要無線周波数スペクトル帯域のチャネルにＬＴＥ／ＬＴＥ−Ａノードがアクセスするのを防ぎ得る。これらの状況では、ＬＢＴ−ＬＢＥプロトコルの使用は、送信装置がＬＢＴ−ＬＢＥプロトコルを利用するときに免許不要無線周波数スペクトル帯域にアクセスすることを継続的に試み得るという点で、（ＬＢＴ−ＬＢＥプロトコルの使用がいくつかの条件では周波数の再使用１を妨げ得るという事実にもかかわらず）ＬＢＴ−ＦＢＥプロトコルよりも有利であり得る。たとえば、送信装置は、Ｎ回のＣＣＡ手順のランダムな持続時間の間、しかしパラメータｑによって制御される最大の持続時間の間、媒体にアクセスすることを試み得る。ｑのより小さな値は、最大の拡張ＣＣＡ手順の持続時間がより短いことと、無線フレームの長さがより短いこととを示唆する。ＬＴＢ−ＦＢＥプロトコルと比較したＬＢＴ−ＬＢＥプロトコルの１つの欠点は、拡張ＣＣＡ手順が基礎とするランダムな整数Ｎが、複数の送信機の非同期の動作をもたらし、非効率な動作（たとえば、次元の喪失）につながる可能性があるということである。
【００９９】
[0127]大半の条件のもとでＬＢＴ−ＦＢＥプロトコルを使用し、必要なときにＬＢＴ−ＬＢＥプロトコルを使用することが可能な送信装置は、いくつかのワイヤレス通信システムにおいて有用であり得る。そのような送信装置は、ＬＢＴ−ＦＢＥプロトコルまたはＬＢＴ−ＬＢＥプロトコルのいずれかを使用するときに同一または同様のＬＢＴ無線フレーム構造を使用することができるが、異なるプロトコルに対してはいくらか異なるＣＣＡ手順を使用することができる。いくつかの例では、ＬＢＴ−ＬＢＥプロトコルおよびＬＢＴ−ＦＢＥプロトコルによって使用されるＣＣＡ手順（たとえば、アクセス手順）の差は、３ＧＰＰ規格では定義されないことがあり、むしろ対応するＥＴＳＩ文書において定義されることがある。
【０１００】
[0128]図７は、本開示の様々な態様による、免許不要無線周波数スペクトル帯域を通じたワイヤレス通信のタイミング図７００を示す。いくつかの例では、免許不要無線周波数スペクトル帯域は、無線周波数スペクトル帯域が免許不要の用途（たとえば、免許不要無線周波数スペクトル帯域におけるＷｉ−Ｆｉ用途および／またはＬＴＥ／ＬＴＥ−Ａ用途）に少なくとも一部利用可能であるので装置がアクセスを争う必要があり得る、無線周波数スペクトル帯域であり得る。
【０１０１】
[0129]例として、図７に示されるワイヤレス通信は、事業者１、事業者２、およびＷｉ−Ｆｉノードによる通信（または送信（Ｔｘ））を含む。さらなる例として、事業者１および事業者２の送信機、さらにはＷｉ−Ｆｉノードは、互いにＣＣＡの範囲内にあり得る。事業者１は、免許不要無線周波数スペクトル帯域を通じてＣＣＡ免除送信（ＣＥＴ）７０５を、それに続いて、第１の数の無線フレーム（たとえば、無線フレームＦＲ＿０１、ＦＲ＿１１、ＦＲ＿２１、および／またはＦＲ＿３１）を送信することができる。事業者２は、免許不要無線周波数スペクトル帯域を通じてＣＥＴ７１０を、それに続いて、第２の数の無線フレーム（たとえば、無線フレームＦＲ＿０２および／またはＦＲ＿１２）を送信することができる。Ｗｉ−Ｆｉノードはまた、免許不要無線周波数スペクトル帯域を通じて送信することができる（たとえば、Ｗｉ−Ｆｉと呼ばれる送信）。事業者１と関連付けられる送信機が免許不要無線周波数スペクトル帯域のチャネルを通じて送信しているとき、事業者２およびＷｉ−Ｆｉノードは、免許不要無線周波数スペクトル帯域のチャネルにアクセスするのを防がれ得る。事業者２と関連付けられる送信機が免許不要無線周波数スペクトル帯域のチャネルを通じて送信しているとき、事業者１の送信機およびＷｉ−Ｆｉノードは、免許不要無線周波数スペクトル帯域のチャネルにアクセスするのを防がれ得る。Ｗｉ−Ｆｉノードが免許不要無線周波数スペクトル帯域のチャネルを通じて送信しているとき、事業者１および事業者２と関連付けられる送信機は、免許不要無線周波数スペクトル帯域のチャネルにアクセスするのを防がれ得る。
【０１０２】
[0130]いくつかの例では、事業者１および事業者２の送信機は、ＮｘＣＣＡと呼ばれる拡張ＣＣＡ手順を実行することによって、免許不要無線周波数スペクトル帯域（またはそのチャネル）にアクセスすることができる。アクセスは、拡張ＣＣＡ手順が成功したとき（Ｅｘｔ  ＣＣＡ  Ｓｕｃｃｅｓｓと呼ばれる）だけ得られる。
【０１０３】
[0131]いくつかの例では、事業者１または事業者２によって送信される各無線フレームは、１０個のサブフレームと１０ｍｓｅｃの持続時間とを有するＬＴＥ／ＬＴＥ−Ａ無線フレームであり得る。各サブフレームは、たとえば１４個のＯＦＤＭシンボルを含み得る。サブフレームは、データサブフレーム、アップリンクサブフレーム、または特別なサブフレーム（たとえば、制御情報、同期信号、一部のデータなどを送信するために使用されるサブフレーム）を様々に含み得る。
【０１０４】
[0132]ＬＢＴ−ＬＢＥプロトコルの使用（たとえば、免許不要無線周波数スペクトル帯域を通じたＬＢＴ−ＬＢＥ動作モードでの動作）は、必ずしも無線リソース管理（ＲＲＭ）測定に影響を与えず、それは、その測定が送信装置によって送信されるＣＥＴに対して実行され得るからである。しかしながら、参照チャネル送信および制御チャネル送信に関して、免許不要無線周波数スペクトル帯域を通じた参照チャネル送信および制御チャネル送信は、ＬＢＴ無線フレームの開始（たとえば、フレーム境界）に基づいて定義され得る。したがって、ＬＢＴ−ＬＢＥプロトコルの使用は、チャネル状態情報（ＣＳＩ）リソースの構成のような、より上位レイヤの制御シグナリングの設計に影響を与え得る。このことは、無線フレームの境界のタイミングに関連してオーバーヘッド信号の位置情報を搬送するための信号を送信することによって、（ＬＢＴ−ＬＢＥプロトコルまたはＬＢＴ−ＦＢＥプロトコルのいずれかを使用するとき）対処され得る。いくつかの例では、無線フレームの境界のタイミングに関連してオーバーヘッド信号の位置情報を搬送するための信号は、無線リソース制御（ＲＲＣ）シグナリングを含み得る。いくつかの例では、無線フレームの境界のタイミングに関連してオーバーヘッド信号の位置情報を搬送するための信号は、無線フレームの境界および／またはＣＳＩフィードバックのために使用されるリソースの位置情報に関連して、ダウンリンク制御チャネルの位置情報を搬送することができる。いくつかの例では、無線フレームの境界のタイミングに関連してオーバーヘッド信号の位置情報を搬送するための信号は、ＣＵＢＳにおいて提供されてよく、および／または、ＣＵＢＳは、ダウンリンク制御チャネル、ＣＳＩ構成を示す情報、および／またはＣＳＩフィードバックのために使用されるリソースを含み得る。
【０１０５】
[0133]ＬＢＴ−ＬＢＥプロトコルを使用するとき、二次的サービングセル上で（たとえば、免許不要無線周波数スペクトル帯域を通じて、データはエンハンスト物理ダウンリンク制御チャネル（ＥＰＤＣＣＨ）または新たな制御チャネル上で）ダウンリンクグラントを送信することが有用であることがあり、それは、クロスキャリアスケジューリングが、主要サービングセルと二次的サービングセルとの間のサブフレームの整列が欠如している可能性があるので、問題となり得るからである。
【０１０６】
[0134]いくつかの例では、ＬＢＴプロトコルのもとで動作するＵＥは、基地局またはｅＮＢ発見信号（たとえば、主要同期信号（ＰＳＳ）、二次的同期信号（ＳＳＳ）、および／または専用基準信号（ＤＲＳ））を、基地局またはｅＮＢによって送信されたＣＥＴにおいて検出し得る。発見信号を検出すると、ＵＥは、検出された発見信号に基づいてＯＦＤＭシンボル期間のタイミングを仮定し得る。ＬＢＴ−ＦＢＥプロトコルのもとで動作するとき、サブフレームのタイミングは、ＬＢＴフレームごとに異ならないことがある。しかしながら、サブフレームのタイミングは、いくつかの場合、ＬＢＴ−ＬＢＥプロトコルのもとで動作するとき、ＬＢＴ無線フレームごとに異なることがある。したがって、ＬＢＴ−ＦＢＥプロトコルまたはＬＢＴ−ＬＢＥプロトコルのいずれかのもとで動作することが可能なＵＥは、発見信号の検出に基づいてサブフレームまたはフレームのタイミングを仮定しないことがある。
【０１０７】
[0135]図１および／または図２を参照して説明されたワイヤレス通信システム１００および／または２００のいくつかの例では、無線周波数スペクトル帯域中のチャネルを通じて情報（たとえば、Ｎビットの情報）を送信するために、図４および／または図５を参照して説明されたプリアンブルのようなプリアンブルを使用するのが望ましいことがある。たとえば、情報は、無線周波数スペクトル帯域中のチャネルにアクセスすること（たとえば、チャネルを予約すること）を示す信号とともに送信され得る。いくつかの例では、無線周波数スペクトル帯域中のチャネルにアクセスすることを示す信号は、図４および／または図５を参照して説明されたＣＵＢＳ４４５および／または５４５のようなＣＵＢＳを含み得る。
【０１０８】
[0136]送信される情報は、様々なタイプの情報を含み得る。いくつかの例では、情報は、セル識別子（ＩＤ）、公衆陸上移動体ネットワーク（ＰＬＭＮ）ＩＤ、またはこれらの組合せを含み得る。いくつかの例では、情報は、無線周波数スペクトル帯域における送信のためのフレーム構造（たとえば、ＬＢＴ無線フレームの持続時間）を示し得る。いくつかの例では、この情報は、無線周波数スペクトル帯域中のフレーム構造における送信のために使用されるサブフレームおよび／またはシンボルの数を示し得る（たとえば、１０個のサブフレームを含む１０ミリ秒のフレーム期間における送信のために５個のサブフレームが使用される）。無線周波数スペクトル帯域中のフレーム構造における送信のために使用されるサブフレームおよび／またはシンボルの数を示すことで、ＵＥのような受信装置は、低電力状態により早い時間に（たとえば、送信されたサブフレームを受信した直後に）入ることが可能になり得るので、電力が節約される。いくつかの例では、この情報は、無線周波数スペクトル帯域における送信のためのアップリンク構成および／またはダウンリンク構成（たとえば、無線周波数スペクトル帯域におけるフレーム構造のアップリンク構成および／またはダウンリンク構成）を示し得る。無線周波数スペクトル帯域における送信のためのアップリンク構成および／またはダウンリンク構成を示すことは、増強された干渉軽減およびトラフィック適合（ｅＩＭＴＡ：enhanced Interference Mitigation & Traffic Adaptation）機能の性能を改善することができる。いくつかの例では、この情報は、フレームのうちの最大の数のサブフレームが無線周波数スペクトル帯域における送信のために使用されるかどうかを示し得る（たとえば、無線周波数スペクトル帯域のフレーム構造における送信のために最大の数のサブフレームが使用されるかどうかを示すために、または、無線周波数スペクトル帯域のフレーム構造における送信のために最大の数未満のサブフレームが使用されるかどうかを示すために、単一のビットが使用され得る）。いくつかの例では、情報は、無線周波数スペクトル帯域中のコンポーネントキャリアで搬送される送信を受信するために使用すべきアンテナの数を示し得る。この情報はさらに、または代替的に、他のタイプのシステム情報を含む、上のタイプの情報および／または他のタイプの情報の任意の組合せを含み得る。
【０１０９】
[0137]いくつかの例では、この情報は、無線周波数スペクトル帯域中のチャネルにアクセスすることを示す信号の一部として（たとえば、ＣＵＢＳの一部として）情報を送信することによって、無線周波数スペクトル帯域中のチャネルにアクセスすることを示す信号とともに送信され得る。これらの例では、ＣＵＢＳはたとえば、シーケンスの少なくとも一部に基づいて生成され得る。シーケンスは、送信されるべき情報に依存し得る。たとえば、シーケンスは、セルＩＤ、ＰＬＭＮ  ＩＤ、またはこれらの組合せに依存し得る。シーケンスはさらに、または代替的に、本明細書で言及される情報のタイプの任意の１つまたは組合せに依存し得る。
【０１１０】
[0138]無線周波数スペクトル帯域中のチャネルにアクセスすることを示す信号の一部として（たとえば、ＣＵＢＳの一部として）情報が送信される他の例では、情報は、信号の送信のための複数の位相からある位相を選択することによって送信され得る。選択される位相は送信されるべき情報に対応してよく、一方、複数の位相の中の他の位相は異なる情報に対応してよい。別の例では、無線周波数スペクトル帯域中のチャネルにアクセスすることを示す複数の信号の間の異なる位相オフセットは、送信されるべき異なる情報に対応し得る。
【０１１１】
[0139]いくつかの例では、情報は、第２の信号において情報を送信することによって、無線周波数スペクトル帯域中のチャネルにアクセスすることを示す信号（たとえば、ＣＵＢＳ）とともに送信されてよく、この第２の信号は、無線周波数スペクトル帯域中のチャネルにアクセスすることを示す信号とともに送信されてよい。いくつかの例では、図８を参照して説明されるように、第２の信号は、無線周波数スペクトル帯域中のチャネルにアクセスすることを示す信号によってインターリーブされてよく、またはその信号の隣で送信されてよい。
【０１１２】
[0140]図８Ａは、本開示の様々な態様による、アラジオ周波数スペクトル帯域中のチャネルにアクセスすることを示す第１の信号８０５（たとえば、ＣＵＢＳ）とともに情報がどのように送信され得るかの例８００を示す。
【０１１３】
[0141]示されるように、第１の信号８０５は、周波数領域中の第１の複数のインターリーブされたリソースブロックを使用して、複数のトーン（たとえば、第１のトーン８０５−ａ、第２のトーン８０５−ｂ、第３のトーン８０５−ｃ、第４のトーン８０５−ｄ、第５のトーン８０５−ｅ、第６のトーン８０５−ｆ、第７のトーン８０５−ｇ、および／または第８のトーン８０５−ｈ）として送信され得る。いくつかの例では、第１の信号８０５は、より多数の、より少数の、および／または異なるトーンを使用して送信され得る。この方式で第１の信号８０５を送信することで、第１の信号８０５は、無線周波数スペクトル帯域中の利用可能な周波数帯域幅の少なくともある割合を占有し、１つまたは複数の規制上の要件（たとえば、第１の信号８０５が利用可能な周波数帯域幅の少なくとも８０％を占有するという要件）を満たすことが可能になり得る。第１の信号８０５は、いくつかの例では、ＬＴＥ／ＬＴＥ−Ａセル固有基準信号（ＣＲＳ）および／またはチャネル状態情報基準信号（ＣＳＩ−ＲＳ）の形態と同様の形態をとり得る。
【０１１４】
[0142]情報は、第２の信号８１０において送信され得る。第２の信号８１０も、周波数領域中の第２の複数のインターリーブされたリソースブロックを使用して、複数のトーン（たとえば、第９のトーン８１０−ａ、第１０のトーン８１０−ｂ、第１１のトーン８１０−ｃ、第１２のトーン８１０−ｄ、第１３のトーン８１０−ｅ、第１４のトーン８１０−ｆ、第１５のトーン８１０−ｇ、および／または第１６のトーン８１０−ｈ）として送信され得る。いくつかの例では、第２の信号８１０は、より多数の、より少数の、および／または異なるトーンを使用して送信され得る。いくつかの例では、第２の信号８１０は、ＬＴＥ／ＬＴＥ−Ａの物理制御フォーマットインジケータチャネル（ＰＣＦＩＣＨ）の形態と同様の形態をとり得る。
【０１１５】
[0143]示されるように、第１の信号８０５および第２の信号８１０は、無線周波数スペクトル帯域の単一のＯＦＤＭシンボル期間の間に送信され得る。第１の信号８０５は、第２の信号８１０のための自動利得制御（ＡＧＣ）情報を提供し得る。
【０１１６】
[0144]図８Ｂは、本開示の様々な態様による、無線周波数スペクトル帯域中のチャネルにアクセスすることを示す第１の信号８５５（たとえば、ＣＵＢＳ）とともに情報がどのように送信され得るかの例８５０を示す。
【０１１７】
[0145]示されるように、第１の信号８５５は、複数のＯＦＤＭシンボル期間（たとえば、２つのＯＦＤＭシンボル期間）を通じて複数のトーン（たとえば、第１のトーン８５５−ａ、第２のトーン８５５−ｂ、第３のトーン８５５−ｃ、第４のトーン８５５−ｄ、第５のトーン８５５−ｅ、第６のトーン８５５−ｆ、第７のトーン８５５−ｇ、第８のトーン８５５−ｈ、第９のトーン８５５−ｉ、第１１のトーン８５５−ｊ、第１２のトーン８５５−ｋ、第１３のトーン８５５−ｌ、第１４のトーン８５５−ｍ、第１５のトーン８５５−ｎ、および／または第１６のトーン８５５−ｏ）として送信され得る。いくつかの例では、第１の信号８５５は、より多数の、より少数の、および／または異なるトーンを使用して送信され得る。この方式で第１の信号８５５を送信することで、第１の信号８５５は、無線周波数スペクトル帯域中の利用可能な周波数帯域幅の少なくともある割合を占有すること、および／または、１つまたは複数の規制上の要件（たとえば、第１の信号８５５が利用可能な周波数帯域幅の少なくとも８０％を占有するという要件）を満たすことが可能になり得る。第１の信号８５５は、いくつかの例では、ＬＴＥ／ＬＴＥ−Ａセル固有基準信号（ＣＲＳ）および／またはチャネル状態情報基準信号（ＣＳＩ−ＲＳ）の形態と同様の形態をとり得る。
【０１１８】
[0146]情報は、第２の信号８６０において送信され得る。第２の信号８６０も、周波数領域中の第２の複数のインターリーブされたリソースブロックを使用して、複数のトーン（たとえば、第１７のトーン８６０−ａ、第１８のトーン８６０−ｂ、第１９のトーン８６０−ｃ、第２０のトーン８６０−ｄ、第２１のトーン８６０−ｅ、第２２のトーン８６０−ｆ、第２３のトーン８６０−ｇ、および／または第２４のトーン８６０−ｈ）として送信され得る。いくつかの例では、第２の信号８６０は、より多数の、より少数の、および／または異なるトーンを使用して送信され得る。いくつかの例では、第２の信号８６０は、ＬＴＥ／ＬＴＥ−Ａの物理制御フォーマットインジケータチャネル（ＰＣＦＩＣＨ）の形態と同様の形態をとり得る。
【０１１９】
[0147]示されるように、第１の信号８５５は、無線周波数スペクトル帯域の第１のＯＦＤＭシンボル期間および無線周波数スペクトル帯域の第２のＯＦＤＭシンボル期間の間に送信されてよく、第２の信号８６０は、無線周波数スペクトル帯域の第２のＯＦＤＭシンボル期間の間に送信されてよい。いくつかの例では、無線周波数スペクトル帯域の第１のＯＦＤＭシンボル期間および無線周波数スペクトル帯域の第２のＯＦＤＭシンボル期間は、（示されるように）隣接するＯＦＤＭシンボル期間であり得る。第１の信号８５５は、第２の信号８６０のためのＡＧＣ情報および／または位相基準を提供し得る。
【０１２０】
[0148]図９は、本開示の様々な態様による、コンポーネントキャリアで搬送される送信を受信するために使用すべきアンテナの数を示す情報がどのように決定され使用され得るかの例９００を示す。より具体的には、図９は、免許不要無線周波数スペクトル帯域中の第１のコンポーネントキャリア（ＣＣ１）および第２のコンポーネントキャリア（ＣＣ２）の送信のためのＬＢＴ無線フレーム９１５（またはゲーティング間隔）を示す。基地局が第１のコンポーネントキャリアＣＣ１および／または第２のコンポーネントキャリアＣＣ２にアクセスするためのコンテンションに勝利すると、基地局は、免許不要無線周波数スペクトル帯域中の第１のコンポーネントキャリアＣＣ１および／または第２のコンポーネントキャリアＣＣ２にアクセスすることを示す信号をＵＥに送信することができる。いくつかの例では、基地局は、図１および／または図２を参照して説明された基地局１０５、２０５、および／または２０５−ａの１つまたは複数の態様の例であってよく、および／または、ＵＥは、図１および／または図２を参照して説明されたＵＥ１１５、２１５、２１５−ａ、２１５−ｂ、および／または２１５−ｃの１つまたは複数の例であってよい。
【０１２１】
[0149]例として、第１のコンポーネントキャリアＣＣ１および第２のコンポーネントキャリアＣＣ２の各々は、図４に示されるフレーム構造と同様のフレーム構造を有し得る。たとえば、第１のコンポーネントキャリアＣＣ１および第２のコンポーネントキャリアＣＣ２の各々のフレーム構造は、いくつかのダウンリンクサブフレーム９２０または９２５と、いくつかのアップリンクサブフレーム９３０または９３５と、２つのタイプの特別なサブフレーム、Ｓサブフレーム９４０または９４５およびＳ’サブフレーム９５０または９５５とを含み得る。Ｓサブフレーム９４０または９４５は、ダウンリンクサブフレーム９２０または９２５とアップリンクサブフレーム９３０または９３５との間の遷移を提供することができ、一方、Ｓ’サブフレーム９５０または９５５は、アップリンクサブフレーム９３０または９３５とダウンリンクサブフレーム９２０または９２５との間の遷移を提供することができる。他の例では、第１のコンポーネントキャリアＣＣ１および第２のコンポーネントキャリアＣＣ２の１つまたは両方が、図４に示されるフレーム構造とはかなり異なるフレーム構造を有し得る。
【０１２２】
[0150]Ｓ’サブフレーム９５０および９５５の間に、基地局は、ＬＢＴ無線フレーム９１５の間に免許不要無線周波数スペクトル帯域中の第１のコンポーネントキャリアＣＣ１へのアクセスを争うために、第１のＤＣＣＡ手順９０５（たとえば、第１のコンテンション手順）を実行することができる。同様に、基地局は、ＬＢＴ無線フレーム９１５の間に免許不要無線周波数スペクトル帯域中の第２のコンポーネントキャリアＣＣ２へのアクセスを争うために、第２のＤＣＣＡ手順９１０（たとえば、第２のコンテンション手順）を実行することができる。ＬＢＴ無線フレーム９１５（図示されず）の間に第１のコンポーネントキャリアＣＣ１と第２のコンポーネントキャリアＣＣ２の両方を送信するためのコンテンションに勝利した後で、基地局は、免許不要無線周波数スペクトル帯域において、第１のコンポーネントキャリアＣＣ１と第２のコンポーネントキャリアＣＣ２の両方でデータをＵＥに送信することができる。例として、基地局による第１のコンポーネントキャリアＣＣ１でのデータの送信は、基地局の２つのアンテナを利用することができ、第２のコンポーネントキャリアＣＣ２でのデータの送信は、基地局の追加の２つのアンテナを利用することができる。同様に、免許不要無線周波数スペクトル帯域中の第１のコンポーネントキャリアＣＣ１および第２のコンポーネントキャリアＣＣ２で搬送される送信を受信するＵＥは、第１のコンポーネントキャリアＣＣ１で搬送される送信を受信するために２つのアンテナを利用し、第２のコンポーネントキャリアＣＣ２で搬送される送信を受信するために追加の２つのアンテナを利用することができる。いくつかの例では、ＵＥは、第１のコンポーネントキャリアＣＣ１および／または第２のコンポーネントキャリアＣＣ２がＬＢＴ無線フレーム９１５の間に送信を搬送するかどうかを知らずに、ＬＢＴ無線フレーム９１５の間に第１のコンポーネントキャリアＣＣ１で搬送される送信を受信するための２つのアンテナを予約し、ＬＢＴ無線フレーム９１５の間に第２のコンポーネントキャリアＣＣ２で搬送される送信を受信するための追加の２つのアンテナを予約することができる。
【０１２３】
[0151]例として、図９は、第１のＤＣＣＡ手順９０５が結果として第１のコンポーネントキャリアＣＣ１にアクセスするためのコンテンションに勝利することに失敗し、第２のＤＣＣＡ手順９１０が結果として第２のコンポーネントキャリアＣＣ２にアクセスするためのコンテンションに勝利する、状況を示す。基地局が免許不要無線周波数スペクトル帯域中の第２のコンポーネントキャリアＣＣ２でデータを送信する相手であるＵＥが、ＬＢＴ無線フレーム９１５の間に第１のコンポーネントキャリアＣＣ１でデータを受信するための２つのアンテナを予約しており、ＬＢＴ無線フレーム９１５の間に第２のコンポーネントキャリアＣＣ２でデータを受信するための追加の２つのアンテナを予約していると仮定すると、第１のコンポーネントキャリアＣＣ１でデータを受信するためにＵＥにより予約された２つのアンテナは、ＬＢＴ無線フレーム９１５の間は使用されないままであり得る。しかしながら、基地局が第１のコンポーネントキャリアＣＣ１および／または第２のコンポーネントキャリアＣＣ２で搬送される送信を受信するために使用すべきアンテナの数を示す情報を送信できる場合、ＵＥは、ＬＢＴ無線フレーム９１５の一部またはすべての間、第２のコンポーネントキャリアＣＣ２でデータを受信するために、第１のコンポーネントキャリアＣＣ１でデータを受信するために予約された２つのアンテナを利用することが可能であり得る。したがって、たとえば、基地局は、ＬＢＴ無線フレーム９１５の間に第２のコンポーネントキャリアＣＣ２で搬送されるデータの送信を受信するために４つのアンテナ９６５を使用するように、ＵＥに指示することができる。
【０１２４】
[0152]いくつかの例では、基地局は、ＣＵＢＳ９６０とともに情報をＵＥに送信することができる。送信される情報は、ＬＢＴ無線フレーム９１５の間に第２のコンポーネントキャリアＣＣ２で搬送される送信を受信するために４つのアンテナ９６５を使用せよという指示を含み得る。他の例では、ＵＥは、第１のコンポーネントキャリアＣＣ１および／または第２のコンポーネントキャリアＣＣ２で搬送される送信を受信するために使用すべきアンテナの数を自律的に決定することができる。この自律的な決定は、たとえば、第１のコンポーネントキャリアＣＣ１および／または第２のコンポーネントキャリアＣＣ２にアクセスするためのコンテンションに基地局が勝利したかどうかのＵＥの自律的な決定に基づき得る（たとえば、第１のコンポーネントキャリアＣＣ１および／または第２のコンポーネントキャリアＣＣ２の各々を通じて送信されるＣＵＢＳの検出に基づき得る）。
【０１２５】
[0153]いくつかの例では、コンポーネントキャリアで搬送される送信を受信するために使用すべきアンテナの数が調整されるとき、そのコンポーネントキャリアで搬送されるデータ送信のためのプリコーディング行列、ランク、および／または変調およびコーディング方式（ＭＣＳ）が、無線周波数スペクトル帯域中のコンポーネントキャリアで搬送される送信を受信するために使用すべきアンテナの数に少なくとも一部基づいて調整され得る。いくつかの例では、コンポーネントキャリアで搬送される送信を受信するために使用すべきアンテナの数の増大は、ＭＣＳの増大を可能にし、結果として、データレートの向上を可能にし得る。
【０１２６】
[0154]図１０は、本開示の様々な態様による、コンポーネントキャリアで搬送される送信を受信するために使用すべきアンテナの数を示す情報がどのように決定され使用され得るかの例１０００を示す。より具体的には、図１０は、免許不要無線周波数スペクトル帯域中の第１のコンポーネントキャリア（ＣＣ１）および第２のコンポーネントキャリア（ＣＣ２）の送信のためのＬＢＴ無線フレーム１０１５（またはゲーティング間隔）を示す。基地局が第１のコンポーネントキャリアＣＣ１および／または第２のコンポーネントキャリアＣＣ２にアクセスするためのコンテンションに勝利すると、基地局は、免許不要無線周波数スペクトル帯域中の第１のコンポーネントキャリアＣＣ１および／または第２のコンポーネントキャリアＣＣ２へのアクセスを示す信号をＵＥに送信することができる。いくつかの例では、基地局は、図１および／または図２を参照して説明された基地局１０５、２０５、および／または２０５−ａの１つまたは複数の態様の例であってよく、および／または、ＵＥは、図１および／または図２を参照して説明されたＵＥ１１５、２１５、２１５−ａ、２１５−ｂ、および／または２１５−ｃの１つまたは複数の例であってよい。
【０１２７】
[0155]例として、第１のコンポーネントキャリアＣＣ１および第２のコンポーネントキャリアＣＣ２の各々は、図４に示されるフレーム構造と同様のフレーム構造を有し得る。たとえば、第１のコンポーネントキャリアＣＣ１および第２のコンポーネントキャリアＣＣ２の各々のフレーム構造は、いくつかのダウンリンクサブフレーム１０２０または１０２５と、いくつかのアップリンクサブフレーム１０３０または１０３５と、２つのタイプの特別なサブフレーム、Ｓサブフレーム１０４０または１０４５およびＳ’サブフレーム１０５０または１０５５とを含み得る。Ｓサブフレーム１０４０または１０４５は、ダウンリンクサブフレーム１０２０または１０２５とアップリンクサブフレーム１０３０または１０３５との間の遷移を提供することができ、一方、Ｓ’サブフレーム１０５０または１０５５は、アップリンクサブフレーム１０３０または１０３５とダウンリンクサブフレーム１０２０または１０２５との間の遷移を提供することができる。他の例では、第１のコンポーネントキャリアＣＣ１および第２のコンポーネントキャリアＣＣ２の１つまたは両方が、図４に示されるフレーム構造とはかなり異なるフレーム構造を有し得る。
【０１２８】
[0156]Ｓ’サブフレーム１０５０および１０５５の間に、基地局は、ＬＢＴ無線フレーム１０１５の間に免許不要無線周波数スペクトル帯域中の第１のコンポーネントキャリアＣＣ１へのアクセスを争うために、第１のＤＣＣＡ手順１００５（たとえば、第１のコンテンション手順）を実行することができる。同様に、基地局は、ＬＢＴ無線フレーム１０１５の間に免許不要無線周波数スペクトル帯域中の第２のコンポーネントキャリアＣＣ２へのアクセスを争うために、第２のＤＣＣＡ手順１０１０（たとえば、第２のコンテンション手順）を実行することができる。ＬＢＴ無線フレーム１０１５の間に第１のコンポーネントキャリアＣＣ１と第２のコンポーネントキャリアＣＣ２の両方を送信するためのコンテンションに勝利すると、基地局は、免許不要無線周波数スペクトル帯域において、第１のコンポーネントキャリアＣＣ１と第２のコンポーネントキャリアＣＣ２の両方でデータをＵＥに送信することができる。例として、および、基地局が第１のコンポーネントキャリアＣＣ１と第２のコンポーネントキャリアＣＣ２の両方のサブフレームＳＦ０、ＳＦ１、およびＳＦ２においてダウンリンクサブフレーム１０２０と１０２５とを送信するので、基地局による第１のコンポーネントキャリアＣＣ１でのデータの送信は、ＬＢＴ無線フレーム１０１５のサブフレームＳＦ０、ＳＦ１、およびＳＦ２の送信の間に基地局の２つのアンテナを利用することができ、第２のコンポーネントキャリアＣＣ２でのデータの送信は、ＬＢＴ無線フレーム１０１５のサブフレームＳＦ０、ＳＦ１、およびＳＦ２の送信の間に基地局の追加の２つのアンテナを利用することができる。同様に、サブフレームＳＦ０、ＳＦ１、およびＳＦ２の間に免許不要無線周波数スペクトル帯域中の第１のコンポーネントキャリアＣＣ１および第２のコンポーネントキャリアＣＣ２で搬送される送信を受信するＵＥは、第１のコンポーネントキャリアＣＣ１で搬送される送信を受信するために２つのアンテナ１０７０を利用し、第２のコンポーネントキャリアＣＣ２で搬送される送信を受信するために追加の２つのアンテナ１０７５を利用することができる。しかしながら、第１のコンポーネントキャリアＣＣ１および第２のコンポーネントキャリアＣＣ２のアップリンク構成およびダウンリンク構成は、第２のコンポーネントキャリアＣＣ２のサブフレームＳＦ３およびＳＦ４がダウンリンク送信を搬送しないようなものであるので、基地局による第１のコンポーネントキャリアＣＣ１でのデータの送信は、ＬＢＴ無線フレーム１０１５のサブフレームＳＦ３およびＳＦ４の送信の間に基地局の４つのアンテナを利用することができる。同様に、サブフレームＳＦ３およびＳＦ４の間に免許不要無線周波数スペクトル帯域中の第１のコンポーネントキャリアＣＣ１および第２のコンポーネントキャリアＣＣ２で搬送される送信を受信するＵＥは、第１のコンポーネントキャリアＣＣ１の送信を受信するために４つのアンテナ１０８０を利用することができる。４つのアンテナ１０８０は、ＬＢＴ無線フレーム１０１５のサブフレームＳＦ０、ＳＦ１、およびＳＦ２の間に第２のコンポーネントキャリアＣＣ２を受信するために使用された追加の２つのアンテナ１０７５を含み得る。
【０１２９】
[0157]いくつかの例では、基地局は、第１のコンポーネントキャリアＣＣ１および／または第２のコンポーネントキャリアＣＣ２で搬送される送信を受信するために使用すべきアンテナの数を示す情報を送信することができる。この情報は、いくつかの例では、第１のコンポーネントキャリアＣＣ１および／または第２のコンポーネントキャリアＣＣ２のアップリンク構成および／またはダウンリンク構成に基づき得る。図１０に示される状況では、この情報は、ＬＢＴ無線フレーム１０１５のサブフレームＳＦ３およびＳＦ４の間に第１のコンポーネントキャリアＣＣ１でのデータの送信を受信するために４つのアンテナ１０８０を使用すべきであることを、ＵＥに示すことができる。
【０１３０】
[0158]いくつかの例では、基地局は、第１のＤＣＣＡ手順１００５の成功に続いて第１のＣＵＢＳ１０６０とともに、および／または、第２のＤＣＣＡ手順１０１０の成功に続いて第２のＣＵＢＳ１０６５とともに、情報をＵＥに送信することができる。送信される情報は、ＬＢＴ無線フレーム１０１５のサブフレームＳＦ３およびＳＦ４の間に第１のコンポーネントキャリアＣＣ１でのデータの送信を受信するために４つのアンテナ１０８０を使用せよという指示を含み得る。他の例では、ＵＥは、第１のコンポーネントキャリアＣＣ１および／または第２のコンポーネントキャリアＣＣ２で搬送される送信を受信するために使用すべきアンテナの数を自律的に決定することができる。この自律的な決定は、たとえば、第１のコンポーネントキャリアＣＣ１および／または第２のコンポーネントキャリアＣＣ２にアクセスするためのコンテンションに基地局が勝利したかどうかのＵＥの自律的な決定に基づいてよく（たとえば、第１のコンポーネントキャリアＣＣ１および／または第２のコンポーネントキャリアＣＣ２の各々を通じて送信されるＣＵＢＳの検出に基づいてよく）、ならびに／または、第１のコンポーネントキャリアＣＣ１および／または第２のコンポーネントキャリアＣＣ２のアップリンク構成およびダウンリンク構成に基づいてよい。
【０１３１】
[0159]いくつかの例では、コンポーネントキャリアで搬送される送信を受信するために使用すべきアンテナの数が調整されるとき、そのコンポーネントキャリアを通じたデータ送信のためのプリコーディング行列、ランク、および／またはＭＣＳが、無線周波数スペクトル帯域中のコンポーネントキャリアを受信するために使用すべきアンテナの数に少なくとも一部基づいて調整され得る。いくつかの例では、コンポーネントキャリアで搬送される送信を受信するために使用すべきアンテナの数の増大は、ＭＣＳの増大を可能にし、結果として、データレートの向上を可能にし得る。
【０１３２】
[0160]図１および／または図２を参照して説明されたワイヤレス通信システム１００および／または２００のいくつかの例では、成功するコンテンション手順（たとえば、ＤＣＣＡ手順、拡張ＤＣＣＡ手順、ＵＣＣＡ手順、または拡張ＵＣＣＡ手順）は、次のＯＦＤＭシンボル期間の境界の前に完了し得る。装置がコンテンション手順の間に無線周波数スペクトルに対するコンテンションに勝利するとき、無線周波数スペクトル帯域を通じて信号を送信するのが望ましいことがある。この信号は、コンテンション手順の完了と次のＯＦＤＭシンボル期間の開始との間の時間の間に、無線周波数スペクトル帯域を予約するために使用され得る。いくつかの例では、そのような信号の開始は、ＯＦＤＭシンボル期間の境界、スロットの境界、サブフレームの境界、または他の基準の境界と一致しないことがあり、そのような信号の長さは、コンテンション手順が成功裏に完了するタイミングと、コンテンション手順の完了の成功の後の基準の境界のタイミングとの間の変動により、可変であり得る。図１１Ａ、図１１Ｂ、および図１１Ｃ、図１２、図１３、図１４、ならびに図１５は、そのような信号の例を示す。
【０１３３】
[0161]図１１Ａは、本開示の様々な態様による、第２の信号の開始点を無線周波数スペクトル帯域と関連付けられる基準の境界と揃えるように第１の信号がどのように送信され得るかの例１１００を示す。より具体的には、図１１Ａは、複数のＯＦＤＭシンボル期間の境界１１０５によって境界を接する複数のＯＦＤＭシンボル期間を示す。ＯＦＤＭシンボル期間は、ＤＣＣＡ手順１１２０（たとえば、図４を参照して説明されたＤＣＣＡ手順４４０と同様のＤＣＣＡ手順）が実行され得る、第１のＯＦＤＭシンボル期間１１１０を含み得る。ＯＦＤＭシンボル期間はまた、無線周波数スペクトル帯域にアクセスすることを示すための信号１１２５（たとえば、図４を参照して説明されたＣＵＢＳ４４５と同様のＣＵＢＳ）が送信され得る、第２のＯＦＤＭシンボル期間１１１５を含み得る。
【０１３４】
[0162]いくつかの例では、ＤＣＣＡ手順１１２０は、第１のＯＦＤＭシンボル期間１１１０内の可変の時間において実行され得る。いくつかの例では、基地局は、ＤＣＣＡ手順１１２０を実行し、無線周波数スペクトル帯域と関連付けられる基準の境界（たとえば、ＯＦＤＭシンボル期間の境界１１３０）よりも前に無線周波数スペクトル帯域にアクセスするためのコンテンションに勝利し得る。これらの例では、基地局は、第２の信号の開始点（たとえば、ＣＵＢＳ１１２５の開始点）を基準の境界と揃えるために、第１の信号１１３５（たとえば、第１のユニット訓練信号１１３５−ａと、第２のユニット訓練信号１１３５−ｂと、第３のユニット訓練信号１１３５−ｃとを含む、可変長訓練シーケンス）を送信することができる。
【０１３５】
[0163]いくつかの例では、上で論じられたような情報は、第１の信号１１３５の一部として（たとえば、第１のユニットトラニング信号１１３５−ａ、第２のユニット訓練信号１１３５−ｂ、および／または第３のユニット訓練信号１１３５−ｃの一部として）送信され得る。いくつかの例では、第１の信号１１３５（たとえば、第１のユニット訓練信号１１３５−ａ、第２のユニット訓練信号１１３５−ｂ、および／または第３のユニット訓練信号１１３５−ｃ）は、ＵＥによってＡＧＣのために使用可能であり得る。
【０１３６】
[0164]いくつかの例では、第１の信号１１３５はコンテンションの優先順位（たとえば、ＤＣＣＡ手順１１２０が実行される優先順位）と関連付けられてよく、第１の信号１１３５はコンテンションの優先順位に少なくとも一部基づいて第１のＯＦＤＭシンボル期間１１１０の一部分の間に送信されてよい。たとえば、より高い優先順位を伴うトラフィックまたは送信のクラスを有する基地局は、より低い優先順位を伴うトラフィックまたは送信のクラスを有する基地局よりも、第１のＯＦＤＭシンボル期間１１１０の早い部分において、無線周波数スペクトル帯域へのアクセスを争うように構成され得る。第１のＯＦＤＭシンボル期間１１１０は、ＤＣＣＡ手順を実行するための相対的により多数または相対的により少数のスロットを提供することがあり、いくつかの例では、ＤＣＣＡ手順を実行するためのスロットは、２つ以上のＯＦＤＭシンボル期間を通じて提供されることがある。ＤＣＣＡ手順を実行するためのスロットがより多いことは、異なる基地局のコンテンションの優先順位に対するより強い管理につながる。
【０１３７】
[0165]図１１Ｂは、本開示の様々な態様による、第２の信号の開始点を無線周波数スペクトル帯域と関連付けられる基準の境界と揃えるように第１の信号がどのように送信され得るかの例１１５０を示す。より具体的には、図１１Ｂは、複数のＯＦＤＭシンボル期間の境界１１０５によって境界を接する複数のＯＦＤＭシンボル期間を示す。ＯＦＤＭシンボル期間は、ＤＣＣＡ手順１１５５（たとえば、図４を参照して説明されたＤＣＣＡ手順４４０と同様のＤＣＣＡ手順）が実行され得る、第１のＯＦＤＭシンボル期間１１１０を含み得る。ＯＦＤＭシンボル期間はまた、無線周波数スペクトル帯域にアクセスすることを示すための信号１１２５（たとえば、図４を参照して説明されたＣＵＢＳ４４５と同様のＣＵＢＳ）が送信され得る、第２のＯＦＤＭシンボル期間１１１５を含み得る。
【０１３８】
[0166]いくつかの例では、ＤＣＣＡ手順１１５５は、第１のＯＦＤＭシンボル期間１１１０内の可変の時間において実行され得る。いくつかの例では、基地局は、ＤＣＣＡ手順１１５５を実行し、無線周波数スペクトル帯域と関連付けられる基準の境界（たとえば、ＯＦＤＭシンボル期間の境界１１３０）よりも前に無線周波数スペクトル帯域にアクセスするためのコンテンションに勝利し得る。これらの例では、基地局は、第２の信号の開始点（たとえば、ＣＵＢＳ１１２５の開始点）を基準の境界と揃えるために、第１の信号１１３５（たとえば、第１のユニット訓練信号１１３５−ｂと第２のユニット訓練信号１１３５−ｃとを含む、可変長訓練シーケンス）を送信することができる。例１１５０において実行されるＤＣＣＡ手順１１５５のタイミングは、例１１００において実行されるＤＣＣＡ手順１１２０のタイミングよりも第１のＯＦＤＭシンボル期間１１１０内で遅いので、図１１Ｂを参照して説明される第１の信号の長さは、図１１Ａを参照して説明される第１の信号の長さよりも短いことがある。
【０１３９】
[0167]いくつかの例では、上で論じられたような情報は、第１の信号１１３５の一部として（たとえば、第１のユニットトラニング信号１１３５−ｂおよび／または第２のユニット訓練信号１１３５−ｃの一部として）送信され得る。いくつかの例では、第１の信号１１３５（たとえば、第１のユニット訓練信号１１３５−ｂおよび／または第２のユニット訓練信号１１３５−ｃ）は、ＵＥによってＡＧＣのために使用可能であり得る。
【０１４０】
[0168]いくつかの例では、第１の信号１１３５はコンテンションの優先順位（たとえば、ＤＣＣＡ手順１１５５が実行される優先順位）と関連付けられてよく、第１の信号１１３５はコンテンションの優先順位に少なくとも一部基づいて第１のＯＦＤＭシンボル期間１１１０の一部分の間に送信されてよい。たとえば、より高い優先順位を伴うトラフィックまたは送信のクラスを有する基地局は、より低い優先順位を伴うトラフィックまたは送信のクラスを有する基地局よりも、第１のＯＦＤＭシンボル期間１１１０の早い部分において、無線周波数スペクトル帯域へのアクセスを争うように構成され得る。第１のＯＦＤＭシンボル期間１１１０は、ＤＣＣＡ手順を実行するための相対的により多数または相対的により少数のスロットを提供することがあり、いくつかの例では、ＤＣＣＡ手順を実行するためのスロットは、２つ以上のＯＦＤＭシンボル期間を通じて提供されることがある。ＤＣＣＡ手順を実行するためのスロットがより多いことは、異なる基地局のコンテンションの優先順位に対するより強い管理につながる。
【０１４１】
[0169]図１１Ｃは、本開示の様々な態様による、第２の信号の開始点を無線周波数スペクトル帯域と関連付けられる基準の境界と揃えるように第１の信号がどのように送信され得るかの例１１７０を示す。より具体的には、図１１Ｃは、複数のＯＦＤＭシンボル期間の境界１１０５によって境界を接する複数のＯＦＤＭシンボル期間を示す。ＯＦＤＭシンボル期間は、ＤＣＣＡ手順１１７５（たとえば、図４を参照して説明されたＤＣＣＡ手順４４０と同様のＤＣＣＡ手順）が実行され得る、第１のＯＦＤＭシンボル期間１１１０を含み得る。ＯＦＤＭシンボル期間はまた、無線周波数スペクトル帯域にアクセスすることを示すための信号１１２５（たとえば、図４を参照して説明されたＣＵＢＳ４４５と同様のＣＵＢＳ）が送信され得る、第２のＯＦＤＭシンボル期間１１１５を含み得る。
【０１４２】
[0170]いくつかの例では、ＤＣＣＡ手順１１７５は、第１のＯＦＤＭシンボル期間１１１０内の可変の時間において実行され得る。いくつかの例では、基地局は、ＤＣＣＡ手順１１７５を実行し、無線周波数スペクトル帯域と関連付けられる基準の境界（たとえば、ＯＦＤＭシンボル期間の境界１１３０）よりも前に無線周波数スペクトル帯域にアクセスするためのコンテンションに勝利し得る。これらの例では、基地局は、第２の信号の開始点（たとえば、ＣＵＢＳ１１２５の開始点）を基準の境界と揃えるために、第１の信号１１３５（たとえば、ユニット訓練信号１１３５−ｃを含む可変長訓練シーケンス）を送信することができる。例１１７０において実行されるＤＣＣＡ手順１１７５のタイミングは、例１１００または１１５０において実行されるＤＣＣＡ手順１１２０またはＤＣＣＡ手順１１５５のタイミングよりも第１のＯＦＤＭシンボル期間１１１０内で遅いので、図１１Ｃを参照して説明される第１の信号の長さは、図１１Ａおよび／または図１１Ｂを参照して説明される第１の信号の長さよりも短いことがある。
【０１４３】
[0171]いくつかの例では、上で論じられたような情報は、第１の信号１１３５の一部として（たとえば、ユニットトラニング信号１１３５−ｃの一部として）送信され得る。いくつかの例では、第１の信号１１３５（たとえば、ユニット訓練信号１１３５−ｃ）は、ＵＥによってＡＧＣのために使用可能であり得る。
【０１４４】
[0172]いくつかの例では、第１の信号１１３５はコンテンションの優先順位（たとえば、ＤＣＣＡ手順１１７５が実行される優先順位）と関連付けられてよく、第１の信号１１３５はコンテンションの優先順位に少なくとも一部基づいて第１のＯＦＤＭシンボル期間１１１０の一部分の間に送信されてよい。たとえば、より高い優先順位を伴うトラフィックまたは送信のクラスを有する基地局は、より低い優先順位を伴うトラフィックまたは送信のクラスを有する基地局よりも、第１のＯＦＤＭシンボル期間１１１０の早い部分において、無線周波数スペクトル帯域へのアクセスを争うように構成され得る。第１のＯＦＤＭシンボル期間１１１０は、ＤＣＣＡ手順を実行するための相対的により多数または相対的により少数のスロットを提供することがあり、いくつかの例では、ＤＣＣＡ手順を実行するためのスロットは、２つ以上のＯＦＤＭシンボル期間を通じて提供されることがある。ＤＣＣＡ手順を実行するためのスロットがより多いことは、異なる基地局のコンテンションの優先順位に対するより強い管理につながる。
【０１４５】
[0173]図１および／または図２を参照して説明されるワイヤレス通信システム１００および／または２００のいくつかの例では、基地局とＵＥの間の送信は、異なるサイズのＬＢＴ無線フレームにおいて、たとえば、２ミリ秒、５ミリ秒、および／または１０ミリ秒の持続時間を有するＬＢＴ無線フレームにおいて行われ得る。いくつかの例では、ＬＢＴ無線フレームの持続時間とは無関係に、１つもしくは複数の時間において、ならびに／または１つおよび／もしくは複数の周波数位置において、１つまたは複数のオーバーヘッドチャネル送信を行うのが有用であり得る。たとえば、ＬＢＴ手順が行われるＬＢＴ無線フレームの変化とは無関係に、１つまたは複数のサブフレームの間に１つまたは複数のオーバーヘッドチャネル送信を行うのが望ましいことがある。オーバーヘッドチャネルは、ＣＲＳ、ｅＣＲＳ、ＣＳＩ−ＲＳ、同期信号、および／またはシステム情報ブロック（ＳＩＢ）ブロードキャストチャネルを含み得る。
【０１４６】
[0174]図１２は、本開示の様々な態様による、第２の信号の開始点を無線周波数スペクトル帯域と関連付けられる基準の境界と揃えるように、無線周波数スペクトル帯域においてＬＢＴ−ＬＢＥ動作モードで動作している間に第１の信号がどのように送信され得るかの例１２００を示す。より具体的には、図１２は、２ｍｓの持続時間を有するＬＢＴ−ＬＢＥ無線フレーム１２０５を示す。ＬＢＴ−ＬＢＥ無線フレーム１２０５は、各々が１ｍｓの持続時間を有する、第１のＬＴＥ／ＬＴＥ−Ａサブフレーム１２１０と第２のＬＴＥ／ＬＴＥ−Ａサブフレーム１２１５とを含み得る。第１のＬＴＥ／ＬＴＥ−Ａサブフレーム１２１０および第２のＬＴＥ／ＬＴＥ−Ａサブフレーム１２１５の各々は、複数のＯＦＤＭシンボル期間の境界１２２５によって境界を接する複数のＯＦＤＭシンボル期間１２２０（たとえば、１４個のＯＦＤＭシンボル期間）を含み得る。
【０１４７】
[0175]いくつかの例では、基地局は、第１のＬＢＴ−ＬＢＥ無線フレーム１２０５の第１の部分の間に（たとえば、第１のＬＢＴ−ＬＢＥ無線フレーム１２０５の開始において、またはその近くで）同期信号または整列信号を送信することができる。たとえば、ＬＢＴ−ＬＢＥ無線フレーム１２０５の開始のタイミングが成功した拡張ＣＣＡ手順の完了のタイミングに基づいて変化し得るので（たとえば、成功した拡張ＣＣＡ手順の完了のタイミングは、無線周波数スペクトル帯域上でのＬＢＴ−ＦＢＥフレーム構造のＯＦＤＭシンボル境界、スロット境界、および／もしくはサブフレーム境界に関して、無線周波数スペクトル帯域を通じて送信される発見信号（たとえば、ＣＥＴ）のタイミングに関して、ならびに／または、免許無線周波数スペクトル帯域を通じた送信のＯＦＤＭシンボル境界、スロット境界、および／もしくはサブフレーム境界（たとえば、免許無線周波数スペクトル帯域を通じた主要サービングセルからの送信のＯＦＤＭシンボル境界、スロット境界、および／またはサブフレーム境界）に関して変化し得る）、および／または、基地局またはｅＮＢの複数のダウンリンク送信の間でのＯＦＤＭシンボルレベルの同期が望ましいことがあるので、同期信号または整列信号が送信され得る。
【０１４８】
[0176]いくつかの例では、同期信号または整列信号は、可変長訓練シーケンス１２３０（たとえば、ＯＦＤＭシンボル期間１２２０の持続時間未満の持続時間を有する断片的ＣＵＢＳ）を含むが固定長訓練シーケンス１２３５を含まないことがある。他の例では、同期信号または整列信号は、可変長訓練シーケンス１２３０と少なくとも１つの固定長訓練シーケンス１２３５（たとえば、各々があるＯＦＤＭシンボル期間にまたがる少なくとも１つのＣＵＢＳ）とを含み得る。他の例では、同期信号または整列信号は、固定長訓練シーケンス１２３５を含むが可変長訓練シーケンス１２３０を含まないことがある。可変長訓練シーケンス１２３０および／または固定長訓練シーケンス１２３５（これらは個々にまたは集合的に第１の信号を構成し得る）は、いくつかの例では、ダウンリンク送信をＯＦＤＭシンボル期間１２２０の境界１２３０と揃えるために使用され得る。
【０１４９】
[0177]例として、図１２は、ＯＦＦ時間１２４０で開始し、その後に可変長訓練シーケンス１２３０、固定長訓練シーケンス１２３５、およびダウンリンク送信１２４５が続く、第１のＬＴＥ／ＬＴＥ−Ａサブフレーム１２１０を示す。いくつかの例では、ＯＦＦ時間１２４０は、たとえば、ＬＢＴ−ＦＢＥ送信のための１００マイクロ秒（μｓｅｃ）の最小のＯＦＦ時間およびＬＢＴ−ＬＢＥ送信のための１００μｓｅｃ（５×２０μｓｅｃ）の最大のＯＦＦ時間によって決定される、１００μｓｅｃの持続時間を有し得る。
【０１５０】
[0178]図１３は、本開示の様々な態様による、第２の信号の開始点を無線周波数スペクトル帯域と関連付けられる基準の境界と揃えるように、無線周波数スペクトル帯域においてＬＢＴ−ＬＢＥ動作モードで動作している間に第１の信号がどのように送信され得るかの例１３００を示す。より具体的には、図１３は、４ｍｓの持続時間を有するＬＢＴ−ＬＢＥ無線フレーム１３０５を示す。ＬＢＴ−ＬＢＥ無線フレーム１３０５は、各々が１ｍｓの持続時間を有する、第１のＬＴＥ／ＬＴＥ−Ａサブフレーム１３１０と、第２のＬＴＥ／ＬＴＥ−Ａサブフレーム１３１５と、第３のＬＴＥ／ＬＴＥ−Ａサブフレーム１３２０と、第４のＬＴＥ／ＬＴＥ−Ａサブフレーム１３２５とを含み得る。第１のＬＴＥ／ＬＴＥ−Ａサブフレーム１３１０、第２のＬＴＥ／ＬＴＥ−Ａサブフレーム１３１５、第３のＬＴＥ／ＬＴＥ−Ａサブフレーム１３２０、および第４のＬＴＥ／ＬＴＥ−Ａサブフレーム１３２５の各々は、複数のＯＦＤＭシンボル期間の境界１３３５によって境界を接する複数のＯＦＤＭシンボル期間１３３０（たとえば、１４個のＯＦＤＭシンボル期間）を含み得る。
【０１５１】
[0179]いくつかの例では、基地局は、第１のＬＢＴ−ＬＢＥ無線フレーム１３０５の第１の部分の間に（たとえば、第１のＬＢＴ−ＬＢＥ無線フレーム１３０５の開始において、またはその近くで）同期信号または整列信号を送信することができる。たとえば、ＬＢＴ−ＬＢＥ無線フレーム１３０５の開始のタイミングが成功した拡張ＣＣＡ手順の完了のタイミングに基づいて変化し得るので（たとえば、成功した拡張ＣＣＡ手順の完了のタイミングは、無線周波数スペクトル帯域上でのＬＢＴ−ＦＢＥフレーム構造のＯＦＤＭシンボル境界、スロット境界、および／もしくはサブフレーム境界に関して、無線周波数スペクトル帯域を通じて送信される発見信号（たとえば、ＣＥＴ）のタイミングに関して、ならびに／または、免許無線周波数スペクトル帯域を通じた送信のＯＦＤＭシンボル境界、スロット境界、および／もしくはサブフレーム境界（たとえば、免許無線周波数スペクトル帯域を通じた主要サービングセルからの送信のＯＦＤＭシンボル境界、スロット境界、および／またはサブフレーム境界）に関して変化し得る）、および／または、基地局またはｅＮＢの複数のダウンリンク送信の間でのＯＦＤＭシンボルレベルの同期が望ましいことがあるので、同期信号または整列信号が送信され得る。
【０１５２】
[0180]いくつかの例では、同期信号または整列信号は、可変長訓練シーケンス１３４０（たとえば、ＯＦＤＭシンボル期間１３３０の持続時間未満の持続時間を有する断片的ＣＵＢＳ）を含むが固定長訓練シーケンス１３４５を含まないことがある。他の例では、同期信号または整列信号は、可変長訓練シーケンス１３４０と少なくとも１つの固定長訓練シーケンス１３４５（たとえば、各々があるＯＦＤＭシンボル期間にまたがる少なくとも１つのＣＵＢＳ）とを含み得る。他の例では、同期信号または整列信号は、固定長訓練シーケンス１３４５を含むが可変長訓練シーケンス１３４０を含まないことがある。可変長訓練シーケンス１３４０および／または固定長訓練シーケンス１３４５（これらは個々にまたは集合的に第１の信号を構成し得る）は、いくつかの例では、ダウンリンク送信をＯＦＤＭシンボル期間１３３０の境界１３３５と揃えるために使用され得る。
【０１５３】
[0181]例として、図１３は、ＯＦＦ時間１３５０で開始し、その後に可変長訓練シーケンス１３４０、固定長訓練シーケンス１３４５、およびダウンリンク送信１３５５が続く、第１のＬＴＥ／ＬＴＥ−Ａサブフレーム１３１０を示す。いくつかの例では、ＯＦＦ時間１３５０は、たとえば、ＬＢＴ−ＦＢＥ送信のための２００マイクロ秒（μｓｅｃ）の最小のＯＦＦ時間およびＬＢＴ−ＬＢＥ送信のための２００μｓｅｃ（１０×２０μｓｅｃ）の最大のＯＦＦ時間によって決定される、２００μｓｅｃの持続時間を有し得る。
【０１５４】
[0182]図１４は、本開示の様々な態様による、第２の信号の開始点を無線周波数スペクトル帯域と関連付けられる基準の境界と揃えるように、無線周波数スペクトル帯域においてＬＢＴ−ＬＢＥ動作モードで動作している間に第１の信号がどのように送信され得るかの例１４００を示す。より具体的には、図１４は、１０ｍｓの持続時間を有するＬＢＴ−ＬＢＥ無線フレーム１４０５を示す。ＬＢＴ−ＬＢＥ無線フレーム１４０５は、各々が１ｍｓの持続時間を有する、第１のＬＴＥ／ＬＴＥ−Ａサブフレーム１４１０と、第２のＬＴＥ／ＬＴＥ−Ａサブフレーム１４１５と、第１０のＬＴＥ／ＬＴＥ−Ａサブフレーム１４２０とを含む、１０個のＬＴＥ／ＬＴＥ−Ａサブフレームを含み得る。（第１のＬＴＥ／ＬＴＥ−Ａサブフレーム１４１０と、第２のＬＴＥ／ＬＴＥ−Ａサブフレーム１４１５と、第１０のＬＴＥ／ＬＴＥ−Ａサブフレーム１４２０とを含むＬＴＥ／ＬＴＥ−Ａサブフレームの各々は、複数のＯＦＤＭシンボル期間の境界１４３０によって境界を接する複数のＯＦＤＭシンボル期間１４２５（たとえば、１４個のＯＦＤＭシンボル期間）を含み得る。
【０１５５】
[0183]いくつかの例では、基地局は、第１のＬＢＴ−ＬＢＥ無線フレーム１４０５の第１の部分の間に（たとえば、第１のＬＢＴ−ＬＢＥ無線フレーム１４０５の開始において、またはその近くで）同期信号または整列信号を送信することができる。たとえば、ＬＢＴ−ＬＢＥ無線フレーム１４０５の開始のタイミングが成功した拡張ＣＣＡ手順の完了のタイミングに基づいて変化し得るので（たとえば、成功した拡張ＣＣＡ手順の完了のタイミングは、無線周波数スペクトル帯域上でのＬＢＴ−ＦＢＥフレーム構造のＯＦＤＭシンボル境界、スロット境界、および／もしくはサブフレーム境界に関して、無線周波数スペクトル帯域を通じて送信される発見信号（たとえば、ＣＥＴ）のタイミングに関して、ならびに／または、免許無線周波数スペクトル帯域を通じた送信のＯＦＤＭシンボル境界、スロット境界、および／もしくはサブフレーム境界（たとえば、免許無線周波数スペクトル帯域を通じた主要サービングセルからの送信のＯＦＤＭシンボル境界、スロット境界、および／またはサブフレーム境界）に関して変化し得る）、および／または、基地局またはｅＮＢの複数のダウンリンク送信の間でのＯＦＤＭシンボルレベルの同期が望ましいことがあるので、同期信号または整列信号が送信され得る。
【０１５６】
[0184]いくつかの例では、同期信号または整列信号は、可変長訓練シーケンス１４３５（たとえば、ＯＦＤＭシンボル期間１４２５の持続時間未満の持続時間を有する断片的ＣＵＢＳ）を含むが固定長訓練シーケンス１４４０を含まないことがある。他の例では、同期信号または整列信号は、可変長訓練シーケンス１４３５と少なくとも１つの固定長訓練シーケンス１４４０（たとえば、各々があるＯＦＤＭシンボル期間にまたがる少なくとも１つのＣＵＢＳ）とを含み得る。他の例では、同期信号または整列信号は、固定長訓練シーケンス１４４０を含むが可変長訓練シーケンス１４３５を含まないことがある。可変長訓練シーケンス１４３５および／または固定長訓練シーケンス１４４０（これらは個々にまたは集合的に第１の信号を構成し得る）は、いくつかの例では、ダウンリンク送信をＯＦＤＭシンボル期間１４２５の境界１４３０と揃えるために使用され得る。
【０１５７】
[0185]例として、図１４は、ＯＦＦ時間１４４５で開始し、その後に可変長訓練シーケンス１４３５、固定長訓練シーケンス１４４０、およびダウンリンク送信１４５０が続く、第１のＬＴＥ／ＬＴＥ−Ａサブフレーム１４１０を示す。いくつかの例では、ＯＦＦ時間１４４５は、たとえば、ＬＢＴ−ＦＢＥ送信のための５００マイクロ秒（μｓｅｃ）の最小のＯＦＦ時間およびＬＢＴ−ＬＢＥ送信のための５００μｓｅｃ（２５×２０μｓｅｃ）の最大のＯＦＦ時間によって決定される、５００μｓｅｃの持続時間を有し得る。
【０１５８】
[0186]図１５は、本開示の様々な態様による、第２の信号の開始点を無線周波数スペクトル帯域と関連付けられる基準の境界と揃えるように、無線周波数スペクトル帯域においてＬＢＴ−ＬＢＥ動作モードで動作している間に第１の信号がどのように送信され得るかの例１５００を示す。より具体的には、図１５は、１０ｍｓの持続時間を有するＬＢＴ−ＬＢＥ無線フレーム１５０５を示す。ＬＢＴ−ＬＢＥ無線フレーム１５０５は、各々が１ｍｓの持続時間を有する、第１のＬＴＥ／ＬＴＥ−Ａサブフレーム１５１０と、第２のＬＴＥ／ＬＴＥ−Ａサブフレーム１５１５と、第１０のＬＴＥ／ＬＴＥ−Ａサブフレーム１５２０とを含む、１０個のＬＴＥ／ＬＴＥ−Ａサブフレームを含み得る。（第１のＬＴＥ／ＬＴＥ−Ａサブフレーム１５１０と、第２のＬＴＥ／ＬＴＥ−Ａサブフレーム１５１５と、第１０のＬＴＥ／ＬＴＥ−Ａサブフレーム１５２０とを含むＬＴＥ／ＬＴＥ−Ａサブフレームの各々は、複数のＯＦＤＭシンボル期間の境界１５３０によって境界を接する複数のＯＦＤＭシンボル期間１５２５（たとえば、１４個のＯＦＤＭシンボル期間）を含み得る。
【０１５９】
[0187]いくつかの例では、基地局は、第１のＬＢＴ−ＬＢＥ無線フレーム１５０５の第１の部分の間に（たとえば、第１のＬＢＴ−ＬＢＥ無線フレーム１５０５の開始において、またはその近くで）同期信号または整列信号を送信することができる。たとえば、ＬＢＴ−ＬＢＥ無線フレーム１５０５の開始のタイミングが成功した拡張ＣＣＡ手順の完了のタイミングに基づいて変化し得るので（たとえば、成功した拡張ＣＣＡ手順の完了のタイミングは、無線周波数スペクトル帯域上でのＬＢＴ−ＦＢＥフレーム構造のＯＦＤＭシンボル境界、スロット境界、および／もしくはサブフレーム境界に関して、無線周波数スペクトル帯域を通じて送信される発見信号（たとえば、ＣＥＴ）のタイミングに関して、ならびに／または、免許無線周波数スペクトル帯域を通じた送信のＯＦＤＭシンボル境界、スロット境界、および／もしくはサブフレーム境界（たとえば、免許無線周波数スペクトル帯域を通じた主要サービングセルからの送信のＯＦＤＭシンボル境界、スロット境界、および／またはサブフレーム境界）に関して変化し得る）、および／または、基地局またはｅＮＢの複数のダウンリンク送信の間でのＯＦＤＭシンボルレベルの同期が望ましいことがあるので、同期信号または整列信号が送信され得る。
【０１６０】
[0188]いくつかの例では、同期信号または整列信号は、可変長訓練シーケンス１５３５（たとえば、ＯＦＤＭシンボル期間１５２５の持続時間未満の持続時間を有する断片的ＣＵＢＳ）を含むが固定長訓練シーケンスを含まないことがある。他の例では、同期信号または整列信号は、可変長訓練シーケンス１５３５と少なくとも１つの固定長訓練シーケンス１５４０、１５４５、１５５０、１５５５、１５６０、１５６５、および／または１５７０（たとえば、各々があるＯＦＤＭシンボル期間にまたがる少なくとも１つのＣＵＢＳ）とを含み得る。他の例では、同期信号または整列信号は、固定長訓練シーケンス１５４０、１５４５、１５５０、１５５５、１５６０、１５６５、および／または１５７０を含むが可変長訓練シーケンス１５３５を含まないことがある。可変長訓練シーケンス１５３５および／または固定長訓練シーケンス１５４０、１５４５、１５５０、１５５５、１５６０、１５６５、および／または１５７０（これらは個々にまたは集合的に第１の信号を構成し得る）は、いくつかの例では、ダウンリンク送信をＯＦＤＭシンボル期間１５２５の境界１５３０と、さらには第２のＬＴＥ／ＬＴＥ−Ａサブフレーム１５１５の境界１５７５と揃えるために使用され得る。
【０１６１】
[0189]例として、図１５は、ＯＦＦ時間１５８０で開始し、その後に可変長訓練シーケンス１５３５、複数の固定長訓練シーケンス１５４０、１５４５、１５５０、１５５５、１５６０、１５６５、および１５７０、ならびにダウンリンク送信１５８５が続く、第１のＬＴＥ／ＬＴＥ−Ａサブフレーム１５１０を示す。いくつかの例では、ＯＦＦ時間１５８０は、たとえば、ＬＢＴ−ＦＢＥ送信のための５００マイクロ秒（μｓｅｃ）の最小のＯＦＦ時間およびＬＢＴ−ＬＢＥ送信のための５００μｓｅｃ（２５×２０μｓｅｃ）の最大のＯＦＦ時間によって決定される、５００μｓｅｃの持続時間を有し得る。
【０１６２】
[0190]図３および図１２〜図１５は、異なる持続時間（たとえば、２ｍｓ、４ｍｓ、または１０ｍｓ）を有するＬＢＴ無線フレーム（たとえば、ＬＢＴ−ＦＢＥ無線フレームおよび／またはＬＢＴ−ＬＢＥ無線フレーム）を示す。ＬＢＴ無線フレームの持続時間は、無線周波数スペクトル帯域を通じた二次的サービングセルへのアップリンク送信に対する影響を有し得る。アップリンクデータ送信はスケジューリングされ、スケジューリングされたアップリンクデータ送信を有するＵＥだけが、ＵＣＣＡ手順を実行することができる。時間領域複信（ＴＤＤ）フレーム構成では、アップリンクサブフレームの前の最後のダウンリンクサブフレームは、ｔｉｍｉｎｇ  ａｄｖａｎｃｅ（ＴＡ）およびＵＣＣＡ手順の実行に備えて切り捨てられ得る。
【０１６３】
[0191]スケジューリングされたアップリンクデータ送信（たとえば、アップリンクサブフレーム）は、ダウンリンクサブフレームにおいて告知され得る。アップリンクデータ送信の告知は、スケジューリングされたアップリンクデータ送信のために必要とされる無線周波数スペクトル帯域の１つまたは複数のチャネルを近くの基地局またはｅＮＢが獲得することを防ぐのを助け、サービングｅＮＢにおけるアップリンク上での受信の阻止を防ぐ。
【０１６４】
[0192]いくつかの例では、ＬＢＴ無線フレームは、無線周波数スペクトル帯域を通じて二次的サービングセルからＵＥに送信されてよく、ＬＢＴ無線フレームは２ｍｓの持続時間を有してよく、すべてがダウンリンクサブフレームである構成またはすべてがアップリンクサブフレームである構成のいずれかである。これらの例では、アップリンクサブフレームのためのアップリンクグラントは、二次的サービングセルのダウンリンクサブフレームにおいて送信されてよく、ＵＬグラントは２ｍｓ以下の遅延である。いくつかの例では、ＬＢＴ無線フレームは、無線周波数スペクトル帯域を通じて二次的サービングセルからＵＥに送信されてよく、ＬＢＴ無線フレームは４ｍｓまたは５ｍｓの持続時間を有してよく、すべてがダウンリンクサブフレームである構成またはすべてがアップリンクサブフレームである構成のいずれかである。これらの例では、アップリンクサブフレームのためのアップリンクグラントは、ＬＴＥ／ＬＴＥ−Ａ規格のリリース８において規定されるようなものであるＵＬグラントの遅延を伴って、二次的サービングセルのダウンリンクサブフレームにおいて送信され得る。代替的に、アップリンクサブフレームのためのアップリンクグラントは、ＬＴＥ／ＬＴＥ−Ａ規格のリリース８において規定されるものよりも最大で１ｍｓ長くまたは短いＵＬグラントの遅延を伴って、主要サービングセルのダウンリンクサブフレームにおいて送信され得る。いくつかの例では、ＬＢＴ無線フレームは、無線周波数スペクトル帯域を通じて二次的サービングセルからＵＥに送信されてよく、ＬＢＴ無線フレームは、ダウンリンクサブフレームとアップリンクサブフレームの両方を含む１つまたは複数のＴＤＤ構成に従って、１０ｍｓの持続時間を有し得る。これらの例では、アップリンクサブフレームのためのアップリンクグラントは、ＬＴＥ／ＬＴＥ−Ａ規格のリリース８において規定されるようなものと同一または同様であるＵＬグラントの遅延を伴って、二次的サービングセルのダウンリンクサブフレームにおいて送信され得る。代替的に、アップリンクサブフレームのためのアップリンクグラントは、ＬＴＥ／ＬＴＥ−Ａ規格のリリース１１において規定されるようなものと同一または同様であるＵＬグラントの遅延を伴って、主要サービングセルのダウンリンクサブフレームにおいて送信され得る。
【０１６５】
[0193]図１６は、本開示の様々な態様による、無線周波数スペクトル帯域において１つまたは複数のオーバーヘッド送信がどのように行われ得るかの例１６００を示す。より具体的には、図１６は、第１のフレーム期間（たとえば、第１のＬＢＴ無線フレーム）の第１のサブフレーム１６５５と、第２のフレーム期間（たとえば、第２のＬＢＴ無線フレーム）の第１のサブフレーム１６６０とを示す。第１のサブフレーム１６５５および第１のサブフレーム１６６０の各々は、複数のＯＦＤＭシンボル期間を含み得る。
【０１６６】
[0194]第１のフレーム期間の間に無線周波数スペクトル帯域にアクセスするためのコンテンションに勝利すると、送信装置はある周期性で（たとえば、固定された周期性で）信号を送信することができる。信号は、第１のフレーム期間の１つまたは複数のサブフレーム（たとえば、第１のサブフレーム１６５５）の間にその周期性で送信され得る。送信装置が複数の異なるフレーム期間（たとえば、１０ミリ秒、５ミリ秒、および／または２ミリ秒のフレーム期間）を送信し、それらの複数の異なるフレーム期間が第２のフレーム期間を含むとき、または、送信装置が第２のフレーム期間を含む複数の異なるフレーム期間の中の第１のフレーム期間を選択するとき、送信装置は、複数の異なるフレーム期間の各々に対してその周期性で信号を送信することができる。すなわち、その信号は、送信装置がコンテンションに勝利するフレームとは無関係にその周期性で送信されてよく、それによって、信号の処理を、送信装置が無線周波数スペクトルにアクセスするためのコンテンションに勝利するフレームの変化にかかわらず、受信装置とは無関係にする。いくつかの例では、信号はオーバーヘッドチャネルにおいて送信されてよく、オーバーヘッドチャネルは、ＣＲＳ、ｅＣＲＳ、ＣＳＩ−ＲＳ、同期信号、および／またはＳＩＢブロードキャストチャネルを含み得る。
【０１６７】
[0195]示されるように、信号は、第１のフレーム期間の第１のサブフレーム１６５５のＯＦＤＭシンボル期間１６１０、１６１５、１６２０、および／または１６２５において送信され得る。信号はさらに、または代替的に、第２のフレーム期間の第１のサブフレーム１６６０のＯＦＤＭシンボル期間１６３０、１６３５、１６４０、および／または１６４５において送信され得る。ＯＦＤＭシンボル期間１６１０、１６１５、１６２０、および１６２５は、１つまたは複数の固定された時間における信号の送信を可能にするために、ＯＦＤＭシンボル期間１６３０、１６３５、１６４０、および１６４５のそれぞれのものと時間的に揃えられ得る。信号はまた、ＯＦＤＭシンボル期間の各々の中の固定された１つまたは複数の周波数位置において送信され得る。
【０１６８】
[0196]信号の送信がコンテンション手順１６５０のタイミングと競合すると決定されるとき、信号の送信は防がれ得る。たとえば、第１のサブフレーム１６６０のＯＦＤＭシンボル期間１６３０における信号の送信は、コンテンション手順１６５０のタイミングと競合すると決定されることがあり、したがって、ＯＦＤＭシンボル期間１６３０の間の信号の送信は防がれ得る。
【０１６９】
[0197]図１７は、本開示の様々な態様による、ワイヤレス通信において使用するための装置１７０５のブロック図１７００を示す。いくつかの例では、装置１７０５は、図１および／または図２を参照して説明された基地局１０５、２０５、および／または２０５−ａの１つまたは複数の態様の例、および／または、図１および／または図２を参照して説明されたＵＥ１１５、２１５、２１５−ａ、２１５−ｂ、および／または２１５−ｃの１つまたは複数の態様の例であり得る。装置１７０５はまた、プロセッサであり得る。装置１７０５は、受信機モジュール１７１０、ワイヤレス通信管理モジュール１７２０、および／または送信機モジュール１７３０を含み得る。これらのコンポーネントの各々は、互いに通信し得る。
【０１７０】
[0198]装置１７０５のコンポーネントは、個々にまたは集合的に、ハードウェアにおいて適用可能な機能の一部またはすべてを実行するように適応された１つまたは複数の特定用途向け集積回路（ＡＳＩＣ）を使用して実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１７１】
[0199]いくつかの例では、受信機モジュール１７１０は、免許無線周波数スペクトル帯域（たとえば、無線周波数スペクトル帯域がアクセスを共有するように複数のユーザに免許されているので、装置がアクセスを争い得る無線周波数スペクトル帯域）、および／または、免許不要無線周波数スペクトル帯域（たとえば、Ｗｉ−Ｆｉ用途のような免許不要の用途に無線周波数スペクトル帯域が利用可能であるので、装置がアクセスを争う必要があり得る無線周波数スペクトル帯域）上での送信を受信するように動作可能な少なくとも１つの無線周波数（ＲＦ）受信機のような、少なくとも１つのＲＦ受信機を含み得る。いくつかの例では、免許無線周波数スペクトル帯域および／または免許不要無線周波数スペクトル帯域は、たとえば、図１および／または図２を参照して説明されたように、ＬＴＥ／ＬＴＥ−Ａ通信のために使用され得る。受信機モジュール１７１０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を受信するために使用され得る。通信リンクは、免許無線周波数スペクトル帯域および／または免許不要無線周波数スペクトル帯域上で確立され得る。
【０１７２】
[0200]いくつかの例では、送信機モジュール１７３０は、免許無線周波数スペクトル帯域および／または免許不要無線周波数スペクトル帯域を通じて送信するように動作可能な少なくとも１つのＲＦ送信機のような、少なくとも１つのＲＦ送信機を含み得る。送信機モジュール１７３０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を送信するために使用され得る。通信リンクは、免許無線周波数スペクトル帯域および／または免許不要無線周波数スペクトル帯域上で確立され得る。
【０１７３】
[0201]いくつかの例では、ワイヤレス通信管理モジュール１７２０は、装置１７０５のためのワイヤレス通信の１つまたは複数の態様を管理するために使用され得る。いくつかの例では、ワイヤレス通信管理モジュール１７２０は、無線周波数スペクトル帯域中のチャネルを通じて情報（たとえば、Ｎビットの情報）を送信するために使用され得る。たとえば、ワイヤレス通信管理モジュール１７２０は、無線周波数スペクトル帯域中のチャネルにアクセスすること（たとえば、チャネルを予約すること）を示す信号とともに情報を送信するために使用され得る。いくつかの例では、無線周波数スペクトル帯域中のチャネルにアクセスすることを示す信号は、図４および／または図５を参照して説明されたＣＵＢＳ４４５および／または５４５のようなＣＵＢＳを含み得る。一例では、情報は、無線周波数スペクトル帯域中のチャネルにアクセスすることを示す信号の一部として送信され得る。別の例では、情報は、無線周波数スペクトル帯域中のチャネルにアクセスすることを示す信号とともに別の信号として送信され得る。送信される情報は、情報に後続する送信を復号する際に受信装置を助け、および／または、受信装置が電力を節約することなどを可能にし得る。
【０１７４】
[0202]いくつかの例では、ワイヤレス通信管理モジュール１７２０は、無線周波数スペクトル帯域と関連付けられる基準の境界の前に（たとえば、次のＯＦＤＭシンボル期間の境界の前に）成功したコンテンション手順（たとえば、ＤＣＣＡ手順またはＵＣＣＡ手順）が完了するとき、信号を送信するために使用され得る。第１の信号は、第２の信号の開始点を無線周波数スペクトル帯域と関連付けられる基準の境界と揃えるために使用され得る。いくつかの例では、第１の信号の開始は、無線周波数スペクトル帯域の基準の境界と一致しないことがあり、第１の信号の長さは、コンテンション手順が実行されるときと基準の境界（たとえば、次のＯＦＤＭシンボル期間の境界）が発生するときの間のタイミングの変動により、可変であり得る。
【０１７５】
[0203]いくつかの例では、ワイヤレス通信管理モジュール１７２０は、１つまたは複数のオーバーヘッドチャネル送信（たとえば、ｅＣＲＳ、ＣＳＩ−ＲＳ、同期信号、および／またはＳＩＢブロードキャストチャネル送信）を、ＬＢＴ無線フレーム期間の持続時間（たとえば、２ミリ秒、５ミリ秒、および／または１０ミリ秒）とは無関係に、１つもしくは複数の時間において、ならびに／または１つおよび／もしくは複数の周波数位置において行うために使用され得る。たとえば、ワイヤレス通信管理モジュール１７２０は、サブフレームが発生するＬＢＴ無線フレームの持続時間とは無関係に、１つまたは複数のサブフレームの間に１つまたは複数のオーバーヘッドチャネル送信を行うことができる。
【０１７６】
[0204]図１８は、本開示の様々な態様による、ワイヤレス通信において使用するための装置１８０５のブロック図１８００を示す。いくつかの例では、装置１８０５は、図１および／または図２を参照して説明された基地局１０５、２０５、および／または２０５−ａの１つまたは複数の態様の例、図１および／または図２を参照して説明されたＵＥ１１５、２１５、２１５−ａ、２１５−ｂ、および／または２１５−ｃの１つまたは複数の態様の例、および／または、図１７を参照して説明された装置１７０５の態様の例であり得る。装置１８０５はまた、プロセッサであり得る。装置１８０５は、受信機モジュール１８１０、ワイヤレス通信管理モジュール１８２０、および／または送信機モジュール１８３０を含み得る。これらのコンポーネントの各々は、互いに通信し得る。
【０１７７】
[0205]装置１８０５のコンポーネントは、個々にまたは集合的に、ハードウェアで適用可能な機能の一部またはすべてを実行するように適応された１つまたは複数のＡＳＩＣを使用して実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１７８】
[0206]いくつかの例では、受信機モジュール１８１０は、図１７を参照して説明された受信機モジュール１７１０の１つまたは複数の態様の例であり得る。いくつかの例では、受信機モジュール１８１０は、免許無線周波数スペクトル帯域（たとえば、アクセスを共有するように複数のユーザに免許されているので、装置がアクセスを争い得る無線周波数スペクトル帯域）、および／または、免許不要無線周波数スペクトル帯域（たとえば、Ｗｉ−Ｆｉ用途のような免許不要の用途に利用可能であるので、装置がアクセスを争う必要があり得る無線周波数スペクトル帯域）上での送信を受信するように動作可能な少なくとも１つの無線周波数（ＲＦ）受信機のような、少なくとも１つのＲＦ受信機を含み得る。いくつかの例では、免許無線周波数スペクトル帯域および／または免許不要無線周波数スペクトル帯域は、たとえば、図１および／または図２を参照して説明されたように、ＬＴＥ／ＬＴＥ−Ａ通信のために使用され得る。受信機モジュール１８１０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を受信するために使用され得る。通信リンクは、免許無線周波数スペクトル帯域および／または免許不要無線周波数スペクトル帯域上で確立され得る。
【０１７９】
[0207]いくつかの例では、送信機モジュール１８３０は、図１７を参照して説明された送信機モジュール１７３０の１つまたは複数の態様の例であり得る。いくつかの例では、送信機モジュール１８３０は、免許無線周波数スペクトル帯域および／または免許不要無線周波数スペクトル帯域を通じて送信するように動作可能な少なくとも１つのＲＦ送信機のような、少なくとも１つのＲＦ送信機を含み得る。送信機モジュール１８３０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を送信するために使用され得る。通信リンクは、免許無線周波数スペクトル帯域および／または免許不要無線周波数スペクトル帯域上で確立され得る。
【０１８０】
[0208]いくつかの例では、ワイヤレス通信管理モジュール１８２０は、図１７を参照して説明されたワイヤレス通信管理モジュール１７２０の１つまたは複数の態様の例であり得る。ワイヤレス通信管理モジュール１８２０は、チャネルアクセス指示モジュール１８３５および／または情報送信モジュール１８４０を含み得る。これらのコンポーネントの各々は、互いに通信し得る。
【０１８１】
[0209]いくつかの例では、チャネルアクセス指示モジュール１８３５は、無線周波数スペクトル帯域中の第１のチャネルにアクセスすること（たとえば、第１のチャネルを予約すること）を示すための第１の信号を送信するために使用され得る。
【０１８２】
[0210]いくつかの例では、チャネルアクセス指示モジュール１８３５は、複数のインターリーブされたリソースブロックを使用して第１の信号を送信することができる。この方式で第１の信号を送信することで、第１の信号は、無線周波数スペクトル帯域中の利用可能な周波数帯域幅の少なくともある割合を占有すること、および／または、１つまたは複数の規制上の要件（たとえば、第１の信号が利用可能な周波数帯域幅の少なくとも８０％を占有するという要件）を満たすことが可能になり得る。
【０１８３】
[0211]いくつかの例では、情報送信モジュール１８４０は、無線周波数スペクトル帯域において第１の信号とともに情報を送信するために使用され得る。送信される情報は、様々なタイプの情報を含み得る。いくつかの例では、情報は、セルＩＤ、ＰＬＭＮ  ＩＤ、またはこれらの組合せを含み得る。いくつかの例では、情報は、無線周波数スペクトル帯域における送信のためのフレーム構造（たとえば、ＬＢＴ無線フレームの持続時間）を示し得る。いくつかの例では、この情報は、無線周波数スペクトル帯域中のフレーム構造における送信のために使用されるサブフレームおよび／またはシンボルの数を示し得る（たとえば、１０個のサブフレームを含む１０ミリ秒のフレーム期間における送信のために５個のサブフレームが使用される）。無線周波数スペクトル帯域中のフレーム構造における送信のために使用されるサブフレームおよび／またはシンボルの数を示すことで、ＵＥのような受信装置は、低電力状態により早い時間に（たとえば、送信されたサブフレームを受信した直後に）入ることが可能になり得るので、電力が節約される。いくつかの例では、この情報は、無線周波数スペクトル帯域における送信のためのアップリンク構成および／またはダウンリンク構成（たとえば、無線周波数スペクトル帯域におけるフレーム構造のアップリンク構成および／またはダウンリンク構成）を示し得る。無線周波数スペクトル帯域における送信のためのアップリンク構成および／またはダウンリンク構成を示すことは、ｅＩＭＴＡ機能の性能を改善することができる。いくつかの例では、この情報は、フレームのうちの最大の数のサブフレームが無線周波数スペクトル帯域における送信のために使用されるかどうかを示し得る（たとえば、無線周波数スペクトル帯域のフレーム構造における送信のために最大の数のサブフレームが使用されるかどうかを示すために、または、無線周波数スペクトル帯域のフレーム構造における送信のために最大の数未満のサブフレームが使用されるかどうかを示すために、単一のビットが使用され得る）。いくつかの例では、この情報は、無線周波数スペクトル帯域中のコンポーネントキャリアで搬送される送信を受信するために使用すべきアンテナの数（たとえば、図９および／または図１０を参照して説明されたような、無線周波数スペクトル帯域のフレーム構造の間にコンポーネントキャリアの送信を受信するためのアンテナの数）を示し得る。この情報はさらに、または代替的に、他のタイプのシステム情報を含む、上のタイプの情報および／または他のタイプの情報の任意の組合せを含み得る。
【０１８４】
[0212]図１９は、本開示の様々な態様による、ワイヤレス通信において使用するための装置１９０５のブロック図１９００を示す。いくつかの例では、装置１９０５は、図１および／または図２を参照して説明された基地局１０５、２０５、および／または２０５−ａの１つまたは複数の態様の例、図１および／または図２を参照して説明されたＵＥ１１５、２１５、２１５−ａ、２１５−ｂ、および／または２１５−ｃの１つまたは複数の態様の例、および／または、図１７および／または図１８を参照して説明された装置１７０５および／または１８０５の態様の例であり得る。装置１９０５はまた、プロセッサであり得る。装置１９０５は、受信機モジュール１９１０、ワイヤレス通信管理モジュール１９２０、および／または送信機モジュール１９３０を含み得る。これらのコンポーネントの各々は、互いに通信し得る。
【０１８５】
[0213]装置１９０５のコンポーネントは、個々にまたは集合的に、ハードウェアで適用可能な機能の一部またはすべてを実行するように適応された１つまたは複数のＡＳＩＣを使用して実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０１８６】
[0214]いくつかの例では、受信機モジュール１９１０は、図１７および／または図１８を参照して説明された受信機モジュール１７１０および／または１８１０の１つまたは複数の態様の例であり得る。いくつかの例では、受信機モジュール１９１０は、免許無線周波数スペクトル帯域（たとえば、アクセスを共有するように複数のユーザに免許されているので、装置がアクセスを争い得る無線周波数スペクトル帯域）、および／または、免許不要無線周波数スペクトル帯域（たとえば、Ｗｉ−Ｆｉ用途のような免許不要の用途に利用可能であるので、装置がアクセスを争う必要があり得る無線周波数スペクトル帯域）上での送信を受信するように動作可能な少なくとも１つのＲＦ受信機のような、少なくとも１つのＲＦ受信機を含み得る。いくつかの例では、免許無線周波数スペクトル帯域および／または免許不要無線周波数スペクトル帯域は、たとえば、図１および／または図２を参照して説明されたように、ＬＴＥ／ＬＴＥ−Ａ通信のために使用され得る。いくつかの場合、受信機モジュール１９１０は、免許無線周波数スペクトル帯域および免許不要無線周波数スペクトル帯域のために別個の受信機を含み得る。別個の受信機は、いくつかの例では、免許無線周波数スペクトル帯域を通じて通信するための免許ＲＦスペクトル帯域ＬＴＥ／ＬＴＥ−Ａ受信機モジュール１９１２、および免許不要無線周波数スペクトル帯域を通じて通信するための免許不要ＲＦスペクトル帯域ＬＴＥ／ＬＴＥ−Ａ受信機モジュール１９１４の形態をとり得る。免許ＲＦスペクトル帯域ＬＴＥ／ＬＴＥ−Ａ受信機モジュール１９１２および／または免許不要ＲＦスペクトル帯域ＬＴＥ／ＬＴＥ−Ａ受信機モジュール１９１４を含む、受信機モジュール１９１０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を受信するために使用され得る。通信リンクは、免許無線周波数スペクトル帯域および／または免許不要無線周波数スペクトル帯域上で確立され得る。
【０１８７】
[0215]いくつかの例では、送信機モジュール１９３０は、図１７および／または図１８を参照して説明された送信機モジュール１７３０および／または１８３０の１つまたは複数の態様の例であり得る。いくつかの例では、送信機モジュール１９３０は、免許無線周波数スペクトル帯域および／または免許不要無線周波数スペクトル帯域を通じて送信するように動作可能な少なくとも１つのＲＦ送信機のような、少なくとも１つのＲＦ送信機を含み得る。いくつかの場合、送信機モジュール１９３０は、免許無線周波数スペクトル帯域および免許不要無線周波数スペクトル帯域のために別個の送信機を含み得る。別個の送信機は、いくつかの例では、免許無線周波数スペクトル帯域を通じて通信するための免許ＲＦスペクトル帯域ＬＴＥ／ＬＴＥ−Ａ送信機モジュール１９３２、および免許不要無線周波数スペクトル帯域を通じて通信するための免許不要ＲＦスペクトル帯域ＬＴＥ／ＬＴＥ−Ａ送信機モジュール１９３４の形態をとり得る。免許ＲＦスペクトル帯域ＬＴＥ／ＬＴＥ−Ａ送信機モジュール１９３２および／または免許不要ＲＦスペクトル帯域ＬＴＥ／ＬＴＥ−Ａ送信機モジュール１９３４を含む、送信機モジュール１９３０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を送信するために使用され得る。通信リンクは、免許無線周波数スペクトル帯域および／または免許不要無線周波数スペクトル帯域上で確立され得る。
【０１８８】
[0216]いくつかの例では、ワイヤレス通信管理モジュール１９２０は、図１７および／または図１８を参照して説明されたワイヤレス通信管理モジュール１７２０および／または１８２０の１つまたは複数の態様の例であり得る。ワイヤレス通信管理モジュール１９２０は、コンテンション管理モジュール１９３５、チャネルアクセス指示モジュール１９４０、情報送信モジュール１９４５、アンテナ選択モジュール１９６０、ＭＣＳ調整モジュール１９６５、および／またはデータ送信モジュール１９７０を含み得る。これらのコンポーネントの各々は、互いに通信し得る。
【０１８９】
[0217]いくつかの例では、コンテンション管理モジュール１９３５は、ある期間の時間の間（たとえば、無線周波数スペクトル帯域のフレーム期間の間）、無線周波数スペクトル帯域の１つまたは複数のチャネルへのアクセスを争うためのコンテンション手順を実行するために使用され得る。
【０１９０】
[0218]いくつかの例では、チャネルアクセス指示モジュール１９４０は、図１８を参照して説明されたチャネルアクセス指示モジュール１８３５の１つまたは複数の態様の例であり得る。いくつかの例では、チャネルアクセス指示モジュール１９４０は、無線周波数スペクトル帯域中の第１のチャネルにアクセスすること（たとえば、第１のチャネルを予約すること）を示すための第１の信号を送信するために使用され得る。いくつかの例では、第１の信号は、無線周波数スペクトル帯域中の第１のチャネルへのアクセスをめぐるコンテンションの成功の後で送信され得る。
【０１９１】
[0219]いくつかの例では、チャネルアクセス指示モジュール１９４０は、複数のインターリーブされたリソースブロックを使用して第１の信号を送信することができる。この方式で第１の信号を送信することで、第１の信号は、無線周波数スペクトル帯域中の利用可能な周波数帯域幅の少なくともある割合を占有し、１つまたは複数の規制上の要件（たとえば、第１の信号が利用可能な周波数帯域幅の少なくとも８０％を占有するという要件）を満たすことが可能になり得る。
【０１９２】
[0220]いくつかの例では、情報送信モジュール１９４５は、図１８を参照して説明された情報送信モジュール１８４０の１つまたは複数の態様の例であり得る。いくつかの例では、情報送信モジュール１９４５は、無線周波数スペクトル帯域において第１の信号とともに情報を送信するために使用され得る。送信される情報は、様々なタイプの情報を含み得る。いくつかの例では、情報は、セルＩＤ、ＰＬＭＮ  ＩＤ、またはこれらの組合せを含み得る。いくつかの例では、情報は、無線周波数スペクトル帯域における送信のためのフレーム構造（たとえば、ＬＢＴ無線フレームの持続時間）を示し得る。いくつかの例では、この情報は、無線周波数スペクトル帯域中のフレーム構造における送信のために使用されるサブフレームおよび／またはシンボルの数を示し得る（たとえば、１０個のサブフレームを含む１０ミリ秒のフレーム期間における送信のために５個のサブフレームが使用される）。無線周波数スペクトル帯域中のフレーム構造における送信のために使用されるサブフレームおよび／またはシンボルの数を示すことで、ＵＥのような受信装置は、低電力状態により早い時間に（たとえば、送信されたサブフレームを受信した直後に）入ることが可能になり得るので、電力が節約される。いくつかの例では、この情報は、無線周波数スペクトル帯域における送信のためのアップリンク構成および／またはダウンリンク構成（たとえば、無線周波数スペクトル帯域におけるフレーム構造のアップリンク構成および／またはダウンリンク構成）を示し得る。免許不要無線周波数スペクトル帯域における送信のためのアップリンク構成および／またはダウンリンク構成を示すことは、ｅＩＭＴＡ機能の性能を改善することができる。いくつかの例では、この情報は、フレームのうちの最大の数のサブフレームが無線周波数スペクトル帯域における送信のために使用されるかどうかを示し得る（たとえば、無線周波数スペクトル帯域のフレーム構造における送信のために最大の数のサブフレームが使用されるかどうかを示すために、または、無線周波数スペクトル帯域のフレーム構造における送信のために最大の数未満のサブフレームが使用されるかどうかを示すために、単一のビットが使用され得る）。いくつかの例では、この情報は、無線周波数スペクトル帯域中のコンポーネントキャリアで搬送される送信を受信するために使用すべきアンテナの数（たとえば、図９および／または図１１を参照して説明されたような、無線周波数スペクトル帯域のフレーム構造の間にコンポーネントキャリアの送信を受信するためのアンテナの数）を示し得る。この情報はさらに、または代替的に、他のタイプのシステム情報を含む、上のタイプの情報および／または他のタイプの情報の任意の組合せを含み得る。
【０１９３】
[0221]いくつかの例では、情報送信モジュール１９４５は、チャネルアクセス指示モジュール１９４０に情報を第１の信号の一部として送信させることによって、第１の信号とともに情報を送信することができる。たとえば、情報送信モジュール１９４５は、送信されるべき情報に依存するシーケンスを選択または生成するために使用され得るシーケンス選択モジュール１９５０を含み得る。たとえば、シーケンスは、セルＩＤ、ＰＬＭＮ  ＩＤ、またはこれらの組合せに依存し得る。シーケンスはさらに、または代替的に、本明細書で言及される情報のタイプの任意の１つまたは組合せに依存し得る。これらの例では、情報送信モジュール１９４５は、チャネルアクセス指示モジュール１９４０に、選択されたまたは生成されたシーケンスに少なくとも一部基づいて、第１の信号を生成させることができる。
【０１９４】
[0222]情報送信モジュール１９４５が情報を第１の信号の一部として送信することによって第１の信号とともに情報を送信することができる他の例では、情報送信モジュール１９４５は位相選択モジュール１９５５を含み得る。位相選択モジュール１９５５は、第１の信号の送信のための複数の位相の中の第１の位相を選択するために使用され得る。複数の位相の異なる位相は異なる情報に対応してよく、第１の位相は送信されるべき情報に対応してよい。これらの例では、情報送信モジュール１９４５は、チャネルアクセス指示モジュール１９４０に、第１の位相において第１の信号を送信させることができる。
【０１９５】
[0223]いくつかの例では、情報送信モジュール１９４５は、第１の信号とともに第２の信号において情報を送信することによって、第１の信号とともに情報を送信することができる。第２の信号は第１の信号とは別であり得る。
【０１９６】
[0224]いくつかの例では、チャネルアクセス指示モジュール１９４０は、無線周波数スペクトル帯域の単一のＯＦＤＭシンボル期間の間に第１の信号と情報とを送信することができる。いくつかの例では、チャネルアクセス指示モジュール１９４０は、無線周波数スペクトル帯域の第１のＯＦＤＭシンボル期間および無線周波数スペクトル帯域の第２のＯＦＤＭシンボル期間の間に第１の信号を送信することができ、情報送信モジュール１９４５は、無線周波数スペクトル帯域の第２のＯＦＤＭシンボル期間の間に情報を送信することによって第１の信号とともに情報を送信することができる。いくつかの例では、無線周波数スペクトル帯域の第１のＯＦＤＭシンボル期間および無線周波数スペクトル帯域の第２のＯＦＤＭシンボル期間は、隣接するＯＦＤＭシンボル期間であり得る。
【０１９７】
[0225]いくつかの例では、情報送信モジュール１９４５は、無線周波数スペクトル帯域において情報を搬送する第２の信号を送信することによって、無線周波数スペクトル帯域において第１の信号とともに情報を送信することができる。第１の信号が無線周波数スペクトル帯域の第１のＯＦＤＭシンボル期間および無線周波数スペクトル帯域の第２のＯＦＤＭシンボル期間の間に送信されるとき、情報送信モジュール１９４５は、いくつかの例では、無線周波数スペクトル帯域の第２のＯＦＤＭシンボル期間の間に第２の信号を送信することができる。これらの例では、第１の信号は、第２の信号のためのＡＧＣ情報および／または位相基準を提供し得る。
【０１９８】
[0226]情報送信モジュール１９４５が無線周波数スペクトル帯域において情報を搬送する第２の信号を送信することによって無線周波数スペクトル帯域において第１の信号とともに情報を送信するとき、第１の信号は第１の複数のインターリーブされたリソースブロックを使用して送信されてよく、および／または、第２の信号は第２の複数のインターリーブされたリソースブロックを使用して送信されてよい。この方式で第１の信号および／または第２の信号を送信することで、第１の信号および／または第２の信号は、無線周波数スペクトル帯域中の利用可能な周波数帯域幅の少なくともある割合を占有すること、および／または、１つまたは複数の規制上の要件（たとえば、第１の信号および／または第２の信号が利用可能な周波数帯域幅の少なくとも８０％を占有するという要件）を満たすことが可能になり得る。
【０１９９】
[0227]いくつかの例では、アンテナ選択モジュール１９６０は、無線周波数スペクトル帯域中のコンポーネントキャリアで搬送される送信を受信するために使用すべきアンテナの数を決定するために使用され得る。いくつかの例では、アンテナ選択モジュール１９６０は、コンポーネントキャリアと関連付けられるアップリンク構成またはダウンリンク構成（たとえば、コンポーネントキャリアのフレームおよび／またはサブフレームと関連付けられるアップリンク構成またはダウンリンク構成）に少なくとも一部基づいて、無線周波数スペクトル帯域中のコンポーネントキャリアで搬送される送信を受信するために使用すべきアンテナの数を決定するために使用され得る。同じまたは他の例では、アンテナ選択モジュール１９６０は、ＵＥにサービスするために使用される複数のコンポーネントキャリアの各々と関連付けられるコンテンション手順に少なくとも一部基づいて（たとえば、複数のコンポーネントキャリアの各々のために実行されるコンテンション手順の成功または失敗に少なくとも一部基づいて）、無線周波数スペクトル帯域中のコンポーネントキャリアで搬送される送信を受信するために使用すべきアンテナの数を決定することができる。
【０２００】
[0228]いくつかの例では、アンテナ選択モジュール１９６０は、コンポーネントキャリアのフレームの各サブフレームに対して、無線周波数スペクトル帯域中のコンポーネントキャリアで搬送される送信を受信するために使用すべきアンテナの数を選択することができる。いくつかの例では、アンテナ選択モジュール１９６０は、コンポーネントキャリアの各フレームに対して、無線周波数スペクトル帯域中のコンポーネントキャリアで搬送される送信を受信するために使用すべきアンテナの数を選択することができる。
【０２０１】
[0229]いくつかの例では、ＭＣＳ調整モジュール１９６５は、無線周波数スペクトル帯域中のコンポーネントキャリアを通じたデータ送信のためのＭＣＳを調整するために使用され得る。ＭＣＳは、無線周波数スペクトル帯域中のコンポーネントキャリアを受信するために使用すべきアンテナの数に少なくとも一部基づいて調整され得る。ワイヤレス通信管理モジュール１９２０はまた、データ送信のためのプリコーディング行列および／またはランクを調整するためのモジュールを含み得る。
【０２０２】
[0230]いくつかの例では、データ送信モジュール１９７０は、無線周波数スペクトル帯域中のコンポーネントキャリアを通じたデータ送信を送信するために使用され得る。いくつかの例では、データ送信は、調整されたプリコーディング行列、ランク、および／またはＭＣＳに従って送信され得る。
【０２０３】
[0231]図２０は、本開示の様々な態様による、ワイヤレス通信において使用するための装置２００５のブロック図２０００を示す。いくつかの例では、装置２００５は、図１および／または図２を参照して説明された基地局１０５、２０５、および／または２０５−ａの１つまたは複数の態様の例、図１および／または図２を参照して説明されたＵＥ１１５、２１５、２１５−ａ、２１５−ｂ、および／または２１５−ｃの１つまたは複数の態様の例、および／または、図１７を参照して説明された装置１７０５の態様の例であり得る。装置２００５はまた、プロセッサであり得る。装置２００５は、受信機モジュール２０１０、ワイヤレス通信管理モジュール２０２０、および／または送信機モジュール２０３０を含み得る。これらのコンポーネントの各々は、互いに通信し得る。
【０２０４】
[0232]装置２００５のコンポーネントは、個々にまたは集合的に、ハードウェアで適用可能な機能の一部またはすべてを実行するように適応された１つまたは複数のＡＳＩＣを使用して実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０２０５】
[0233]いくつかの例では、受信機モジュール２０１０は、図１７を参照して説明された受信機モジュール１７１０の１つまたは複数の態様の例であり得る。いくつかの例では、受信機モジュール２０１０は、免許無線周波数スペクトル帯域（たとえば、アクセスを共有するように複数のユーザに免許されているので、装置がアクセスを争い得る無線周波数スペクトル帯域）、および／または、免許不要無線周波数スペクトル帯域（たとえば、Ｗｉ−Ｆｉ用途のような免許不要の用途に利用可能であるので、装置がアクセスを争う必要があり得る無線周波数スペクトル帯域）上での送信を受信するように動作可能な少なくとも１つの無線周波数（ＲＦ）受信機のような、少なくとも１つのＲＦ受信機を含み得る。いくつかの例では、免許無線周波数スペクトル帯域および／または免許不要無線周波数スペクトル帯域は、たとえば、図１および／または図２を参照して説明されたように、ＬＴＥ／ＬＴＥ−Ａ通信のために使用され得る。受信機モジュール２０１０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を受信するために使用され得る。通信リンクは、免許無線周波数スペクトル帯域および／または免許不要無線周波数スペクトル帯域上で確立され得る。
【０２０６】
[0234]いくつかの例では、送信機モジュール２０３０は、図１７を参照して説明された送信機モジュール１７３０の１つまたは複数の態様の例であり得る。いくつかの例では、送信機モジュール２０３０は、免許無線周波数スペクトル帯域および／または免許不要無線周波数スペクトル帯域を通じて送信するように動作可能な少なくとも１つのＲＦ送信機のような、少なくとも１つのＲＦ送信機を含み得る。送信機モジュール２０３０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を送信するために使用され得る。通信リンクは、免許無線周波数スペクトル帯域および／または免許不要無線周波数スペクトル帯域上で確立され得る。
【０２０７】
[0235]いくつかの例では、ワイヤレス通信管理モジュール２０２０は、図１７を参照して説明されたワイヤレス通信管理モジュール１７２０の１つまたは複数の態様の例であり得る。ワイヤレス通信管理モジュール２０２０は、コンテンション管理モジュール２０３５および／または整列信号送信モジュール２０４０を含み得る。これらのコンポーネントの各々は、互いに通信し得る。
【０２０８】
[0236]いくつかの例では、コンテンション管理モジュール２０３５は、ある期間の時間の間（たとえば、無線周波数スペクトル帯域のフレーム期間の間）、無線周波数スペクトル帯域の１つまたは複数のチャネルへのアクセスを争うためのコンテンション手順を実行するために使用され得る。
【０２０９】
[0237]いくつかの例では、無線周波数スペクトル帯域にアクセスするためのコンテンションに勝利した後で、整列信号送信モジュール２０４０は、第２の信号の開始点を無線周波数スペクトル帯域と関連付けられる基準の境界と揃えるように、第１の信号を送信するために使用され得る。いくつかの例では、第１の信号は第２の信号の前に送信され得る。
【０２１０】
[0238]装置２００５のいくつかの例では、第１の信号は可変長訓練シーケンスを含み得る。いくつかの例では、可変長訓練シーケンスは、固定された持続時間の１つまたは複数の送信ユニットを含み得る。装置２００５の他の例では、第１の信号は、可変長訓練シーケンスと少なくとも１つの固定長訓練シーケンスとを含み得る。
【０２１１】
[0239]装置２００５のいくつかの例では、第２の信号は、無線周波数スペクトル帯域にアクセスするためのコンテンションに勝利したことを示す信号（たとえば、ＣＵＢＳ）を含み得る。装置２００５の他の例（たとえば、装置２００５が無線周波数スペクトル帯域においてＬＢＴ−ＬＢＥ動作モードで動作している例）では、第２の信号はデータ送信を含み得る。
【０２１２】
[0240]装置２００５の例では、基準の境界はＯＦＤＭシンボル期間の境界を含み得る。これらの例では、コンテンション管理モジュール２０３５によって実行されるコンテンション手順は、ＯＦＤＭシンボル期間の間にコンテンションの優先順位に従って実行され得る。コンテンションの優先順位は、装置２００５が無線周波数スペクトル帯域と関連付けられるＯＦＤＭシンボル期間内のコンテンション手順をいつ実行するかを決定し得る。したがって、コンテンションの優先順位は、装置２００５が別の装置よりも時間的に早くコンテンション手順を実行するとき、他の装置に対してコンテンション手順に勝利するための優先権を装置２００５に与え得る。装置２００５のいくつかの例では、第１の信号は装置２００５のコンテンションの優先順位と関連付けられ得るので、第１の信号はコンテンションの優先順位に少なくとも一部基づいてＯＦＤＭシンボル期間の一部分の間に送信される。したがって、たとえば、第１の信号は、装置２００５がＯＦＤＭシンボル期間内でより早くコンテンション手順を実行することを許可するコンテンションの優先順位と第１の信号が関連付けられるとき、ＯＦＤＭシンボル期間のより大きな部分にわたって送信され得る。同様に、およびさらなる例として、第１の信号は、装置２００５がＯＦＤＭシンボル期間内でより遅くコンテンション手順を実行することを許可するコンテンションの優先順位と第１の信号が関連付けられるとき、ＯＦＤＭシンボル期間のより小さな部分にわたって送信され得る。
【０２１３】
[0241]いくつかの例では、整列信号送信モジュール２０４０は、第１の信号の一部として情報を送信することができる。情報は、たとえば、第２の信号のためのＡＧＣ情報および／または位相基準を含み得る。
【０２１４】
[0242]いくつかの例では、整列信号送信モジュール２０４０は、複数のインターリーブされたリソースブロックを使用して第１の信号を送信することができる。この方式で第１の信号を送信することで、第１の信号は、無線周波数スペクトル帯域中の利用可能な周波数帯域幅の少なくともある割合を占有すること、および／または、１つまたは複数の規制上の要件（たとえば、第１の信号が利用可能な周波数帯域幅の少なくとも８０％を占有するという要件）を満たすことが可能になり得る。
【０２１５】
[0243]図２１は、本開示の様々な態様による、ワイヤレス通信において使用するための装置２１０５のブロック図２１００を示す。いくつかの例では、装置２１０５は、図１および／または図２を参照して説明された基地局１０５、２０５、および／または２０５−ａの１つまたは複数の態様の例、図１および／または図２を参照して説明されたＵＥ１１５、２１５、２１５−ａ、２１５−ｂ、および／または２１５−ｃの１つまたは複数の態様の例、および／または、図１７および／または図２０を参照して説明された装置１７０５および／または２００５の態様の例であり得る。装置２１０５はまた、プロセッサであり得る。装置２１０５は、受信機モジュール２１１０、ワイヤレス通信管理モジュール２１２０、および／または送信機モジュール２１３０を含み得る。これらのコンポーネントの各々は、互いに通信し得る。
【０２１６】
[0244]装置２１０５のコンポーネントは、個々にまたは集合的に、ハードウェアで適用可能な機能の一部またはすべてを実行するように適応された１つまたは複数のＡＳＩＣを使用して実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０２１７】
[0245]いくつかの例では、受信機モジュール２１１０は、図１７および／または図２０を参照して説明された受信機モジュール１７１０および／または２０１０の１つまたは複数の態様の例であり得る。いくつかの例では、受信機モジュール２１１０は、免許無線周波数スペクトル帯域（たとえば、アクセスを共有するように複数のユーザに免許されているので、装置がアクセスを争い得る無線周波数スペクトル帯域）、および／または、免許不要無線周波数スペクトル帯域（たとえば、Ｗｉ−Ｆｉ用途のような免許不要の用途に利用可能であるので、装置がアクセスを争う必要があり得る無線周波数スペクトル帯域）上での送信を受信するように動作可能な少なくとも１つのＲＦ受信機のような、少なくとも１つのＲＦ受信機を含み得る。いくつかの例では、免許無線周波数スペクトル帯域および／または免許不要無線周波数スペクトル帯域は、たとえば、図１および／または図２を参照して説明されたように、ＬＴＥ／ＬＴＥ−Ａ通信のために使用され得る。いくつかの場合、受信機モジュール２１１０は、免許無線周波数スペクトル帯域および免許不要無線周波数スペクトル帯域のために別個の受信機を含み得る。別個の受信機は、いくつかの例では、免許無線周波数スペクトル帯域を通じて通信するための免許ＲＦスペクトル帯域ＬＴＥ／ＬＴＥ−Ａ受信機モジュール２１１２、および免許不要無線周波数スペクトル帯域を通じて通信するための免許不要ＲＦスペクトル帯域ＬＴＥ／ＬＴＥ−Ａ受信機モジュール２１１４の形態をとり得る。免許ＲＦスペクトル帯域ＬＴＥ／ＬＴＥ−Ａ受信機モジュール２１１２および／または免許不要ＲＦスペクトル帯域ＬＴＥ／ＬＴＥ−Ａ受信機モジュール２１１４を含む、受信機モジュール２１１０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を受信するために使用され得る。通信リンクは、免許無線周波数スペクトル帯域および／または免許不要無線周波数スペクトル帯域上で確立され得る。
【０２１８】
[0246]いくつかの例では、送信機モジュール２１３０は、図１７および／または図２０を参照して説明された送信機モジュール１７３０および／または２０３０の１つまたは複数の態様の例であり得る。いくつかの例では、送信機モジュール２１３０は、免許無線周波数スペクトル帯域および／または免許不要無線周波数スペクトル帯域を通じて送信するように動作可能な少なくとも１つのＲＦ送信機のような、少なくとも１つのＲＦ送信機を含み得る。いくつかの場合、送信機モジュール２１３０は、免許無線周波数スペクトル帯域および免許不要無線周波数スペクトル帯域のために別個の送信機を含み得る。別個の送信機は、いくつかの例では、免許無線周波数スペクトル帯域を通じて通信するための免許ＲＦスペクトル帯域ＬＴＥ／ＬＴＥ−Ａ送信機モジュール２１３２、および免許不要無線周波数スペクトル帯域を通じて通信するための免許不要ＲＦスペクトル帯域ＬＴＥ／ＬＴＥ−Ａ送信機モジュール２１３４の形態をとり得る。免許ＲＦスペクトル帯域ＬＴＥ／ＬＴＥ−Ａ送信機モジュール２１３２および／または免許不要ＲＦスペクトル帯域ＬＴＥ／ＬＴＥ−Ａ送信機モジュール２１３４を含む、送信機モジュール２１３０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を送信するために使用され得る。通信リンクは、免許無線周波数スペクトル帯域および／または免許不要無線周波数スペクトル帯域上で確立され得る。
【０２１９】
[0247]いくつかの例では、ワイヤレス通信管理モジュール２１２０は、図１７および／または図２０を参照して説明されたワイヤレス通信管理モジュール１７２０および／または２０２０の１つまたは複数の態様の例であり得る。ワイヤレス通信管理モジュール２１２０は、タイミング情報アクセスモジュール２１３５、コンテンション管理モジュール２１４０、基準境界決定モジュール２１４５、および／または整列信号送信モジュール２１５０を含み得る。これらのコンポーネントの各々は、互いに通信し得る。
【０２２０】
[0248]いくつかの例では、タイミング情報アクセスモジュール２１３５は、タイミング情報にアクセスするために使用され得る。タイミング情報は、たとえば、無線周波数スペクトル帯域と関連付けられる１つまたは複数の基準の境界のタイミングを含み得る。
【０２２１】
[0249]いくつかの例では、コンテンション管理モジュール２１４０は、図２０を参照して説明されたコンテンション管理モジュール２０３５の１つまたは複数の態様の例であり得る。いくつかの例では、コンテンション管理モジュール２１４０は、ある期間の時間の間（たとえば、無線周波数スペクトル帯域のフレーム期間の間）、無線周波数スペクトル帯域の１つまたは複数のチャネルへのアクセスを争うためのコンテンション手順を実行するために使用され得る。
【０２２２】
[0250]いくつかの例では、基準境界決定モジュール２１４５は、タイミング情報と無線周波数スペクトル帯域にアクセスするためのコンテンションに勝利したこととに少なくとも一部基づいて、無線周波数スペクトル帯域と関連付けられる基準の境界（たとえば、無線周波数スペクトル帯域にアクセスするためのコンテンションに勝利した後で出現する基準の境界）を決定するために使用され得る。
【０２２３】
[0251]いくつかの例では、整列信号送信モジュール２１５０は、図２０を参照して説明された整列信号送信モジュール２０４０の１つまたは複数の態様の例であり得る。いくつかの例では、整列信号送信モジュール２１５０は、第２の信号の開始点を無線周波数スペクトル帯域と関連付けられる決定された基準の境界と揃えるように、第１の信号を送信するために使用され得る。いくつかの例では、第１の信号は第２の信号の前に送信され得る。
【０２２４】
[0252]装置２１０５のいくつかの例では、第１の信号は可変長訓練シーケンスを含み得る。いくつかの例では、可変長訓練シーケンスは、固定された持続時間の１つまたは複数の送信ユニットを含み得る。装置２１０５の他の例では、第１の信号は、可変長訓練シーケンスと少なくとも１つの固定長訓練シーケンスとを含み得る。
【０２２５】
[0253]装置２１０５のいくつかの例では、第２の信号は、無線周波数スペクトル帯域にアクセスするためのコンテンションに勝利したことを示す信号（たとえば、ＣＵＢＳ）を含み得る。装置２１０５の他の例（たとえば、装置２１０５が無線周波数スペクトル帯域においてＬＢＴ−ＬＢＥ動作モードで動作している例）では、第２の信号はデータ送信を含み得る。
【０２２６】
[0254]装置２１０５の例では、基準の境界はＯＦＤＭシンボル期間の境界を含み得る。これらの例では、コンテンション管理モジュール２１４０によって実行されるコンテンション手順は、ＯＦＤＭシンボル期間の間にコンテンションの優先順位に従って実行され得る。コンテンションの優先順位は、装置２１０５が無線周波数スペクトル帯域と関連付けられるＯＦＤＭシンボル期間内のコンテンション手順をいつ実行するかを決定し得る。したがって、コンテンションの優先順位は、装置２１０５が別の装置よりも時間的に早くコンテンション手順を実行するとき、他の装置に対してコンテンション手順に勝利するための優先権を装置２１０５に与え得る。装置２１０５のいくつかの例では、第１の信号は装置２１０５のコンテンションの優先順位と関連付けられ得るので、第１の信号はコンテンションの優先順位に少なくとも一部基づいてＯＦＤＭシンボル期間の一部分の間に送信される。したがって、たとえば、第１の信号は、装置２１０５がＯＦＤＭシンボル期間内でより早くコンテンション手順を実行することを許可するコンテンションの優先順位と第１の信号が関連付けられるとき、ＯＦＤＭシンボル期間のより大きな部分にわたって送信され得る。同様に、およびさらなる例として、第１の信号は、装置２１０５がＯＦＤＭシンボル期間内でより遅くコンテンション手順を実行することを許可するコンテンションの優先順位と第１の信号が関連付けられるとき、ＯＦＤＭシンボル期間のより小さな部分にわたって送信され得る。
【０２２７】
[0255]いくつかの例では、基準の境界は、無線周波数スペクトル帯域と関連付けられるフレームのスロットの境界、および／または無線周波数スペクトル帯域と関連付けられるフレームのサブフレームの境界を含み得る。
【０２２８】
[0256]いくつかの例では、整列信号送信モジュール２１５０は、第１の信号の一部として情報を送信することができる。情報は、たとえば、第２の信号のためのＡＧＣ情報および／または位相基準を含み得る。
【０２２９】
[0257]いくつかの例では、整列信号送信モジュール２１５０は、複数のインターリーブされたリソースブロックを使用して第１の信号を送信することができる。この方式で第１の信号を送信することで、第１の信号は、無線周波数スペクトル帯域中の利用可能な周波数帯域幅の少なくともある割合を占有すること、および／または、１つまたは複数の規制上の要件（たとえば、第１の信号が利用可能な周波数帯域幅の少なくとも８０％を占有するという要件）を満たすことが可能になり得る。
【０２３０】
[0258]図２２は、本開示の様々な態様による、ワイヤレス通信において使用するための装置２２０５のブロック図２２００を示す。いくつかの例では、装置２２０５は、図１および／または図２を参照して説明された基地局１０５、２０５、および／または２０５−ａの１つまたは複数の態様の例、図１および／または図２を参照して説明されたＵＥ１１５、２１５、２１５−ａ、２１５−ｂ、および／または２１５−ｃの１つまたは複数の態様の例、および／または、図１７および／または図２０を参照して説明された装置１７０５および／または２００５の態様の例であり得る。装置２２０５はまた、プロセッサであり得る。装置２２０５は、受信機モジュール２２１０、ワイヤレス通信管理モジュール２２２０、および／または送信機モジュール２２３０を含み得る。これらのコンポーネントの各々は、互いに通信し得る。
【０２３１】
[0259]装置２２０５のコンポーネントは、個々にまたは集合的に、ハードウェアで適用可能な機能の一部またはすべてを実行するように適応された１つまたは複数のＡＳＩＣを使用して実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０２３２】
[0260]いくつかの例では、受信機モジュール２２１０は、図１７および／または図２０を参照して説明された受信機モジュール１７１０および／または２０１０の１つまたは複数の態様の例であり得る。いくつかの例では、受信機モジュール２２１０は、免許無線周波数スペクトル帯域（たとえば、アクセスを共有するように複数のユーザに免許されているので、装置がアクセスを争い得る無線周波数スペクトル帯域）、および／または、免許不要無線周波数スペクトル帯域（たとえば、Ｗｉ−Ｆｉ用途のような免許不要の用途に利用可能であるので、装置がアクセスを争う必要があり得る無線周波数スペクトル帯域）上での送信を受信するように動作可能な少なくとも１つのＲＦ受信機のような、少なくとも１つのＲＦ受信機を含み得る。いくつかの例では、免許無線周波数スペクトル帯域および／または免許不要無線周波数スペクトル帯域は、たとえば、図１および／または図２を参照して説明されたように、ＬＴＥ／ＬＴＥ−Ａ通信のために使用され得る。いくつかの場合、受信機モジュール２２１０は、免許無線周波数スペクトル帯域および免許不要無線周波数スペクトル帯域のために別個の受信機を含み得る。別個の受信機は、いくつかの例では、免許無線周波数スペクトル帯域を通じて通信するための免許ＲＦスペクトル帯域ＬＴＥ／ＬＴＥ−Ａ受信機モジュール２２１２、および免許不要無線周波数スペクトル帯域を通じて通信するための免許不要ＲＦスペクトル帯域ＬＴＥ／ＬＴＥ−Ａ受信機モジュール２２１４の形態をとり得る。免許ＲＦスペクトル帯域ＬＴＥ／ＬＴＥ−Ａ受信機モジュール２２１２および／または免許不要ＲＦスペクトル帯域ＬＴＥ／ＬＴＥ−Ａ受信機モジュール２２１４を含む、受信機モジュール２２１０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を受信するために使用され得る。通信リンクは、免許無線周波数スペクトル帯域および／または免許不要無線周波数スペクトル帯域上で確立され得る。
【０２３３】
[0261]いくつかの例では、送信機モジュール２２３０は、図１７および／または図２０を参照して説明された送信機モジュール１７３０および／または２０３０の１つまたは複数の態様の例であり得る。いくつかの例では、送信機モジュール２２３０は、免許無線周波数スペクトル帯域および／または免許不要無線周波数スペクトル帯域を通じて送信するように動作可能な少なくとも１つのＲＦ送信機のような、少なくとも１つのＲＦ送信機を含み得る。いくつかの場合、送信機モジュール２２３０は、免許無線周波数スペクトル帯域および免許不要無線周波数スペクトル帯域のために別個の送信機を含み得る。別個の送信機は、いくつかの例では、免許無線周波数スペクトル帯域を通じて通信するための免許ＲＦスペクトル帯域ＬＴＥ／ＬＴＥ−Ａ送信機モジュール２２３２、および免許不要無線周波数スペクトル帯域を通じて通信するための免許不要ＲＦスペクトル帯域ＬＴＥ／ＬＴＥ−Ａ送信機モジュール２２３４の形態をとり得る。免許ＲＦスペクトル帯域ＬＴＥ／ＬＴＥ−Ａ送信機モジュール２２３２および／または免許不要ＲＦスペクトル帯域ＬＴＥ／ＬＴＥ−Ａ送信機モジュール２２３４を含む、送信機モジュール２２３０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を送信するために使用され得る。通信リンクは、免許無線周波数スペクトル帯域および／または免許不要無線周波数スペクトル帯域上で確立され得る。
【０２３４】
[0262]いくつかの例では、ワイヤレス通信管理モジュール２２２０は、図１７および／または図２０を参照して説明されたワイヤレス通信管理モジュール１７２０および／または２０２０の１つまたは複数の態様の例であり得る。ワイヤレス通信管理モジュール２２２０は、コンテンション管理モジュール２２３５、基準境界決定モジュール２２５０、整列信号送信モジュール２２５５、および／または位置情報送信モジュール２２６０を含み得る。これらのコンポーネントの各々は、互いに通信し得る。
【０２３５】
[0263]いくつかの例では、コンテンション管理モジュール２２３５は、図２０を参照して説明されたコンテンション管理モジュール２０３５の１つまたは複数の態様の例であり得る。いくつかの例では、コンテンション管理モジュール２２３５は、ある期間の時間の間（たとえば、無線周波数スペクトル帯域のフレーム期間の間）、無線周波数スペクトル帯域の１つまたは複数のチャネルへのアクセスを争うためのコンテンション手順を実行するために使用され得る。いくつかの例では、コンテンション管理モジュール２２３５は、ＬＢＴ−ＬＢＥコンテンションモジュール２２４０および／またはＬＢＴ−ＦＢＥコンテンションモジュール２２４５を含み得る。ＬＢＴ−ＬＢＥコンテンションモジュール２２４０は、装置２２０５が無線周波数スペクトル帯域を通じてＬＢＴ−ＬＢＥ動作モードで動作しているとき、コンテンション手順（たとえば、拡張ＣＣＡ手順）を実行するために使用され得る。ＬＢＴ−ＦＢＥコンテンションモジュール２２４５は、装置２２０５が無線周波数スペクトル帯域を通じてＬＢＴ−ＦＢＥ動作モードで動作しているとき、コンテンション手順（たとえば、ＣＣＡ手順）を実行するために使用され得る。いくつかの例では、コンテンション管理モジュール２２３５は、たとえば、ＬＢＴ−ＦＢＥコンテンションモジュール２２４５を使用して無線周波数スペクトル帯域にアクセスするためのコンテンションに勝利することに過去に成功したこと基づいて、ＬＢＴ−ＬＢＥコンテンションモジュール２２４０およびＬＢＴ−ＦＢＥコンテンションモジュール２２４５のいずれを使用すべきかを決定することができる。
【０２３６】
[0264]いくつかの例では、基準境界決定モジュール２２５０は、無線周波数スペクトル帯域にアクセスするためのコンテンションに勝利したことに少なくとも一部基づいて、無線周波数スペクトル帯域と関連付けられる基準の境界（たとえば、無線周波数スペクトル帯域にアクセスするためのコンテンションに勝利した後で出現する基準の境界）を決定するために使用され得る。
【０２３７】
[0265]いくつかの例では、整列信号送信モジュール２２５５は、図２０を参照して説明された整列信号送信モジュール２０４０の１つまたは複数の態様の例であり得る。いくつかの例では、整列信号送信モジュール２２５５は、装置２２０５が無線周波数スペクトル帯域にアクセスするためのコンテンションに勝利した後で、無線周波数スペクトル帯域と関連付けられる無線フレームの境界のタイミングを示すための第１の信号を送信するために使用され得る。いくつかの例では、整列信号送信モジュール２２５５は、装置２２０５が無線周波数スペクトル帯域を通じてＬＢＴ−ＬＢＥ動作モードで動作している間、第１の信号を送信することができる。
【０２３８】
[0266]いくつかの例では、位置情報送信モジュール２２６０は、無線フレームの境界のタイミングに関連してオーバーヘッド信号の位置情報を搬送するための第２の信号を送信するために使用され得る。いくつかの例では、第２の信号はＲＲＣシグナリングを含み得る。いくつかの例では、第２の信号は、無線フレームの境界に関連してダウンリンク制御チャネルのための位置情報を搬送することができる。いくつかの例では、第２の信号は、ＣＳＩフィードバックのために使用されるリソースのための位置情報を搬送することができる。
【０２３９】
[0267]装置２２０５のいくつかの例では、整列信号送信モジュール２２５５によって送信される第１の信号は、位置情報送信モジュール２２６０によって送信される第２の信号を含み得る（たとえば、第１の信号は、無線フレームの境界のタイミングに関連してオーバーヘッド信号の位置情報を搬送するＣＵＢＳであり得る）。
【０２４０】
[0268]図２３は、本開示の様々な態様による、ワイヤレス通信において使用するための装置２３０５のブロック図２３００を示す。いくつかの例では、装置２３０５は、図１および／または図２を参照して説明された基地局１０５、２０５、および／または２０５−ａの１つまたは複数の態様の例、図１および／または図２を参照して説明されたＵＥ１１５、２１５、２１５−ａ、２１５−ｂ、および／または２１５−ｃの１つまたは複数の態様の例、および／または、図１７を参照して説明された装置１７０５の態様の例であり得る。装置２３０５はまた、プロセッサであり得る。装置２３０５は、受信機モジュール２３１０、ワイヤレス通信管理モジュール２３２０、および／または送信機モジュール２３３０を含み得る。これらのコンポーネントの各々は、互いに通信し得る。
【０２４１】
[0269]装置２３０５のコンポーネントは、個々にまたは集合的に、ハードウェアで適用可能な機能の一部またはすべてを実行するように適応された１つまたは複数のＡＳＩＣを使用して実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０２４２】
[0270]いくつかの例では、受信機モジュール２３１０は、図１７を参照して説明された受信機モジュール１７１０の１つまたは複数の態様の例であり得る。いくつかの例では、受信機モジュール２３１０は、免許無線周波数スペクトル帯域（たとえば、アクセスを共有するように複数のユーザに免許されているので、装置がアクセスを争い得る無線周波数スペクトル帯域）、および／または、免許不要無線周波数スペクトル帯域（たとえば、Ｗｉ−Ｆｉ用途のような免許不要の用途に利用可能であるので、装置がアクセスを争う必要があり得る無線周波数スペクトル帯域）上での送信を受信するように動作可能な少なくとも１つの無線周波数（ＲＦ）受信機のような、少なくとも１つのＲＦ受信機を含み得る。いくつかの例では、免許無線周波数スペクトル帯域および／または免許不要無線周波数スペクトル帯域は、たとえば、図１および／または図２を参照して説明されたように、ＬＴＥ／ＬＴＥ−Ａ通信のために使用され得る。受信機モジュール２３１０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を受信するために使用され得る。通信リンクは、免許無線周波数スペクトル帯域および／または免許不要無線周波数スペクトル帯域上で確立され得る。
【０２４３】
[0271]いくつかの例では、送信機モジュール２３３０は、図１７を参照して説明された送信機モジュール１７３０の１つまたは複数の態様の例であり得る。いくつかの例では、送信機モジュール２３３０は、免許無線周波数スペクトル帯域および／または免許不要無線周波数スペクトル帯域を通じて送信するように動作可能な少なくとも１つのＲＦ送信機のような、少なくとも１つのＲＦ送信機を含み得る。送信機モジュール２３３０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を送信するために使用され得る。通信リンクは、免許無線周波数スペクトル帯域および／または免許不要無線周波数スペクトル帯域上で確立され得る。
【０２４４】
[0272]いくつかの例では、ワイヤレス通信管理モジュール２３２０は、図１７を参照して説明されたワイヤレス通信管理モジュール１７２０の１つまたは複数の態様の例であり得る。ワイヤレス通信管理モジュール２３２０は、コンテンション管理モジュール２３３５および／または信号送信モジュール２３４０を含み得る。これらのコンポーネントの各々は、互いに通信し得る。
【０２４５】
[0273]いくつかの例では、コンテンション管理モジュール２３３５は、ある期間の時間の間（たとえば、無線周波数スペクトル帯域のフレーム期間の間）、無線周波数スペクトル帯域の１つまたは複数のチャネルへのアクセスを争うためのコンテンション手順を実行するために使用され得る。いくつかの例では、コンテンション管理モジュール２３３５は、第１のフレーム期間の間に無線周波数スペクトル帯域にアクセスするためのコンテンションに勝利することがあり、その第１のフレーム期間は、複数の異なるフレーム期間から（たとえば、２ミリ秒、５ミリ秒、および／または１０ミリ秒の持続時間を有する複数の異なるフレーム期間から）選択され得る。いくつかの例では、第１のフレーム期間はＬＢＴ無線フレーム期間であり得る。いくつかの例では、複数の異なるフレーム期間の各々はＬＢＴ無線フレーム期間であり得る。
【０２４６】
[0274]いくつかの例では、信号送信モジュール２３４０は、複数の異なるフレーム期間の各々のために第１のフレーム期間の１つまたは複数のサブフレームの間に、ある周期性で信号を送信するために使用され得る。いくつかの例では、この周期性は固定された周期性であってよく、および／または、信号送信モジュール２３４０は、たとえば図１６を参照して説明されたように、固定された時間および／または固定された周波数位置において信号を送信することができる。いくつかの例では、信号送信モジュール２３４０は、オーバーヘッドチャネルにおいて信号を送信することができる）。オーバーヘッドチャネルは、ＣＲＳ、ｅＣＲＳ、ＣＳＩ−ＲＳ、同期信号、および／またはＳＩＢブロードキャストチャネルを含み得る。
【０２４７】
[0275]図２４は、本開示の様々な態様による、ワイヤレス通信において使用するための装置２４０５のブロック図２４００を示す。いくつかの例では、装置２４０５は、図１および／または図２を参照して説明された基地局１０５、２０５、および／または２０５−ａの１つまたは複数の態様の例、図１および／または図２を参照して説明されたＵＥ１１５、２１５、２１５−ａ、２１５−ｂ、および／または２１５−ｃの１つまたは複数の態様の例、および／または、図１７および／または図２３を参照して説明された装置１７０５および／または２３０５の態様の例であり得る。装置２４０５はまた、プロセッサであり得る。装置２４０５は、受信機モジュール２４１０、ワイヤレス通信管理モジュール２４２０、および／または送信機モジュール２４３０を含み得る。これらのコンポーネントの各々は、互いに通信し得る。
【０２４８】
[0276]装置２４０５のコンポーネントは、個々にまたは集合的に、ハードウェアで適用可能な機能の一部またはすべてを実行するように適応された１つまたは複数のＡＳＩＣを使用して実装され得る。代替的に、機能は、１つまたは複数の他の処理ユニット（またはコア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中で具現化される命令によって実装され得る。
【０２４９】
[0277]いくつかの例では、受信機モジュール２４１０は、図１７および／または図２３を参照して説明された受信機モジュール１７１０および／または２３１０の１つまたは複数の態様の例であり得る。いくつかの例では、受信機モジュール２４１０は、免許無線周波数スペクトル帯域（たとえば、アクセスを共有するように複数のユーザに免許されているので、装置がアクセスを争い得る無線周波数スペクトル帯域）、および／または、免許不要無線周波数スペクトル帯域（たとえば、Ｗｉ−Ｆｉ用途のような免許不要の用途に利用可能であるので、装置がアクセスを争う必要があり得る無線周波数スペクトル帯域）上での送信を受信するように動作可能な少なくとも１つのＲＦ受信機のような、少なくとも１つのＲＦ受信機を含み得る。いくつかの例では、免許無線周波数スペクトル帯域および／または免許不要無線周波数スペクトル帯域は、たとえば、図１および／または図２を参照して説明されたように、ＬＴＥ／ＬＴＥ−Ａ通信のために使用され得る。いくつかの場合、受信機モジュール２４１０は、免許無線周波数スペクトル帯域および免許不要無線周波数スペクトル帯域のために別個の受信機を含み得る。別個の受信機は、いくつかの例では、免許無線周波数スペクトル帯域を通じて通信するための免許ＲＦスペクトル帯域ＬＴＥ／ＬＴＥ−Ａ受信機モジュール２４１２、および免許不要無線周波数スペクトル帯域を通じて通信するための免許不要ＲＦスペクトル帯域ＬＴＥ／ＬＴＥ−Ａ受信機モジュール２４１４の形態をとり得る。免許ＲＦスペクトル帯域ＬＴＥ／ＬＴＥ−Ａ受信機モジュール２４１２および／または免許不要ＲＦスペクトル帯域ＬＴＥ／ＬＴＥ−Ａ受信機モジュール２４１４を含む、受信機モジュール２４１０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を受信するために使用され得る。通信リンクは、免許無線周波数スペクトル帯域および／または免許不要無線周波数スペクトル帯域上で確立され得る。
【０２５０】
[0278]いくつかの例では、送信機モジュール２４３０は、図１７および／または図２３を参照して説明された送信機モジュール１７３０および／または２３３０の１つまたは複数の態様の例であり得る。いくつかの例では、送信機モジュール２４３０は、免許無線周波数スペクトル帯域および／または免許不要無線周波数スペクトル帯域を通じて送信するように動作可能な少なくとも１つのＲＦ送信機のような、少なくとも１つのＲＦ送信機を含み得る。いくつかの場合、送信機モジュール２４３０は、免許無線周波数スペクトル帯域および免許不要無線周波数スペクトル帯域のために別個の送信機を含み得る。別個の送信機は、いくつかの例では、免許無線周波数スペクトル帯域を通じて通信するための免許ＲＦスペクトル帯域ＬＴＥ／ＬＴＥ−Ａ送信機モジュール２４３２、および免許不要無線周波数スペクトル帯域を通じて通信するための免許不要ＲＦスペクトル帯域ＬＴＥ／ＬＴＥ−Ａ送信機モジュール２４３４の形態をとり得る。免許ＲＦスペクトル帯域ＬＴＥ／ＬＴＥ−Ａ送信機モジュール２４３２および／または免許不要ＲＦスペクトル帯域ＬＴＥ／ＬＴＥ−Ａ送信機モジュール２４３４を含む、送信機モジュール２４３０は、図１および／または図２を参照して説明されたワイヤレス通信システム１００および／または２００の１つまたは複数の通信リンクのような、ワイヤレス通信システムの１つまたは複数の通信リンクを通じて様々なタイプのデータおよび／または制御信号（すなわち、送信）を送信するために使用され得る。通信リンクは、免許無線周波数スペクトル帯域および／または免許不要無線周波数スペクトル帯域上で確立され得る。
【０２５１】
[0279]いくつかの例では、ワイヤレス通信管理モジュール２４２０は、図１７および／または図２３を参照して説明されたワイヤレス通信管理モジュール１７２０および／または２３２０の１つまたは複数の態様の例であり得る。ワイヤレス通信管理モジュール２４２０は、フレーム期間選択モジュール２４３５、コンテンション管理モジュール２４４０、信号競合検出モジュール２４４５、および／または信号送信モジュール２４５０を含み得る。これらのコンポーネントの各々は、互いに通信し得る。
【０２５２】
[0280]いくつかの例では、フレーム期間選択モジュール２４３５は、複数の異なるフレーム期間から（たとえば、２ミリ秒、５ミリ秒、および／または１０ミリ秒の持続時間を有する複数の異なるフレーム期間から）第１のフレーム期間を選択するために使用され得る。いくつかの例では、第１のフレーム期間はＬＢＴ無線フレーム期間であり得る。いくつかの例では、複数の異なるフレーム期間の各々はＬＢＴ無線フレーム期間であり得る。
【０２５３】
[0281]いくつかの例では、コンテンション管理モジュール２４４０は、図２３を参照して説明されたコンテンション管理モジュール２３３５の１つまたは複数の態様の例であり得る。いくつかの例では、コンテンション管理モジュール２４４０は、ある期間の時間の間（たとえば、フレーム期間選択モジュール２４３５によって選択される第１のフレーム期間の間）、無線周波数スペクトル帯域の１つまたは複数のチャネルへのアクセスを争うためのコンテンション手順を実行するために使用され得る。
【０２５４】
[0282]いくつかの例では、信号競合検出モジュール２４４５は、第１のフレーム期間の１つまたは複数のサブフレームの間にある周期性で、および、複数の異なるフレーム期間の各々のために送信されるべき信号が、コンテンション管理モジュール２４４０によって実行されるコンテンション手順のタイミングと競合するかどうかを決定するために使用され得る。
【０２５５】
[0283]いくつかの例では、信号送信モジュール２４５０は、図２３を参照して説明された信号送信モジュール２３４０の１つまたは複数の態様の例であり得る。いくつかの例では、信号送信モジュール２４５０は、コンテンション管理モジュール２４４０によって実行されるコンテンション手順のタイミングと信号が競合しないと信号競合検出モジュール２４４５が決定するとき、第１のフレーム期間の１つまたは複数のサブフレームの間にある周期性で、および、複数の異なるフレーム期間の各々のために信号を送信するために使用され得る。いくつかの例では、信号が送信される周期性は固定された周期性であってよく、および／または、信号は、たとえば図１６を参照して説明されたように、固定された時間および／または固定された周波数位置において送信されてよい。いくつかの例では、信号はオーバーヘッドチャネルにおいて送信されてよく、オーバーヘッドチャネルは、ＣＲＳ、ｅＣＲＳ、ＣＳＩ−ＲＳ、同期信号、および／またはＳＩＢブロードキャストチャネルを含み得る。
【０２５６】
[0284]いくつかの例では、信号送信モジュール２４５０は、たとえば図１６を参照して説明されたように、信号がコンテンション管理モジュール２４４０によって実行されるコンテンション手順のタイミングと競合すると信号競合検出モジュール２４４５が決定するとき、信号の送信を防ぐために使用され得る。
【０２５７】
[0285]図２５は、本開示の様々な態様による、ワイヤレス通信において使用するための基地局２５０５（たとえば、ｅＮＢの一部またはすべてを形成する基地局）のブロック図２５００を示す。いくつかの例では、基地局２５０５は、図１および／または図２を参照して説明された基地局１０５、２０５、および／または２０５−ａの１つもしくは複数の態様、および／または、（たとえば、装置１７０５、１８０５、１９０５、２００５、２１０５、２２０５、２３０５、および／または２４０５が基地局として構成されるときの）図１７、図１８、図１９、図２０、図２１、図２２、図２３、および／または図２４を参照して説明された装置１７０５、１８０５、１９０５、２００５、２１０５、２２０５、２３０５、および／または２４０５の１つもしくは複数の態様の例であり得る。基地局２５０５は、図１、図２、図３、図４、図５、図６、図７、図８Ａ、図８Ｂ、図９、図１０、図１１Ａ、図１１Ｂ、図１１Ｃ、図１２、図１３、図１４、図１５、および／または図１６を参照して説明された基地局および／または装置の特徴および機能の少なくとも一部を実装または支援するように構成され得る。
【０２５８】
[0286]基地局２５０５は、基地局プロセッサモジュール２５１０、基地局メモリモジュール２５２０、（（１つまたは複数の）基地局送受信機モジュール２５５０によって表される）少なくとも１つの基地局送受信機モジュール、（（１つまたは複数の）基地局アンテナ２５５５によって表される）少なくとも１つの基地局アンテナ、および／または基地局ワイヤレス通信管理モジュール２５６０を含み得る。基地局２５０５はまた、基地局通信モジュール２５３０および／またはネットワーク通信モジュール２５４０の１つまたは複数を含み得る。これらのコンポーネントの各々は、１つまたは複数のバス２５３５を通じて、直接または間接的に互いと通信していることがある。
【０２５９】
[0287]基地局メモリモジュール２５２０は、ランダムアクセスメモリ（ＲＡＭ）および／または読取り専用メモリ（ＲＯＭ）を含み得る。基地局メモリモジュール２５２０は、実行されると、ワイヤレス通信に関する本明細書で説明される様々な機能を基地局プロセッサモジュール２５１０に実行させるように構成された命令を含む、コンピュータ可読のコンピュータ実行可能コード２５２５を記憶し得る。代替的に、コード２５２５は、基地局プロセッサモジュール２５１０によって直接的に実行可能ではないことがあるが、（たとえば、コンパイルされ実行されると）本明細書で説明される様々な機能を基地局２５０５に実行させるように構成され得る。
【０２６０】
[0288]基地局プロセッサモジュール２５１０は、インテリジェントハードウェアデバイス、たとえば、中央処理装置（ＣＰＵ）、マイクロコントローラ、ＡＳＩＣなどを含み得る。基地局プロセッサモジュール２５１０は、（１つまたは複数の）基地局送受信機モジュール２５５０、基地局通信モジュール２５３０、および／またはネットワーク通信モジュール２５４０を通じて受信された情報を処理することができる。基地局プロセッサモジュール２５１０はまた、（１つまたは複数の）アンテナ２５５５を通じた送信のために（１つまたは複数の）送受信機モジュール２５５０へ、１つまたは複数の他の基地局２５０５−ａおよび２５０５−ｂへの送信のために基地局通信モジュール２５３０へ、および／または、図１を参照して説明されたコアネットワーク１３０の１つまたは複数の態様の例であり得るコアネットワーク２５４５への送信のためにネットワーク通信モジュール２５４０へ送られるべき情報を処理し得る。基地局プロセッサモジュール２５１０は、単独でまたは基地局ワイヤレス通信管理モジュール２５６０とともに、第１の無線周波数スペクトル帯域（たとえば、ＬＴＥ／ＬＴＥ−Ａ通信のために使用可能な免許無線周波数スペクトル帯域のような、無線周波数スペクトル帯域へのアクセスを共有することが複数のユーザに免許されているので、装置がアクセスを争い得る無線周波数スペクトル帯域）、および／または第２の無線周波数スペクトル帯域（たとえば、ＬＴＥ／ＬＴＥ−Ａ通信のために使用可能な免許不要無線周波数スペクトル帯域のような、無線周波数スペクトル帯域が免許不要の用途のために利用可能であるので装置がアクセスを争う必要があり得る、Ｗｉ−Ｆｉ無線周波数スペクトル帯域のような無線周波数スペクトル帯域）を通じて通信すること（またはその帯域を通じた通信を管理すること）の様々な態様を扱い得る。
【０２６１】
[0289]（１つまたは複数の）基地局送受信機モジュール２５５０は、パケットを変調し、変調されたパケットを送信のために（１つまたは複数の）基地局アンテナ２５５５に与え、（１つまたは複数の）基地局アンテナ２５５５から受信されたパケットを復調するように構成されたモデムを含み得る。（１つまたは複数の）基地局送受信機モジュール２５５０は、いくつかの例では、１つまたは複数の基地局送信機モジュールおよび１つまたは複数の別個の基地局受信機モジュールとして実装され得る。（１つまたは複数の）基地局送受信機モジュール２５５０は、第１の無線周波数スペクトル帯域および／または第２の無線周波数スペクトル帯域における通信をサポートし得る。（１つまたは複数の）基地局送受信機モジュール２５５０は、図１および／または図２を参照して説明されたＵＥ１１５、２１５、２１５−ａ、２１５−ｂ、および／または２１５−ｃの１つまたは複数のような、１つまたは複数の基地局または装置と、（１つまたは複数の）アンテナ２５５５を介して双方向に通信するように構成され得る。基地局２５０５は、たとえば、複数の基地局アンテナ２５５５（たとえば、アンテナアレイ）を含み得る。基地局２５０５は、ネットワーク通信モジュール２５４０を通じてコアネットワーク２５４５と通信し得る。基地局２５０５はまた、基地局通信モジュール２５３０を使用して、基地局２５０５−ａおよび２５０５−ｂのような他の基地局と通信し得る。
【０２６２】
[0290]基地局ワイヤレス通信管理モジュール２５６０は、第１の無線周波数スペクトル帯域および／または第２の無線周波数スペクトル帯域を通じたワイヤレス通信に関する、図１、図２、図３、図４、図５、図６、図７、図８Ａ、図８Ｂ、図９、図１０、図１１Ａ、図１１Ｂ、図１１Ｃ、図１２、図１３、図１４、図１５、および／または図１６を参照して説明された特徴および／または機能の一部またはすべてを実行および／または制御するように構成され得る。たとえば、基地局ワイヤレス通信管理モジュール２５６０は、第１の無線周波数スペクトル帯域および／または第２の無線周波数スペクトル帯域を使用して、補助ダウンリンクモード、キャリアアグリゲーションモード、および／またはスタンドアロンモードをサポートするように構成され得る。基地局ワイヤレス通信管理モジュール２５６０は、第１の無線周波数スペクトル帯域におけるＬＴＥ／ＬＴＥ−Ａ通信を扱うように構成された基地局ＬＴＥ／ＬＴＥ−Ａ免許ＲＦスペクトル帯域モジュール２５６５と、第２の無線周波数スペクトル帯域におけるＬＴＥ／ＬＴＥ−Ａ通信を扱うように構成された基地局ＬＴＥ／ＬＴＥ−Ａ免許不要ＲＦスペクトル帯域モジュール２５７０とを含み得る。基地局ワイヤレス通信管理モジュール２５６０またはその一部は、プロセッサを含んでよく、ならびに／または、基地局ワイヤレス通信管理モジュール２５６０の機能の一部またはすべては、基地局プロセッサモジュール２５１０によって、および／もしくは基地局プロセッサモジュール２５１０に関連して実行され得る。いくつかの例では、基地局ワイヤレス通信管理モジュール２５６０は、図１７、図１８、図１９、図２０、図２１、図２２、図２３、および／または図２４を参照して説明されたワイヤレス通信管理モジュール１７２０、１８２０、１９２０、２０２０、２１２０、２２２０、２３２０、および／または２４２０の例であり得る。
【０２６３】
[0291]図２６は、本開示の様々な態様による、ワイヤレス通信において使用するためのＵＥ２６１５のブロック図２６００を示す。ＵＥ２６１５は様々な構成を有してよく、含まれてよく、または、パーソナルコンピュータ（たとえば、ラップトップコンピュータ、ネットブックコンピュータ、タブレットコンピュータなど）、携帯電話、ＰＤＡ、デジタルビデオレコーダ（ＤＶＲ）、インターネット機器、ゲームコンソール、電子リーダーなどの一部であり得る。いくつかの例では、ＵＥ２６１５は、モバイル動作を容易にするために、小型バッテリーのような内部電源（図示されず）を有し得る。いくつかの例では、ＵＥ２６１５は、図１および／または図２を参照して説明された基地局１１５、２１５、２１５−ａ、２１５−ｂ、および／または２１５−ｃの１つもしくは複数の態様、および／または、（たとえば、装置１７０５、１８０５、１９０５、２００５、２１０５、２２０５、２３０５、および／または２４０５がＵＥとして構成されるときの）図１７、図１８、図１９、図２０、図２１、図２２、図２３、お図２４、および／または図２５を参照して説明された装置１７０５、１８０５、１９０５、２００５、２１０５、２２０５、２３０５、および／または２４０５の１つもしくは複数の態様の例であり得る。ＵＥ２６１５は、図１、図２、図３、図４、図５、図６、図７、図８Ａ、図８Ｂ、図９、図１０、図１１Ａ、図１１Ｂ、図１１Ｃ、図１２、図１３、図１４、図１５、および／または図１６を参照して説明されたＵＥおよび／または装置の特徴および機能の少なくとも一部を実装するように構成され得る。
【０２６４】
[0292]ＵＥ２６１５は、ＵＥプロセッサモジュール２６１０、ＵＥメモリモジュール２６２０、（（１つまたは複数の）ＵＥ送受信機モジュール２６３０によって表される）少なくとも１つのＵＥ送受信機モジュール、（（１つまたは複数の）ＵＥアンテナ２６４０によって表される）少なくとも１つのＵＥアンテナ、および／またはＵＥワイヤレス通信管理モジュール２６６０を含み得る。これらのコンポーネントの各々は、１つまたは複数のバス２６３５を通じて、直接または間接的に互いと通信していることがある。
【０２６５】
[0293]ＵＥメモリモジュール２６２０は、ＲＡＭおよび／またはＲＯＭを含み得る。ＵＥメモリモジュール２６２０は、実行されると、ワイヤレス通信に関する本明細書で説明される様々な機能をＵＥプロセッサモジュール２６１０に実行させるように構成される命令を含む、コンピュータ可読のコンピュータ実行可能コード２６２５を記憶し得る。代替的に、コード２６２５は、ＵＥプロセッサモジュール２６１０によって直接実行可能でないことがあるが、（たとえば、コンパイルされ実行されると）ＵＥ２６１５に本明細書で説明される様々な機能を実行させるように構成され得る。
【０２６６】
[0294]ＵＥプロセッサモジュール２６１０は、インテリジェントハードウェアデバイス、たとえば、ＣＰＵ、マイクロコントローラ、ＡＳＩＣなどを含み得る。プロセッサモジュール２６１０は、（１つまたは複数の）ＵＥ送受信機モジュール２６３０を通じて受信された情報、および／または（１つまたは複数の）ＵＥアンテナ２６４０を通じた送信のために（１つまたは複数の）ＵＥ送受信機モジュール２６３０へ送られるべき情報を処理し得る。ＵＥプロセッサモジュール２６１０は、単独でまたはＵＥワイヤレス通信管理モジュール２６６０とともに、第１の無線周波数スペクトル帯域（たとえば、ＬＴＥ／ＬＴＥ−Ａ通信のために使用可能な免許無線周波数スペクトル帯域のような、無線周波数スペクトル帯域へのアクセスを共有することが複数のユーザに免許されているので、装置がアクセスを争い得る無線周波数スペクトル帯域）、および／または第２の無線周波数スペクトル帯域（たとえば、ＬＴＥ／ＬＴＥ−Ａ通信のために使用可能な免許不要無線周波数スペクトル帯域のような、無線周波数スペクトル帯域が免許不要の用途のために利用可能であるので装置がアクセスを争う必要があり得る、Ｗｉ−Ｆｉ無線周波数スペクトル帯域のような無線周波数スペクトル帯域）を通じて通信すること（またはその帯域を通じた通信を管理すること）の様々な態様を扱い得る。
【０２６７】
[0295]（１つまたは複数の）ＵＥ送受信機モジュール２６３０は、パケットを変調し、変調されたパケットを送信のために（１つまたは複数の）ＵＥアンテナ２６４０に与え、（１つまたは複数の）ＵＥアンテナ２６４０から受信されたパケットを復調するように構成されたモデムを含み得る。（１つまたは複数の）ＵＥ送受信機モジュール２６３０は、いくつかの例では、１つまたは複数のＵＥ送信機モジュールおよび１つまたは複数の別個のＵＥ受信機モジュールとして実装され得る。（１つまたは複数の）ＵＥ送受信機モジュール２６３０は、第１の無線周波数スペクトル帯域および／または第２の無線周波数スペクトル帯域における通信をサポートし得る。（１つまたは複数の）ＵＥ送受信機モジュール２６３０は、図１、図２、および／または図２５を参照して説明された基地局１０５、２０５、２０５−ａ、および／または２５０５、および／または、図１７、図１８、図１９、図２０、図２１、図２２、図２３、および／または図２４を参照して説明された装置１７０５、１８０５、１９０５、２００５、２１０５、２２０５、２３０５、および／または２４０５の１つまたは複数と、（１つまたは複数の）ＵＥアンテナ２６４０を介して、双方向に通信するように構成され得る。ＵＥ２６１５は単一のＵＥアンテナを含み得るが、ＵＥ２６１５が複数のＵＥアンテナ２６４０を含み得る例があり得る。
【０２６８】
[0296]ＵＥ状態モジュール２６５０は、たとえば、ＲＲＣアイドル状態とＲＲＣ接続状態との間のＵＥ２６１５の遷移を管理するために使用されてよく、１つまたは複数のバス２６３５を通じて、直接または間接的に、ＵＥ２６１５の他のコンポーネントと通信していることがある。ＵＥ状態モジュール２６５０またはその一部は、プロセッサを含んでよく、ならびに／または、ＵＥ状態モジュール２６５０の機能の一部またはすべては、ＵＥプロセッサモジュール２６１０によって、および／もしくはＵＥプロセッサモジュール２６１０とともに実行され得る。
【０２６９】
[0297]ＵＥワイヤレス通信管理モジュール２６６０は、第１の無線周波数スペクトル帯域および／または第２の無線周波数スペクトル帯域を通じたワイヤレス通信に関する、図１、図２、図３、図４、図５、図６、図７、図８Ａ、図８Ｂ、図９、図１０、図１１Ａ、図１１Ｂ、図１１Ｃ、図１２、図１３、図１４、図１５、および／または図１６に関して説明された特徴および／または機能の一部またはすべてを実行および／または制御するように構成され得る。たとえば、ＵＥワイヤレス通信管理モジュール２６６０は、第１の無線周波数スペクトル帯域および／または第２の無線周波数スペクトル帯域を使用して、補助ダウンリンクモード、キャリアアグリゲーションモード、および／またはスタンドアロンモードをサポートするように構成され得る。ＵＥワイヤレス通信管理モジュール２６６０は、第１の無線周波数スペクトル帯域におけるＬＴＥ／ＬＴＥ−Ａ通信を扱うように構成されたＵＥ  ＬＴＥ／ＬＴＥ−Ａ免許ＲＦスペクトル帯域モジュール２６６５と、第２の無線周波数スペクトルにおけるＬＴＥ／ＬＴＥ−Ａ通信を扱うように構成されたＵＥ  ＬＴＥ／ＬＴＥ−Ａ免許不要ＲＦスペクトル帯域モジュール２６７０とを含み得る。ＵＥワイヤレス通信管理モジュール２６６０またはその一部は、プロセッサを含んでよく、ならびに／または、ＵＥワイヤレス通信管理モジュール２６６０の機能の一部またはすべては、ＵＥプロセッサモジュール２６１０によって、および／もしくはＵＥプロセッサモジュール２６１０とともに実行され得る。いくつかの例では、ＵＥワイヤレス通信管理モジュール２６６０は、図１７、図１８、図１９、図２０、図２１、図２２、図２３、および／または図２４を参照して説明されたワイヤレス通信管理モジュール１７２０、１８２０、１９２０、２０２０、２１２０、２２２０、２３２０、および／または２４２０の例であり得る。
【０２７０】
[0298]図２７は、本開示の様々な態様による、ワイヤレス通信のための方法２７００の例を示すフローチャートである。明快にするために、方法２７００は、図１、図２、および／または図２５を参照して説明された基地局１０５、２０５、２０５−ａ、および／または２５０５の１つまたは複数の態様、図１、図２、および／または図２６を参照して説明されたＵＥ１１５、２１５、２１５−ａ、２１５−ｂ、２１５−ｃ、および／または２６１５の１つまたは複数の態様、および／または、図１７、図１８、および／または図１９を参照して説明された装置１７０５、１８０５、および／または１９０５の１つまたは複数の態様に関して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０２７１】
[0299]ブロック２７０５において、方法２７００は、無線周波数スペクトル帯域中の第１のチャネルにアクセスすること（たとえば、第１のチャネルを予約すること）を示すための第１の信号を送信することを含み得る。無線周波数スペクトル帯域は、無線周波数スペクトル帯域がＷｉ−Ｆｉ用途のような免許不要の用途に利用可能であるので装置がアクセスを争う必要があり得る無線周波数スペクトル帯域であり得る。無線周波数スペクトル帯域はまた、複数のモバイルネットワーク事業者がアクセスすることを許可されている共有された免許無線周波数スペクトル帯域であり得る。ブロック２７０５における（１つまたは複数の）動作は、図１７、図１８、図１９、図２５、および／または図２６を参照して説明されたワイヤレス通信管理モジュール１７２０、１８２０、１９２０、２５６０、および／もしくは２６６０、ならびに／または、図１８および／または図１９を参照して説明されたチャネルアクセス指示モジュール１８３５および／もしくは１９４０を使用して実行され得る。
【０２７２】
[0300]いくつかの例では、第１の信号は、複数のインターリーブされたリソースブロックを使用して送信され得る。この方式で第１の信号を送信することで、第１の信号は、無線周波数スペクトル帯域中の利用可能な周波数帯域幅の少なくともある割合を占有すること、および／または、１つまたは複数の規制上の要件（たとえば、第１の信号が利用可能な周波数帯域幅の少なくとも８０％を占有するという要件）を満たすことが可能になり得る。
【０２７３】
[0301]ブロック２７１０において、方法２７００は、無線周波数スペクトル帯域において第１の信号とともに情報を送信することを含み得る。ブロック２７１０における（１つまたは複数の）動作は、図１７、図１８、図１９、図２５、および／または図２６を参照して説明されたワイヤレス通信管理モジュール１７２０、１８２０、１９２０、２５６０、および／もしくは２６６０、ならびに／または、図１８および／または図１９を参照して説明された情報送信モジュール１８４０および／もしくは１９４５を使用して実行され得る。
【０２７４】
[0302]送信される情報は、様々なタイプの情報を含み得る。いくつかの例では、情報は、セルＩＤ、ＰＬＭＮ  ＩＤ、またはこれらの組合せを含み得る。いくつかの例では、情報は、無線周波数スペクトル帯域における送信のためのフレーム構造（たとえば、ＬＢＴ無線フレームの持続時間）を示し得る。いくつかの例では、この情報は、無線周波数スペクトル帯域中のフレーム構造における送信のために使用されるサブフレームおよび／またはシンボルの数を示し得る（たとえば、１０個のサブフレームを含む１０ミリ秒のフレーム期間における送信のために５個のサブフレームが使用される）。無線周波数スペクトル帯域中のフレーム構造における送信のために使用されるサブフレームおよび／またはシンボルの数を示すことで、ＵＥのような受信装置は、低電力状態により早い時間に（たとえば、送信されたサブフレームを受信した直後に）入ることが可能になり得るので、電力が節約される。いくつかの例では、この情報は、無線周波数スペクトル帯域における送信のためのアップリンク構成および／またはダウンリンク構成（たとえば、無線周波数スペクトル帯域におけるフレーム構造のアップリンク構成および／またはダウンリンク構成）を示し得る。無線周波数スペクトル帯域における送信のためのアップリンク構成および／またはダウンリンク構成を示すことは、ｅＩＭＴＡ機能の性能を改善することができる。いくつかの例では、この情報は、フレームのうちの最大の数のサブフレームが無線周波数スペクトル帯域における送信のために使用されるかどうかを示し得る（たとえば、無線周波数スペクトル帯域のフレーム構造における送信のために最大の数のサブフレームが使用されるかどうかを示すために、または、無線周波数スペクトル帯域のフレーム構造における送信のために最大の数未満のサブフレームが使用されるかどうかを示すために、単一のビットが使用され得る）。いくつかの例では、この情報は、無線周波数スペクトル帯域中のコンポーネントキャリアで搬送される送信を受信するために使用すべきアンテナの数（たとえば、図９および／または図１０を参照して説明されたような、無線周波数スペクトル帯域のフレーム構造の間にコンポーネントキャリアの送信を受信するためのアンテナの数）を示し得る。この情報はさらに、または代替的に、他のタイプのシステム情報を含む、上のタイプの情報および／または他のタイプの情報の任意の組合せを含み得る。
【０２７５】
[0303]方法２７００のいくつかの例では、第１の信号とともに情報を送信することは、第１の信号の一部として情報を送信することを含み得る。これらの例では、第１の信号は、シーケンスの少なくとも一部に基づいて生成され得る。シーケンスは、情報に依存し得る。たとえば、シーケンスは、セルＩＤ、ＰＬＭＮ  ＩＤ、またはこれらの組合せに依存し得る。シーケンスはさらに、または代替的に、本明細書で言及される情報のタイプの任意の１つまたは組合せに依存し得る。
【０２７６】
[0304]第１の信号とともに情報を送信することが情報を第１の信号の一部として送信することを含み得る他の例では、方法２７００は、第１の信号の送信のための複数の位相の中から第１の位相を選択することを含み得る。複数の位相の異なる位相は、異なる情報に対応し得る。これらの例では、第１の信号とともに情報を送信することは、第１の位相において第１の信号を送信することを含み得る。
【０２７７】
[0305]方法２７００のいくつかの例では、第１の信号とともに情報を送信することは、第１の信号とともに第２の信号において情報を送信することを含み得る。第２の信号は第１の信号とは別であり得る。
【０２７８】
[0306]方法２７００のいくつかの例では、第１の信号および情報は、無線周波数スペクトル帯域の単一のＯＦＤＭシンボル期間の間に送信され得る。方法２７００のいくつかの例では、第１の信号は、無線周波数スペクトル帯域の第１のＯＦＤＭシンボル期間および無線周波数スペクトル帯域の第２のＯＦＤＭシンボル期間の間に送信されてよく、情報は、無線周波数スペクトル帯域の第２のＯＦＤＭシンボル期間の間に送信されてよい。いくつかの例では、無線周波数スペクトル帯域の第１のＯＦＤＭシンボル期間および無線周波数スペクトル帯域の第２のＯＦＤＭシンボル期間は、隣接するＯＦＤＭシンボル期間であり得る。
【０２７９】
[0307]したがって、方法２７００はワイヤレス通信を提供することができる。方法２７００は一実装形態にすぎず、方法２７００の動作は、他の実装形態が可能であるように再構成され、または別様に修正され得ることに留意されたい。
【０２８０】
[0308]図２８は、本開示の様々な態様による、ワイヤレス通信のための方法２８００の例を示すフローチャートである。明快にするために、方法２８００は、図１、図２、および／または図２５を参照して説明された基地局１０５、２０５、２０５−ａ、および／または２５０５の１つまたは複数の態様、図１、図２、および／または図２６を参照して説明されたＵＥ１１５、２１５、２１５−ａ、２１５−ｂ、２１５−ｃ、および／または２６１５の１つまたは複数の態様、および／または、図１７、図１８、および／はまたは図１９を参照して説明された装置１７０５、１８０５、および／または１９０５の１つまたは複数の態様に関して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０２８１】
[0309]ブロック２８０５において、方法２８００は、無線周波数スペクトル帯域中の第１のチャネルにアクセスすること（たとえば、第１のチャネルを予約すること）を示すための第１の信号を送信することを含み得る。第１の信号は、無線周波数スペクトル帯域の第１のＯＦＤＭシンボル期間および無線周波数スペクトル帯域の第２のＯＦＤＭシンボル期間の間に送信され得る。いくつかの例では、無線周波数スペクトル帯域の第１のＯＦＤＭシンボル期間および無線周波数スペクトル帯域の第２のＯＦＤＭシンボル期間は、隣接するＯＦＤＭシンボル期間であり得る。無線周波数スペクトル帯域は、無線周波数スペクトル帯域がＷｉ−Ｆｉ用途のような免許不要の用途に利用可能であるので装置がアクセスを争う必要があり得る無線周波数スペクトル帯域であり得る。無線周波数スペクトル帯域はまた、複数のモバイルネットワーク事業者がアクセスすることを許可されている共有された免許無線周波数スペクトル帯域であり得る。ブロック２８０５における（１つまたは複数の）動作は、図１７、図１８、図１９、図２５、および／または図２６を参照して説明されたワイヤレス通信管理モジュール１７２０、１８２０、１９２０、２５６０、および／もしくは２６６０、ならびに／または、図１８および／または図１９を参照して説明されたチャネルアクセス指示モジュール１８３５および／もしくは１９４０を使用して実行され得る。
【０２８２】
[0310]ブロック２８１０において、方法２８００は、無線周波数スペクトル帯域において第１の信号とともに情報を送信することを含み得る。第１の信号とともに情報を送信することは、情報を搬送する第２の信号を送信することを含み得る。第２の信号は、無線周波数スペクトル帯域の第２のＯＦＤＭシンボル期間の間に送信され得る。第１の信号は、第２の信号のためのＡＧＣ情報および／または位相基準を提供し得る。ブロック２８１０における（１つまたは複数の）動作は、図１７、図１８、図１９、図２５、および／または図２６を参照して説明されたワイヤレス通信管理モジュール１７２０、１８２０、１９２０、２５６０、および／もしくは２６６０、ならびに／または、図１８および／または図１９を参照して説明された情報送信モジュール１８４０および／もしくは１９４５を使用して実行され得る。
【０２８３】
[0311]送信される情報は、様々なタイプの情報を含み得る。いくつかの例では、情報は、セルＩＤ、ＰＬＭＮ  ＩＤ、またはこれらの組合せを含み得る。いくつかの例では、情報は、無線周波数スペクトル帯域における送信のためのフレーム構造（たとえば、ＬＢＴ無線フレームの持続時間）を示し得る。いくつかの例では、この情報は、無線周波数スペクトル帯域中のフレーム構造における送信のために使用されるサブフレームおよび／またはシンボルの数を示し得る（たとえば、１０個のサブフレームを含む１０ミリ秒のフレーム期間における送信のために５個のサブフレームが使用される）。無線周波数スペクトル帯域中のフレーム構造における送信のために使用されるサブフレームおよび／またはシンボルの数を示すことで、ＵＥのような受信装置は、低電力状態により早い時間に（たとえば、送信されたサブフレームを受信した直後に）入ることが可能になり得るので、電力が節約される。いくつかの例では、この情報は、無線周波数スペクトル帯域における送信のためのアップリンク構成および／またはダウンリンク構成（たとえば、無線周波数スペクトル帯域におけるフレーム構造のアップリンク構成および／またはダウンリンク構成）を示し得る。無線周波数スペクトル帯域における送信のためのアップリンク構成および／またはダウンリンク構成を示すことは、ｅＩＭＴＡ機能の性能を改善することができる。いくつかの例では、この情報は、フレームのうちの最大の数のサブフレームが無線周波数スペクトル帯域における送信のために使用されるかどうかを示し得る（たとえば、無線周波数スペクトル帯域のフレーム構造における送信のために最大の数のサブフレームが使用されるかどうかを示すために、または、無線周波数スペクトル帯域のフレーム構造における送信のために最大の数未満のサブフレームが使用されるかどうかを示すために、単一のビットが使用され得る）。いくつかの例では、この情報は、無線周波数スペクトル帯域中のコンポーネントキャリアで搬送される送信を受信するために使用すべきアンテナの数（たとえば、図９および／または図１０を参照して説明されたような、無線周波数スペクトル帯域のフレーム構造の間にコンポーネントキャリアの送信を受信するためのアンテナの数）を示し得る。この情報はさらに、または代替的に、他のタイプのシステム情報を含む、上のタイプの情報および／または他のタイプの情報の任意の組合せを含み得る。
【０２８４】
[0312]方法２８００のいくつかの例では、第１の信号は第１の複数のインターリーブされたリソースブロックを使用して送信されてよく、および／または、第２の信号は第２の複数のインターリーブされたリソースブロックを使用して送信されてよい。この方式で第１の信号および／または第２の信号を送信することで、第１の信号および／または第２の信号は、無線周波数スペクトル帯域中の利用可能な周波数帯域幅の少なくともある割合を占有し、１つまたは複数の規制上の要件（たとえば、第１の信号が利用可能な周波数帯域幅の少なくとも８０％を占有するという要件）を満たすことが可能になり得る。
【０２８５】
[0313]したがって、方法２８００はワイヤレス通信を提供することができる。方法２８００は一実装形態にすぎず、方法２８００の動作は、他の実装形態が可能であるように再構成され、または別様に修正され得ることに留意されたい。
【０２８６】
[0314]図２９は、本開示の様々な態様による、ワイヤレス通信のための方法２９００の例を示すフローチャートである。明快にするために、方法２９００は、図１、図２、および／または図２５を参照して説明された基地局１０５、２０５、２０５−ａ、および／または２５０５の１つまたは複数の態様、図１、図２、および／または図２６を参照して説明されたＵＥ１１５、２１５、２１５−ａ、２１５−ｂ、２１５−ｃ、および／または２６１５の１つまたは複数の態様、および／または、図１７、図１８、および／または図１９を参照して説明された装置１７０５、１８０５、および／または１９０５の１つまたは複数の態様に関して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０２８７】
[0315]ブロック２９０５において、方法２９００は、無線周波数スペクトル帯域中のコンポーネントキャリアで搬送される送信を受信するために使用すべきアンテナの数を決定することを含み得る。無線周波数スペクトル帯域は、無線周波数スペクトル帯域がＷｉ−Ｆｉ用途のような免許不要の用途に利用可能であるので装置がアクセスを争う必要があり得る無線周波数スペクトル帯域であり得る。無線周波数スペクトル帯域はまた、複数のモバイルネットワーク事業者がアクセスすることを許可されている免許無線周波数スペクトル帯域であり得る。ブロック２９０５における（１つまたは複数の）動作は、図１７、図１８、図１９、図２５、および／または図２６を参照して説明されたワイヤレス通信管理モジュール１７２０、１８２０、１９２０、２５６０、および／もしくは２６６０、ならびに／または、図１９を参照して説明されたアンテナ選択モジュール１９６０を使用して実行され得る。
【０２８８】
[0316]方法２９００のいくつかの例では、無線周波数スペクトル帯域中のコンポーネントキャリアで搬送される送信を受信するために使用すべきアンテナの数を決定することは、コンポーネントキャリアと関連付けられるアップリンク構成またはダウンリンク構成（たとえば、コンポーネントキャリアのフレームおよび／またはサブフレームと関連付けられるアップリンク構成またはダウンリンク構成）に少なくとも一部基づいて、使用すべきアンテナの数を決定することを含み得る。方法２９００の同じまたは他の例では、無線周波数スペクトル帯域中のコンポーネントキャリアで搬送される送信を受信するために使用すべきアンテナの数を決定することは、ＵＥにサービスするために使用される複数のコンポーネントキャリアの各々と関連付けられるコンテンション手順に少なくとも一部基づいて（たとえば、複数のコンポーネントキャリアの各々のために実行されるコンテンション手順の成功または失敗に少なくとも一部基づいて）、使用すべきアンテナの数を決定することを含み得る。
【０２８９】
[0317]方法２９００のいくつかの例では、コンポーネントキャリアのフレームの各サブフレームに対して、無線周波数スペクトル帯域中のコンポーネントキャリアで搬送される送信を受信するために使用すべきアンテナの数が選択され得る。方法２９００のいくつかの例では、コンポーネントキャリアの各フレームに対して、無線周波数スペクトル帯域中のコンポーネントキャリアで搬送される送信を受信するために使用すべきアンテナの数が選択され得る。
【０２９０】
[0318]ブロック２９１０において、方法２９００は、無線周波数スペクトル帯域中の第１のチャネルにアクセスすること（たとえば、第１のチャネルを予約すること）を示すための第１の信号を送信することを含み得る。ブロック２９１０における（１つまたは複数の）動作は、図１７、図１８、図１９、図２５、および／または図２６を参照して説明されたワイヤレス通信管理モジュール１７２０、１８２０、１９２０、２５６０、および／もしくは２６６０、ならびに／または、図１８および／または図１９を参照して説明されたチャネルアクセス指示モジュール１８３５および／もしくは１９４０を使用して実行され得る。
【０２９１】
[0319]ブロック２９１５において、方法２９００は、無線周波数スペクトル帯域において第１の信号とともに情報を送信することを含み得る。この情報は、無線周波数スペクトル帯域中のコンポーネントキャリアで搬送される送信を受信するために使用すべきアンテナの数（たとえば、図９および／または図１０を参照して説明されたような、無線周波数スペクトル帯域のフレーム構造の間にコンポーネントキャリアの送信を受信するためのアンテナの数）を示し得る。ブロック２９１５における（１つまたは複数の）動作は、図１７、図１８、図１９、図２５、および／または図２６を参照して説明されたワイヤレス通信管理モジュール１７２０、１８２０、１９２０、２５６０、および／もしくは２６６０、ならびに／または、図１８および／または図１９を参照して説明された情報送信モジュール１８４０および／もしくは１９４５を使用して実行され得る。
【０２９２】
[0320]方法２９００のいくつかの例では、送信される情報はまた、様々な他のタイプの情報を含み得る。いくつかの例では、情報は、セルＩＤ、ＰＬＭＮ  ＩＤ、またはこれらの組合せを含み得る。いくつかの例では、情報は、無線周波数スペクトル帯域における送信のためのフレーム構造（たとえば、ＬＢＴ無線フレームの持続時間）を示し得る。いくつかの例では、この情報は、無線周波数スペクトル帯域中のフレーム構造における送信のために使用されるサブフレームおよび／またはシンボルの数を示し得る（たとえば、１０個のサブフレームを含む１０ミリ秒のフレーム期間における送信のために５個のサブフレームが使用される）。無線周波数スペクトル帯域中のフレーム構造における送信のために使用されるサブフレームおよび／またはシンボルの数を示すことで、ＵＥのような受信装置は、低電力状態により早い時間に（たとえば、送信されたサブフレームを受信した直後に）入ることが可能になり得るので、電力が節約される。いくつかの例では、この情報は、無線周波数スペクトル帯域における送信のためのアップリンク構成および／またはダウンリンク構成（たとえば、無線周波数スペクトル帯域におけるフレーム構造のアップリンク構成および／またはダウンリンク構成）を示し得る。免許不要無線周波数スペクトル帯域における送信のためのアップリンク構成および／またはダウンリンク構成を示すことは、ｅＩＭＴＡ機能の性能を改善することができる。いくつかの例では、この情報は、フレームのうちの最大の数のサブフレームが無線周波数スペクトル帯域における送信のために使用されるかどうかを示し得る（たとえば、無線周波数スペクトル帯域のフレーム構造における送信のために最大の数のサブフレームが使用されるかどうかを示すために、または、無線周波数スペクトル帯域のフレーム構造における送信のために最大の数未満のサブフレームが使用されるかどうかを示すために、単一のビットが使用され得る）。この情報はさらに、または代替的に、他のタイプのシステム情報を含む、上のタイプの情報および／または他のタイプの情報の任意の組合せを含み得る。
【０２９３】
[0321]方法２９００のいくつかの例では、第１の信号とともに情報を送信することは、第１の信号の一部として情報を送信することを含み得る。これらの例では、第１の信号は、シーケンスの少なくとも一部に基づいて生成され得る。シーケンスは、情報に依存し得る。たとえば、シーケンスは、セルＩＤ、ＰＬＭＮ  ＩＤ、またはこれらの組合せに依存し得る。シーケンスはさらに、または代替的に、本明細書で言及される情報のタイプの任意の１つまたは組合せに依存し得る。
【０２９４】
[0322]方法２９００のいくつかの例では、第１の信号とともに情報を送信することは、第１の信号とともに第２の信号において情報を送信することを含み得る。第２の信号は第１の信号とは別であり得る。
【０２９５】
[0323]いくつかの例では、方法２９００は、第１の信号の送信のための複数の位相の中の第１の位相を選択することを含み得る。複数の位相の異なる位相は、異なる情報に対応し得る。これらの例では、第１の信号とともに情報を送信することは、第１の位相において第１の信号を送信することを含み得る。
【０２９６】
[0324]方法２９００のいくつかの例では、第１の信号および情報は、単一のＯＦＤＭシンボル期間の間に送信され得る。方法２９００のいくつかの例では、第１の信号は、第１のＯＦＤＭシンボル期間および第２のＯＦＤＭシンボル期間の間に送信されてよく、情報は、第２のＯＦＤＭシンボル期間の間に送信されてよい。いくつかの例では、第１のＯＦＤＭシンボル期間および第２のＯＦＤＭシンボル期間は、隣接するＯＦＤＭシンボル期間であり得る。
【０２９７】
[0325]方法２９００のいくつかの例では、第１の信号は、複数のインターリーブされたリソースブロックを使用して送信され得る。この方式で第１の信号を送信することで、第１の信号は、無線周波数スペクトル帯域中の利用可能な周波数帯域幅の少なくともある割合を占有すること、および／または、１つまたは複数の規制上の要件（たとえば、第１の信号が利用可能な周波数帯域幅の少なくとも８０％を占有するという要件）を満たすことが可能になり得る。
【０２９８】
[0326]ブロック２９２０において、方法２９００は、無線周波数スペクトル帯域中のコンポーネントキャリアを通じたデータ送信のために、プリコーディング行列、ランク、および／またはＭＣＳを調整することを含み得る。プリコーディング行列、ランク、および／またはＭＣＳは、ブロック２９０５において決定されたような、無線周波数スペクトル帯域中のコンポーネントキャリアを受信するために使用すべきアンテナの数に少なくとも一部基づいて調整され得る。ブロック２９２０における（１つまたは複数の）動作は、図１７、図１８、図１９、図２５、および／または図２６を参照して説明されたワイヤレス通信管理モジュール１７２０、１８２０、１９２０、２５６０、および／もしくは２６６０、ならびに／または、図１９を参照して説明されたＭＣＳ調整モジュール１９６５を使用して実行され得る。
【０２９９】
[0327]ブロック２９２５において、方法２９００は、調整されたプリコーディング行列、ランク、および／またはＭＣＳに従って、無線周波数スペクトル帯域中のコンポーネントキャリアを通じてデータ送信を送信することを含み得る。ブロック２９２５における（１つまたは複数の）動作は、図１７、図１８、図１９、図２５、および／または図２６を参照して説明されたワイヤレス通信管理モジュール１７２０、１８２０、１９２０、２５６０、および／もしくは２６６０、ならびに／または、図１９を参照して説明されたデータ送信モジュール１９７０を使用して実行され得る。
【０３００】
[0328]したがって、方法２９００はワイヤレス通信を提供することができる。方法２９００は一実装形態にすぎず、方法２９００の動作は、他の実装形態が可能であるように再構成され、または別様に修正され得ることに留意されたい。
【０３０１】
[0329]図３０は、本開示の様々な態様による、ワイヤレス通信のための方法３０００の例を示すフローチャートである。明快にするために、方法３０００は、図１、図２、および／または図２５を参照して説明されたＵＥ１０５、２０５、２０５−ａ、および／または２５０５の１つまたは複数の態様、図１、図２、および／または図２６を参照して説明されたＵＥ１１５、２１５、２１５−ａ、２１５−ｂ、２１５−ｃ、および／または２６１５の１つまたは複数の態様、および／または、図１７、図２０、図２１、および／または図２２を参照して説明された装置１７０５、２００５、２１０５、および／または２２０５の１つまたは複数の態様を参照して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０３０２】
[0330]ブロック３００５において、方法３０００は、無線周波数スペクトル帯域にアクセスするためのコンテンションに勝利することを含み得る。無線周波数スペクトル帯域は、無線周波数スペクトル帯域がＷｉ−Ｆｉ用途のような免許不要の用途に利用可能であるので装置がアクセスを争う必要があり得る無線周波数スペクトル帯域であり得る。無線周波数スペクトル帯域はまた、複数のモバイルネットワーク事業者がアクセスすることを許可されている免許無線周波数スペクトル帯域であり得る。ブロック３００５における（１つまたは複数の）動作は、図１７、図２０、図２１、図２２、図２５、および／または図２６を参照して説明されたワイヤレス通信管理モジュール１７２０、２０２０、２１２０、２２２０、２５６０、および／もしくは２６６０、ならびに／または、図２０、図２１、および／または図２２を参照して説明されたコンテンション管理モジュール２０３５、２１４０、および／もしくは２２３５を使用して実行され得る。
【０３０３】
[0331]無線周波数スペクトル帯域にアクセスするためのコンテンションに勝利した後で、ブロック３０１０において、方法３０００は、第２の信号の開始点を無線周波数スペクトル帯域と関連付けられる基準の境界と揃えるように、第１の信号を送信することを含み得る。いくつかの例では、第１の信号は第２の信号の前に送信され得る。ブロック３０１０における（１つまたは複数の）動作は、図１７、図２０、図２１、図２２、図２５、および／または図２６を参照して説明されたワイヤレス通信管理モジュール１７２０、２０２０、２１２０、２２２０、２５６０、および／もしくは２６６０、ならびに／または、図２０、図２１、および／または図２２を参照して説明された整列信号送信モジュール２０４０、２１５０、および／もしくは２２５５を使用して実行され得る。
【０３０４】
[0332]方法３０００のいくつかの例では、第１の信号は可変長訓練シーケンスを含み得る。いくつかの例では、可変長訓練シーケンスは、固定された持続時間の１つまたは複数の送信ユニットを含み得る。方法３０００の他の例では、第１の信号は、可変長訓練シーケンスと少なくとも１つの固定長訓練シーケンスとを含み得る。
【０３０５】
[0333]方法３０００のいくつかの例では、第２の信号は、無線周波数スペクトル帯域にアクセスするためのコンテンションに勝利したことを示す信号（たとえば、ＣＵＢＳ）を含み得る。方法３０００の他の例（たとえば、送信装置が無線周波数スペクトル帯域においてＬＢＴ−ＬＢＥ動作モードで動作している例）では、第２の信号はデータ送信を含み得る。
【０３０６】
[0334]方法３０００の例では、基準の境界はＯＦＤＭシンボル期間の境界を含み得る。これらの例では、コンテンション手順は、ＯＦＤＭシンボル期間の間にコンテンションの優先順位に従って実行され得る。コンテンションの優先順位は、装置（たとえば、方法３０００を実行する基地局またはＵＥ）が無線周波数スペクトル帯域と関連付けられるＯＦＤＭシンボル期間内でコンテンション手順をいつ実行するかを決定し得る。したがって、コンテンションの優先順位は、時間的により早くコンテンション手順を実行する装置に、時間的により遅くコンテンション手順を実行する装置よりも高い、コンテンション手順に勝利するための優先度を与えることができる。方法３０００のいくつかの例では、第１の信号は送信装置（たとえば、方法３０００を実行する基地局またはＵＥ）のコンテンションの優先順位と関連付けられ得るので、第１の信号はコンテンションの優先順位に少なくとも一部基づいてＯＦＤＭシンボル期間の一部分の間に送信される。したがって、たとえば、第１の信号は、装置がＯＦＤＭシンボル期間内でより早くコンテンション手順を実行することを許可するコンテンションの優先順位と第１の信号が関連付けられるとき、ＯＦＤＭシンボル期間のより大きな部分にわたって送信され得る。同様に、およびさらなる例として、第１の信号は、装置がＯＦＤＭシンボル期間内でより遅くコンテンション手順を実行することを許可するコンテンションの優先順位と第１の信号が関連付けられるとき、ＯＦＤＭシンボル期間のより小さな部分にわたって送信され得る。
【０３０７】
[0335]いくつかの例では、基準の境界は、無線周波数スペクトル帯域と関連付けられるフレームのスロットの境界、および／または無線周波数スペクトル帯域と関連付けられるフレームのサブフレームの境界を含み得る。
【０３０８】
[0336]いくつかの例では、方法３０００は、第１の信号の一部として情報を送信することを含み得る。情報は、たとえば、第２の信号のためのＡＧＣ情報および／または位相基準を含み得る。
【０３０９】
[0337]方法３０００のいくつかの例では、第１の信号および／または第２の信号は、複数のインターリーブされたリソースブロックを使用して送信され得る。この方式で第１の信号および／または第２の信号を送信することで、第１の信号および／または第２の信号は、無線周波数スペクトル帯域中の利用可能な周波数帯域幅の少なくともある割合を占有すること、および／または、１つまたは複数の規制上の要件（たとえば、第１の信号および／または第２の信号が利用可能な周波数帯域幅の少なくとも８０％を占有するという要件）を満たすことが可能になり得る。
【０３１０】
[0338]したがって、方法３０００はワイヤレス通信を提供することができる。方法３０００は一実装形態にすぎず、方法３０００の動作は、他の実装形態が可能であるように再構成され、または別様に修正され得ることに留意されたい。
【０３１１】
[0339]図３１は、本開示の様々な態様による、ワイヤレス通信のための方法３１００の例を示すフローチャートである。明快にするために、方法３１００は、図１、図２、および／または図２５を参照して説明された基地局１０５、２０５、２０５−ａ、および／または２５０５の１つまたは複数の態様、図１、図２、および／または図２６を参照して説明されたＵＥ１１５、２１５、２１５−ａ、２１５−ｂ、２１５−ｃ、および／または２６１５の１つまたは複数の態様、および／または、図１７、図２０、および／または図２１を参照して説明された装置１７０５、２００５、および／または２１０５の１つまたは複数の態様に関して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０３１２】
[0340]ブロック３１０５において、方法３１００は、タイミング情報をアクセスすることを含み得る。タイミング情報は、たとえば、無線周波数スペクトル帯域と関連付けられる１つまたは複数の基準の境界のタイミングを含み得る。無線周波数スペクトル帯域は、無線周波数スペクトル帯域がＷｉ−Ｆｉ用途のような免許不要の用途に利用可能であるので装置がアクセスを争う必要があり得る無線周波数スペクトル帯域であり得る。無線周波数スペクトル帯域はまた、複数のモバイルネットワーク事業者がアクセスすることを許可されている免許無線周波数スペクトル帯域であり得る。ブロック３１０５における（１つまたは複数の）動作は、図１７、図２０、図２１、図２５、および／または図２６を参照して説明されたワイヤレス通信管理モジュール１７２０、２０２０、２１２０、２５６０、および／もしくは２６６０、ならびに／または、図２１を参照して説明されたタイミング情報アクセスモジュール２１３５を使用して実行され得る。
【０３１３】
[0341]ブロック３１１０において、方法３１００は、無線周波数スペクトル帯域にアクセスするためのコンテンションに勝利することを含み得る。無線周波数スペクトル帯域は、無線周波数スペクトル帯域がＷｉ−Ｆｉ用途のような免許不要の用途に利用可能であるので装置がアクセスを争う必要があり得る無線周波数スペクトル帯域であり得る。無線周波数スペクトル帯域はまた、複数のモバイルネットワーク事業者がアクセスすることを許可されている免許無線周波数スペクトル帯域であり得る。ブロック３１１０における（１つまたは複数の）動作は、図１７、図２０、図２１、図２５、および／または図２６を参照して説明されたワイヤレス通信管理モジュール１７２０、２０２０、２１２０、２５６０、および／もしくは２６６０、ならびに／または、図２０および／または図２１を参照して説明されたコンテンション管理モジュール２０３５および／もしくは２１４０を使用して実行され得る。
【０３１４】
[0342]ブロック３１１５において、方法３１００は、タイミング情報と無線周波数スペクトル帯域にアクセスするためのコンテンションに勝利したこととに少なくとも一部基づいて、無線周波数スペクトル帯域と関連付けられる基準の境界（たとえば、無線周波数スペクトル帯域にアクセスするためのコンテンションに勝利した後で出現する基準の境界）を決定することを含み得る。ブロック３１１５における（１つまたは複数の）動作は、図１７、図２０、図２１、図２５、および／または図２６を参照して説明されたワイヤレス通信管理モジュール１７２０、２０２０、２１２０、２５６０、および／もしくは２６６０、ならびに／または、図２１を参照して説明された基準境界決定モジュール２１４５を使用して実行され得る。
【０３１５】
[0343]無線周波数スペクトル帯域にアクセスするためのコンテンションに勝利した後で、ブロック３１２０において、方法３１００は、第２の信号の開始点を無線周波数スペクトル帯域と関連付けられる決定された基準の境界と揃えるように、第１の信号を送信することを含み得る。いくつかの例では、第１の信号は第２の信号の前に送信され得る。ブロック３１２０における（１つまたは複数の）動作は、図１７、図２０、図２１、図２５、および／または図２６を参照して説明されたワイヤレス通信管理モジュール１７２０、２０２０、２１２０、２５６０、および／もしくは２６６０、ならびに／または、図２０および／または図２１を参照して説明された整列信号送信モジュール２０４０および／もしくは２１５０を使用して実行され得る。
【０３１６】
[0344]方法３１００のいくつかの例では、第１の信号は可変長訓練シーケンスを含み得る。いくつかの例では、可変長訓練シーケンスは、固定された持続時間の１つまたは複数の送信ユニットを含み得る。方法３０００の他の例では、第１の信号は、可変長訓練シーケンスと少なくとも１つの固定長訓練シーケンスとを含み得る。
【０３１７】
[0345]方法３１００のいくつかの例では、第２の信号は、無線周波数スペクトル帯域にアクセスするためのコンテンションに勝利したことを示す信号（たとえば、ＣＵＢＳ）を含み得る。方法３０００の他の例（たとえば、送信装置が無線周波数スペクトル帯域においてＬＢＴ−ＬＢＥ動作モードで動作している例）では、第２の信号はデータ送信を含み得る。
【０３１８】
[0346]方法３１００の例では、基準の境界はＯＦＤＭシンボル期間の境界を含み得る。これらの例では、コンテンション手順は、ＯＦＤＭシンボル期間の間にコンテンションの優先順位に従って実行され得る。コンテンションの優先順位は、装置（たとえば、方法３１００を実行する基地局またはＵＥ）が無線周波数スペクトル帯域と関連付けられるＯＦＤＭシンボル期間内でコンテンション手順をいつ実行するかを決定し得る。したがって、コンテンションの優先順位は、時間的により早くコンテンション手順を実行する装置に、時間的により遅くコンテンション手順を実行する装置よりも高い、コンテンション手順に勝利するための優先度を与えることができる。方法３１００のいくつかの例では、第１の信号は送信装置（たとえば、方法３１００を実行する基地局またはＵＥ）のコンテンションの優先順位と関連付けられ得るので、第１の信号はコンテンションの優先順位に少なくとも一部基づいてＯＦＤＭシンボル期間の一部分の間に送信される。したがって、たとえば、第１の信号は、装置がＯＦＤＭシンボル期間内でより早くコンテンション手順を実行することを許可するコンテンションの優先順位と第１の信号が関連付けられるとき、ＯＦＤＭシンボル期間のより大きな部分にわたって送信され得る。同様に、およびさらなる例として、第１の信号は、装置がＯＦＤＭシンボル期間内でより遅くコンテンション手順を実行することを許可するコンテンションの優先順位と第１の信号が関連付けられるとき、ＯＦＤＭシンボル期間のより小さな部分にわたって送信され得る。
【０３１９】
[0347]いくつかの例では、基準の境界は、無線周波数スペクトル帯域と関連付けられるフレームのスロットの境界、および／または無線周波数スペクトル帯域と関連付けられるフレームのサブフレームの境界を含み得る。
【０３２０】
[0348]いくつかの例では、方法３１００は、第１の信号の一部として情報を送信することを含み得る。情報は、たとえば、第２の信号のためのＡＧＣ情報および／または位相基準を含み得る。
【０３２１】
[0349]方法３１００のいくつかの例では、第１の信号および／または第２の信号は、複数のインターリーブされたリソースブロックを使用して送信され得る。この方式で第１の信号および／または第２の信号を送信することで、第１の信号および／または第２の信号は、無線周波数スペクトル帯域中の利用可能な周波数帯域幅の少なくともある割合を占有すること、および／または、１つまたは複数の規制上の要件（たとえば、第１の信号および／または第２の信号が利用可能な周波数帯域幅の少なくとも８０％を占有するという要件）を満たすことが可能になり得る。
【０３２２】
[0350]したがって、方法３１００はワイヤレス通信を提供することができる。方法３１００は一実装形態にすぎず、方法３１００の動作は、他の実装形態が可能であるように再構成され、または別様に修正され得ることに留意されたい。
【０３２３】
[0351]図３２は、本開示の様々な態様による、ワイヤレス通信のための方法３２００の例を示すフローチャートである。明快にするために、方法３２００は、図１、図２、および／または図２５を参照して説明された基地局１０５、２０５、２０５−ａ、および／または２５０５の１つまたは複数の態様、図１、図２、および／または図２６を参照して説明されたＵＥ１１５、２１５、２１５−ａ、２１５−ｂ、２１５−ｃ、および／または２６１５の１つまたは複数の態様、および／または、図１７、図２０、および／または図２２を参照して説明された装置１７０５、２００５、および／または２２０５の１つまたは複数の態様に関して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０３２４】
[0352]ブロック３２０５において、方法３２００は、無線周波数スペクトル帯域にアクセスするためのコンテンションに勝利することを含み得る。無線周波数スペクトル帯域は、無線周波数スペクトル帯域がＷｉ−Ｆｉ用途のような免許不要の用途に利用可能であるので装置がアクセスを争う必要があり得る無線周波数スペクトル帯域であり得る。無線周波数スペクトル帯域はまた、複数のモバイルネットワーク事業者がアクセスすることを許可されている共有された免許無線周波数スペクトル帯域であり得る。ブロック３２０５における（１つまたは複数の）動作は、図１７、図２０、図２２、図２５、および／または図２６を参照して説明されたワイヤレス通信管理モジュール１７２０、２０２０、２２２０、２５６０、および／もしくは２６６０、ならびに／または、図２０および／または図２２を参照して説明されたコンテンション管理モジュール２０３５および／もしくは２２３５を使用して実行され得る。いくつかの例では、無線周波数スペクトル帯域にアクセスするためのコンテンションに勝利することは、無線周波数スペクトル帯域を通じてＬＢＴ−ＬＢＥ動作モードで動作している間に達成され得る。
【０３２５】
[0353]無線周波数スペクトル帯域にアクセスするためのコンテンションに勝利した後で、ブロック３２１０において、方法３２００は、無線周波数スペクトル帯域と関連付けられる無線フレームの境界のタイミングを示すために、第１の信号を送信することを含み得る。ブロック３２１０における（１つまたは複数の）動作は、図１７、図２０、図２２、図２５、および／または図２６を参照して説明されたワイヤレス通信管理モジュール１７２０、２０２０、２２２０、２５６０、および／もしくは２６６０、図２０および／または図２２を参照して説明された整列信号送信モジュール２０４０および／もしくは２２５５、ならびに／または、図２２を参照して説明された基準境界決定モジュール２２５０を使用して実行され得る。
【０３２６】
[0354]ブロック３２１５において、方法３２００は、無線フレームの境界のタイミングに対するオーバーヘッド信号の位置情報を伝えるために第２の信号を送信することを含み得る。いくつかの例では、第２の信号はＲＲＣシグナリングを含み得る。いくつかの例では、第２の信号は、無線フレームの境界に関連してダウンリンク制御チャネルのための位置情報を搬送することができる。いくつかの例では、第２の信号は、ＣＳＩフィードバックのために使用されるリソースのための位置情報を搬送することができる。ブロック３２１５における（１つまたは複数の）動作は、図１７、図２０、図２２、図２５、および／または図２６を参照して説明されたワイヤレス通信管理モジュール１７２０、２０２０、２２２０、２５６０、および／もしくは２６６０、ならびに／または、図２２を参照して説明された位置情報送信モジュール２２６０を使用して実行され得る。
【０３２７】
[0355]方法３２００のいくつかの例では、第１の信号は第２の信号を含み得る（たとえば、第１の信号は、無線フレームの境界のタイミングに関連してオーバーヘッド信号の位置情報を搬送するＣＵＢＳであり得る）。
【０３２８】
[0356]図３３は、本開示の様々な態様による、ワイヤレス通信のための方法３３００の例を示すフローチャートである。明快にするために、方法３３００は、図１、図２、および／または図２５を参照して説明されたＵＥ１０５、２０５、２０５−ａ、および／または２５０５の１つまたは複数の態様、図１、図２、および／または図２６を参照して説明されたＵＥ１１５、２１５、２１５−ａ、２１５−ｂ、２１５−ｃ、および／または２６１５の１つまたは複数の態様、よび／または、図１７、図２３、および／または図２４を参照して説明された装置１７０５、２３０５、および／または２４０５の１つまたは複数の態様を参照して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０３２９】
[0357]ブロック３３０５において、方法３３００は、第１のフレーム期間の間に無線周波数スペクトル帯域にアクセスするためのコンテンションに勝利することを含み得る。第１のフレーム期間は、複数の異なるフレーム期間から（たとえば、２ミリ秒、５ミリ秒、および／または１０ミリ秒の持続時間を有する複数の異なるフレーム期間から）選択され得る。いくつかの例では、第１のフレーム期間はＬＢＴ無線フレーム期間であり得る。いくつかの例では、複数の異なるフレーム期間の各々はＬＢＴ無線フレーム期間であり得る。無線周波数スペクトル帯域は、無線周波数スペクトル帯域がＷｉ−Ｆｉ用途のような免許不要の用途に利用可能であるので装置がアクセスを争う必要があり得る無線周波数スペクトル帯域であり得る。無線周波数スペクトル帯域はまた、複数のモバイルネットワーク事業者がアクセスすることを許可されている共有された免許無線周波数スペクトル帯域であり得る。ブロック３３０５における（１つまたは複数の）動作は、図１７、図２３、図２４、図２５、および／または図２６を参照して説明されたワイヤレス通信管理モジュール１７２０、２３２０、２４２０、２５６０、および／もしくは２６６０、ならびに／または、図２３および／または図２４を参照して説明されたコンテンション管理モジュール２３３５および／もしくは２４４０を使用して実行され得る。
【０３３０】
[0358]ブロック３３１０において、方法３３００は、複数の異なるフレーム期間の各々のために第１のフレーム期間の１つまたは複数のサブフレームの間に、ある周期性で信号を送信することを含み得る。いくつかの例では、周期性は固定された周期性であってよく、および／または、信号は、たとえば図１６を参照して説明されたように、固定された時間および／または固定された周波数位置において送信されてよい。ブロック３３１０における（１つまたは複数の）動作は、図１７、図２３、図２４、図２５、および／または図２６を参照して説明されたワイヤレス通信管理モジュール１７２０、２３２０、２４２０、２５６０、および／もしくは２６６０、ならびに／または、図２３および／または図２４を参照して説明された信号送信モジュール２３４０および／もしくは２４５０を使用して実行され得る。
【０３３１】
[0359]いくつかの例では、信号はオーバーヘッドチャネルにおいて送信されてよく、オーバーヘッドチャネルは、ＣＲＳ、ｅＣＲＳ、ＣＳＩ−ＲＳ、同期信号、および／またはＳＩＢブロードキャストチャネルを含み得る。
【０３３２】
[0360]したがって、方法３３００はワイヤレス通信を提供することができる。方法３３００は一実装形態にすぎず、方法３３００の動作は、他の実装形態が可能であるように再構成され、または別様に修正され得ることに留意されたい。
【０３３３】
[0361]図３４は、本開示の様々な態様による、ワイヤレス通信のための方法３４００の例を示すフローチャートである。明快にするために、方法３４００は、図１、図２、および／または図２５を参照して説明されたＵＥ１０５、２０５、２０５−ａ、および／または２５０５の１つまたは複数の態様、図１、図２、および／または図２６を参照して説明されたＵＥ１１５、２１５、２１５−ａ、２１５−ｂ、２１５−ｃ、および／または２６１５の１つまたは複数の態様、および／または、図１７、図２３、および／または図２４を参照して説明された装置１７０５、２３０５、および／または２４０５の１つまたは複数の態様を参照して、以下で説明される。いくつかの例では、基地局、ＵＥ、および／または装置は、以下で説明される機能を実行するように、基地局、ＵＥ、および／または装置の機能要素を制御するためのコードの１つまたは複数のセットを実行し得る。
【０３３４】
[0362]ブロック３４０５において、方法３４００は、複数の異なるフレーム期間から（たとえば、２ミリ秒、５ミリ秒、および／または１０ミリ秒の持続時間を有する複数の異なるフレーム期間から）第１のフレーム期間を選択することを含み得る。いくつかの例では、第１のフレーム期間はＬＢＴ無線フレーム期間であり得る。いくつかの例では、複数の異なるフレーム期間の各々はＬＢＴ無線フレーム期間であり得る。ブロック３４０５における（１つまたは複数の）動作は、図１７、図２３、図２４、図２５、および／または図２６を参照して説明されたワイヤレス通信管理モジュール１７２０、２３２０、２４２０、２５６０、および／もしくは２６６０、ならびに／または、図２４を参照して説明されたフレーム期間選択モジュール２４３５を使用して実行され得る。
【０３３５】
[0363]ブロック３４１０において、方法３４００は、第１のフレーム期間の間に無線周波数スペクトル帯域にアクセスするためのコンテンションに勝利することを含み得る。免許不要無線周波数スペクトル帯域は、無線周波数スペクトル帯域がＷｉ−Ｆｉ用途のような免許不要の用途に利用可能であるので装置がアクセスを争う必要があり得る無線周波数スペクトル帯域であり得る。無線周波数スペクトル帯域はまた、複数のモバイルネットワーク事業者がアクセスすることを許可されている共有された免許無線周波数スペクトル帯域であり得る。ブロック３４１０における（１つまたは複数の）動作は、図１７、図２３、図２４、図２５、および／または図２６を参照して説明されたワイヤレス通信管理モジュール１７２０、２３２０、２４２０、２５６０、および／もしくは２６６０、ならびに／または、図２３および／または図２４を参照して説明されたコンテンション管理モジュール２３３５および／もしくは２４４０を使用して実行され得る。
【０３３６】
[0364]ブロック３４１５において、方法３４００は、第１のフレーム期間の１つまたは複数のサブフレームの間にある周期性で、および複数の異なるフレーム期間の各々のために送信されることになる信号が、コンテンション手順のタイミングと競合するかどうかを決定することを含み得る。信号がコンテンション手順のタイミングと競合しないと決定されるとき、ブロック３４２０は、方法３４００のフローをブロック３４２５に向けることができる。信号がコンテンション手順のタイミングと競合すると決定されるとき、ブロック３４２０は、方法３４００のフローをブロック３４３０に向けることができる。ブロック３４１５および／またはブロック３４２０における（１つまたは複数の）動作は、図１７、図２３、図２４、図２５、および／または図２６を参照して説明されたワイヤレス通信管理モジュール１７２０、２３２０、２４２０、２５６０、および／もしくは２６６０、ならびに／または、図２４を参照して説明された信号競合検出モジュール２４４５を使用して実行され得る。
【０３３７】
[0365]ブロック３４２５において、方法３４００は、第１のフレーム期間の１つまたは複数のサブフレームの間にある周期性で、および複数の異なるフレーム期間の各々のために信号を送信することを含み得る。いくつかの例では、周期性は固定された周期性であってよく、および／または、信号は、たとえば図１６を参照して説明されたように、固定された時間および／または固定された周波数位置において送信されてよい。ブロック３４２５における（１つまたは複数の）動作は、図１７、図２３、図２４、図２５、および／または図２６を参照して説明されたワイヤレス通信管理モジュール１７２０、２３２０、２４２０、２５６０、および／もしくは２６６０、ならびに／または、図２３および／または図２４を参照して説明された信号送信モジュール２３４０および／もしくは２４５０を使用して実行され得る。
【０３３８】
[0366]いくつかの例では、信号はオーバーヘッドチャネルにおいて送信されてよく、オーバーヘッドチャネルは、ＣＲＳ、ｅＣＲＳ、ＣＳＩ−ＲＳ、同期信号、および／またはＳＩＢブロードキャストチャネルを含み得る。
【０３３９】
[0367]ブロック３４３０において、方法３４００は、たとえば図１６を参照して説明されたように、信号がコンテンション手順のタイミングと競合するという決定に少なくとも一部基づいて、信号の送信を防ぐことを含み得る。ブロック３４３０における（１つまたは複数の）動作は、図１７、図２３、図２４、図２５、および／または図２６を参照して説明されたワイヤレス通信管理モジュール１７２０、２３２０、２４２０、２５６０、および／もしくは２６６０、ならびに／または、図２３および／または図２４を参照して説明された信号送信モジュール２３４０および／もしくは２４５０を使用して実行され得る。
【０３４０】
[0368]したがって、方法３４００はワイヤレス通信を提供することができる。方法３４００は一実装形態にすぎず、方法３４００の動作は、他の実装形態が可能であるように再構成され、または別様に修正され得ることに留意されたい。
【０３４１】
[0369]いくつかの例では、方法２７００、２８００、２９００、３０００、３１００、３２００、３３００、および／または３４００の１つまたは複数の態様が、組み合わされ得る。
【０３４２】
[0370]添付の図面に関して上に記載された詳細な説明は、例を説明しており、実装され得るまたは特許請求の範囲内に入る例のみを表すものではない。「例」および「例示的」という語は、この説明で使用されるとき、「一例、実例、または例示としての役割を果たす」ことを意味し、「好ましい」または「他の例より有利である」ことを意味しない。発明を実施するための形態は、説明される技法の理解をもたらすための具体的な詳細を含む。しかしながら、これらの技法は、これらの特定の詳細を伴わずに実践され得る。いくつかの事例では、説明された例の概念を不明瞭にすることを避けるために、よく知られている構造および装置がブロック図の形態で示されている。
【０３４３】
[0371]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【０３４４】
[0372]本明細書の開示に関連して説明された様々な例示的なブロックおよびモジュールは、汎用プロセッサ、デジタル信号プロセッサ（ＤＳＰ）、ＡＳＩＣ、ＦＰＧＡ、もしくは他のプログラマブル論理デバイス、個別ゲートもしくはトランジスタロジック、個別ハードウェアコンポーネント、または本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰおよびマイクロプロセッサの組合せ、複数のマイクロプロセッサ、ＤＳＰコアと連携する１つもしくは複数のマイクロプロセッサ、または任意の他のそのような構成としても実装され得る。
【０３４５】
[0373]本明細書において説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして非一時的コンピュータ可読媒体上に記憶され、または非一時的コンピュータ可読媒体を通じて送信され得る。他の例および実装形態が、本開示および添付の特許請求の範囲および趣旨の中にある。たとえば、ソフトウェアの性質により、上で説明された機能は、プロセッサ、ハードウェア、ファームウェア、配線、またはこれらのいずれかの組合せによって実行されるソフトウェアを使用して実装され得る。機能を実装する特徴はまた、機能の一部が異なる物理的場所において実装されるように分散されることを含めて、様々な位置に物理的に配置され得る。また、特許請求の範囲を含めて、本明細書で使用されるとき、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０３４６】
[0374]コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読記憶媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気記憶デバイス、または、命令またはデータ構造の形態で所望のプログラムコード手段を搬送または格納するために使用され、汎用もしくは専用コンピュータ、または汎用もしくは専用プロセッサによってアクセスされ得る任意の他の媒体を備え得る。また、任意の接続がコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、一方、ディスク（disc）は、データをレーザーで光学的に再生する。上記のものの組合せもまた、コンピュータ可読媒体の範囲内に含まれる。
【０３４７】
[0375]本開示の上の説明は、当業者が本開示を作成または使用することができるように与えられる。本開示の様々な変更が当業者には容易に明らかとなり、本明細書において規定された一般原理は、本開示の趣旨または範囲から逸脱することなく他の変形形態に適用され得る。本開示全体にわたって、「例」または「例示的」という用語は、例または事例を示すものであり、言及された例に対する選好を暗示せず、または要求しない。したがって、本開示は、本明細書において説明される例および設計に限定されるべきでなく、本明細書において開示される原理および新規の特徴に合致する最も広い範囲を与えられるべきである。
【図１】
2019216444.tif 000007
【図２】
2019216444.tif 000008
【図３】
2019216444.tif 000009
【図４】
2019216444.tif 000010
【図５】
2019216444.tif 000011
【図６】
2019216444.tif 000012
【図７】
2019216444.tif 000013
【図８Ａ】
2019216444.tif 000014
【図８Ｂ】
2019216444.tif 000015
【図９】
2019216444.tif 000016
【図１０】
2019216444.tif 000017
【図１１Ａ】
2019216444.tif 000018
【図１１Ｂ】
2019216444.tif 000019
【図１１Ｃ】
2019216444.tif 000020
【図１２】
2019216444.tif 000021
【図１３】
2019216444.tif 000022
【図１４】
2019216444.tif 000023
【図１５】
2019216444.tif 000024
【図１６】
2019216444.tif 000025
【図１７】
2019216444.tif 000026
【図１８】
2019216444.tif 000027
【図１９】
2019216444.tif 000028
【図２０】
2019216444.tif 000029
【図２１】
2019216444.tif 000030
【図２２】
2019216444.tif 000031
【図２３】
2019216444.tif 000032
【図２４】
2019216444.tif 000033
【図２５】
2019216444.tif 000034
【図２６】
2019216444.tif 000035
【図２７】
2019216444.tif 000036
【図２８】
2019216444.tif 000037
【図２９】
2019216444.tif 000038
【図３０】
2019216444.tif 000039
【図３１】
2019216444.tif 000040
【図３２】
2019216444.tif 000041
【図３３】
2019216444.tif 000042
【図３４】
2019216444.tif 000043
【手続補正書】
【提出日】令和1年8月30日(2019.8.30)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
免許不要無線周波数スペクトル帯域において第１のチャネルにアクセスすることを示すために第１の信号を送信することと、
前記免許不要無線周波数スペクトル帯域において前記第１の信号とともに情報を送信することとを備える、方法。
【請求項２】
前記情報がシステム情報を備える、請求項１に記載の方法。
【請求項３】
前記第１の信号とともに情報を前記送信することが、
情報を前記第１の信号の一部として送信することを備える、請求項１に記載の方法。
【請求項４】
前記第１の信号が、シーケンスに少なくとも一部基づいて生成される、請求項３に記載の方法。
【請求項５】
前記シーケンスが前記情報に依存する、請求項４に記載の方法。
【請求項６】
前記情報が、セル識別子（ＩＤ）、公衆陸上移動体ネットワークＩＤ、またはこれらの組合せを備える、請求項５に記載の方法。
【請求項７】
前記第１の信号とともに情報を前記送信することが、
前記第１の信号とともに第２の信号において情報を送信することを備え、前記第２の信号が前記第１の信号と別である、請求項１に記載の方法。
【請求項８】
前記第１の信号の送信のために複数の位相から第１の位相を選択することをさらに備え、前記複数の位相の異なる位相が異なる情報に対応し、
前記第１の信号とともに情報を前記送信することが、前記第１の位相において前記第１の信号を送信することを備える、請求項１に記載の方法。
【請求項９】
前記情報が、前記免許不要無線周波数スペクトル帯域における送信のためのフレーム構造を示す、請求項１に記載の方法。
【請求項１０】
前記第１の信号および前記情報が、前記免許不要無線周波数スペクトル帯域の単一の直交周波数分割多重化（ＯＦＤＭ）シンボル期間の間に送信される、請求項１に記載の方法。
【請求項１１】
前記第１の信号が、前記免許不要無線周波数スペクトル帯域の第１の直交周波数分割多重化（ＯＦＤＭ）シンボル期間および前記免許不要無線周波数スペクトル帯域の第２のＯＦＤＭシンボル期間の間に送信され、前記情報が、前記第２のＯＦＤＭシンボル期間の間に送信される、請求項１に記載の方法。
【請求項１２】
前記免許不要無線周波数スペクトル帯域の前記第２のＯＦＤＭシンボル期間の間に、前記情報を搬送する第２の信号を送信することをさらに備え、
前記第１の信号が、前記第２の信号のための位相基準を提供する、請求項１１に記載の方法。
【請求項１３】
前記情報が、前記免許不要無線周波数スペクトル帯域における送信のためのアップリンク構成またはダウンリンク構成を示す、請求項１に記載の方法。
【請求項１４】
前記情報が、前記免許不要無線周波数スペクトル帯域における送信のために使用されるフレームのサブフレームの数を示す、請求項１に記載の方法。
【請求項１５】
前記情報が、前記免許不要無線周波数スペクトル帯域中のコンポーネントキャリアで搬送される送信を受信するために使用すべきアンテナの数を示す、請求項１に記載の方法。
【請求項１６】
前記免許不要無線周波数スペクトル帯域中の前記コンポーネントキャリアを受信するために使用すべきアンテナの前記数に少なくとも一部基づいて、前記免許不要無線周波数スペクトル帯域中の前記コンポーネントキャリアの送信のための変調およびコーディング方式（ＭＣＳ）を調整することをさらに備える、請求項１５に記載の方法。
【請求項１７】
前記免許不要無線周波数スペクトル帯域中の前記コンポーネントキャリアで搬送される送信を受信するために使用すべきアンテナの前記数が、前記コンポーネントキャリアと関連付けられるアップリンク構成またはダウンリンク構成に少なくとも一部基づいて決定される、請求項１５に記載の方法。
【請求項１８】
前記免許不要無線周波数スペクトル帯域中の前記コンポーネントキャリアで搬送される送信を受信するために使用すべきアンテナの前記数が、ユーザ機器（ＵＥ）にサービスするために使用される複数のコンポーネントキャリアの各々と関連付けられるクリアチャネルアセスメント（ＣＣＡ）手順に少なくとも一部基づいて決定される、請求項１５に記載の方法。
【請求項１９】
前記免許不要無線周波数スペクトル帯域中の前記コンポーネントキャリアのフレームの各サブフレームに対して、前記免許不要無線周波数スペクトル帯域中の前記コンポーネントキャリアで搬送される送信を受信するために使用すべきアンテナの前記数を選択することをさらに備える、請求項１５に記載の方法。
【請求項２０】
ワイヤレス通信のための装置であって、
免許不要無線周波数スペクトル帯域において第１のチャネルにアクセスすることを示すために第１の信号を送信するための手段と、
前記免許不要無線周波数スペクトル帯域において前記第１の信号とともに情報を送信するための手段とを備える、装置。
【請求項２１】
前記情報がシステム情報を備える、請求項２０に記載の装置。
【請求項２２】
前記第１の信号とともに情報を前記送信するための手段が、
情報を前記第１の信号の一部として送信するための手段を備える、請求項２０に記載の装置。
【請求項２３】
前記第１の信号が、シーケンスに少なくとも一部基づいて生成される、請求項２２に記載の装置。
【請求項２４】
前記シーケンスが前記情報に依存する、請求項２３に記載の装置。
【請求項２５】
前記情報が、セル識別子（ＩＤ）、公衆陸上移動体ネットワークＩＤ、またはこれらの組合せを備える、請求項２４に記載の装置。
【請求項２６】
前記第１の信号とともに情報を前記送信するための手段が、
前記第１の信号とともに第２の信号において情報を送信するための手段を備え、前記第２の信号が前記第１の信号と別である、請求項２０に記載の装置。
【請求項２７】
前記第１の信号の送信のために複数の位相から第１の位相を選択するための手段をさらに備え、前記複数の位相の異なる位相が異なる情報に対応し、
前記第１の信号とともに情報を前記送信するための手段が、前記第１の位相において前記第１の信号を送信するための手段を備える、請求項２０に記載の装置。
【請求項２８】
前記情報が、前記免許不要無線周波数スペクトル帯域における送信のためのフレーム構造を示す、請求項２０に記載の装置。
【請求項２９】
前記第１の信号および前記情報が、前記免許不要無線周波数スペクトル帯域の単一の直交周波数分割多重化（ＯＦＤＭ）シンボル期間の間に送信される、請求項２０に記載の装置。
【請求項３０】
前記第１の信号が、前記免許不要無線周波数スペクトル帯域の第１の直交周波数分割多重化（ＯＦＤＭ）シンボル期間および前記免許不要無線周波数スペクトル帯域の第２のＯＦＤＭシンボル期間の間に送信され、前記情報が、前記第２のＯＦＤＭシンボル期間の間に送信される、請求項２０に記載の装置。
【請求項３１】
前記免許不要無線周波数スペクトル帯域の前記第２のＯＦＤＭシンボル期間の間に、前記情報を搬送する第２の信号を送信するための手段をさらに備え、
前記第１の信号が、前記第２の信号のための位相基準を提供する、請求項３０に記載の装置。
【請求項３２】
前記情報が、前記免許不要無線周波数スペクトル帯域における送信のためのアップリンク構成またはダウンリンク構成を示す、請求項２０に記載の装置。
【請求項３３】
前記情報が、前記免許不要無線周波数スペクトル帯域における送信のために使用されるフレームのサブフレームの数を示す、請求項２０に記載の装置。
【請求項３４】
前記情報が、前記免許不要無線周波数スペクトル帯域中のコンポーネントキャリアで搬送される送信を受信するために使用すべきアンテナの数を示す、請求項２０に記載の装置。
【請求項３５】
前記免許不要無線周波数スペクトル帯域中の前記コンポーネントキャリアを受信するために使用すべきアンテナの前記数に少なくとも一部基づいて、前記免許不要無線周波数スペクトル帯域中の前記コンポーネントキャリアの送信のための変調およびコーディング方式（ＭＣＳ）を調整するための手段をさらに備える、請求項３４に記載の装置。
【請求項３６】
前記免許不要無線周波数スペクトル帯域中の前記コンポーネントキャリアで搬送される送信を受信するために使用すべきアンテナの前記数が、前記コンポーネントキャリアと関連付けられるアップリンク構成またはダウンリンク構成に少なくとも一部基づいて決定される、請求項３４に記載の装置。
【請求項３７】
前記免許不要無線周波数スペクトル帯域中の前記コンポーネントキャリアで搬送される送信を受信するために使用すべきアンテナの前記数が、ユーザ機器（ＵＥ）にサービスするために使用される複数のコンポーネントキャリアの各々と関連付けられるクリアチャネルアセスメント（ＣＣＡ）手順に少なくとも一部基づいて決定される、請求項３４に記載の装置。
【請求項３８】
前記免許不要無線周波数スペクトル帯域中の前記コンポーネントキャリアのフレームの各サブフレームに対して、前記免許不要無線周波数スペクトル帯域中の前記コンポーネントキャリアで搬送される送信を受信するために使用すべきアンテナの前記数を選択するための手段をさらに備える、請求項３４に記載の装置。
【請求項３９】
ワイヤレス通信のための装置であって、
プロセッサと、
前記プロセッサと電子通信しているメモリと、
前記メモリに記憶された命令とを備え、前記命令が、前記プロセッサによって、
免許不要無線周波数スペクトル帯域において第１のチャネルにアクセスすることを示すために第１の信号を送信し、
前記免許不要無線周波数スペクトル帯域において前記第１の信号とともに情報を送信する
ように実行可能である、装置。
【請求項４０】
前記情報がシステム情報を備える、請求項３０に記載の装置。
【請求項４１】
前記第１の信号とともに情報を前記送信するように前記プロセッサによって実行可能な前記命令が、
情報を前記第１の信号の一部として送信するように前記プロセッサによって実行可能な命令備える、請求項３９に記載の装置。
【請求項４２】
前記第１の信号とともにシステム情報を送信するように前記プロセッサによって実行可能な前記命令が、
前記第１の信号とともに第２の信号において情報を送信するように前記プロセッサによって実行可能な命令備え、前記第２の信号が前記第１の信号と別である、請求項３９に記載の装置。
【請求項４３】
前記命令が、
前記第１の信号の送信のために複数の位相から第１の位相を選択するように前記プロセッサによって実行可能であり、前記複数の位相の異なる位相が異なる情報に対応し、
前記第１の信号とともに情報を前記送信するように前記プロセッサによって実行可能な前記命令が、
前記第１の位相において前記第１の信号を送信するように前記プロセッサによって実行可能な命令備える、請求項３９に記載の装置。
【請求項４４】
前記情報が、前記免許不要無線周波数スペクトル帯域における送信のためのフレーム構造を示す、請求項３９に記載の装置。
【請求項４５】
前記命令が、
前記免許不要無線周波数スペクトル帯域の単一の直交周波数分割多重化（ＯＦＤＭ）シンボル期間の間に前記第１の信号および前記情報を送信する
ように前記プロセッサによって実行可能である、請求項３９に記載の装置。
【請求項４６】
前記命令が、
前記免許不要無線周波数スペクトル帯域の第１の直交周波数分割多重化（ＯＦＤＭ）シンボル期間および前記免許不要無線周波数スペクトル帯域の第２のＯＦＤＭシンボル期間の間に、前記第１の信号を送信し、
前記第２のＯＦＤＭシンボル期間の間に前記情報を送信する
ように前記プロセッサによって実行可能である、請求項３９に記載の装置。
【請求項４７】
前記情報が、前記免許不要無線周波数スペクトル帯域における送信のためのアップリンク構成またはダウンリンク構成を示す、請求項３９に記載の装置。
【請求項４８】
前記情報が、前記免許不要無線周波数スペクトル帯域における送信のために使用されるフレームのサブフレームの数を示す、請求項３９に記載の装置。
【請求項４９】
前記情報が、前記免許不要無線周波数スペクトル帯域中のコンポーネントキャリアで搬送される送信を受信するために使用すべきアンテナの数を示す、請求項３９に記載の装置。
【請求項５０】
ワイヤレス通信システム中のワイヤレス通信装置による通信のためのコンピュータプログラム製品であって、前記コンピュータプログラム製品が、前記ワイヤレス通信装置に、
免許不要無線周波数スペクトル帯域において第１のチャネルにアクセスすることを示すために第１の信号を送信することと、
前記免許不要無線周波数スペクトル帯域において前記第１の信号とともに情報を送信することと
を行わせるようにプロセッサによって実行可能な命令を記憶する非一時的コンピュータ可読媒体を備える、コンピュータプログラム製品。
【請求項５１】
前記ワイヤレス通信装置に、前記第１の信号とともに情報を送信することを行わせるように前記プロセッサによって実行可能な前記命令が、前記ワイヤレス通信装置に、
情報を前記第１の信号の一部として送信すること
を行わせる、請求項５０に記載のコンピュータプログラム製品。
【請求項５２】
前記ワイヤレス通信装置に、前記第１の信号とともにシステム情報を送信することを行わせるように前記プロセッサによって実行可能な前記命令が、前記ワイヤレス通信装置に、
前記第１の信号とともに第２の信号において情報を送信することを行わせるように前記プロセッサによって実行可能な命令備え、前記第２の信号が前記第１の信号と別である、請求項５０に記載のコンピュータプログラム製品。
【請求項５３】
前記命令が、前記ワイヤレス通信装置に、
前記免許不要無線周波数スペクトル帯域の単一の直交周波数分割多重化（ＯＦＤＭ）シンボル期間の間に前記第１の信号および前記情報を送信すること
を行わせるように前記プロセッサによって実行可能である、請求項５０に記載のコンピュータプログラム製品。
【請求項５４】
前記命令が、前記ワイヤレス通信装置に、
前記免許不要無線周波数スペクトル帯域の第１の直交周波数分割多重化（ＯＦＤＭ）シンボル期間および前記免許不要無線周波数スペクトル帯域の第２のＯＦＤＭシンボル期間の間に、前記第１の信号を送信することと、
前記第２のＯＦＤＭシンボル期間の間に前記情報を送信することと
を行わせるように前記プロセッサによって実行可能である、請求項５０に記載のコンピュータプログラム製品。
【手続補正２】
【補正対象書類名】明細書
【補正対象項目名】０３４７
【補正方法】変更
【補正の内容】
【０３４７】
[0375]本開示の上の説明は、当業者が本開示を作成または使用することができるように与えられる。本開示の様々な変更が当業者には容易に明らかとなり、本明細書において規定された一般原理は、本開示の趣旨または範囲から逸脱することなく他の変形形態に適用され得る。本開示全体にわたって、「例」または「例示的」という用語は、例または事例を示すものであり、言及された例に対する選好を暗示せず、または要求しない。したがって、本開示は、本明細書において説明される例および設計に限定されるべきでなく、本明細書において開示される原理および新規の特徴に合致する最も広い範囲を与えられるべきである。
以下に本願の出願当初の特許請求の範囲に記載された発明を付記する。
［Ｃ１］
ワイヤレス通信のための方法であって、
無線周波数スペクトル帯域において第１のチャネルにアクセスすることを示すために第１の信号を送信することと、
前記無線周波数スペクトル帯域において前記第１の信号とともに情報を送信することとを備える、方法。
［Ｃ２］
前記情報がシステム情報を備える、Ｃ１に記載の方法。
［Ｃ３］
前記第１の信号とともに情報を前記送信することが、
情報を前記第１の信号の一部として送信することを備える、Ｃ１に記載の方法。
［Ｃ４］
前記第１の信号が、シーケンスに少なくとも一部基づいて生成される、Ｃ３に記載の方法。
［Ｃ５］
前記シーケンスが前記情報に依存する、Ｃ４に記載の方法。
［Ｃ６］
前記第１の信号とともに情報を前記送信することが、
前記第１の信号とともに第２の信号において情報を送信することを備え、前記第２の信号が前記第１の信号と別である、Ｃ１に記載の方法。
［Ｃ７］
前記第１の信号の送信のために複数の位相から第１の位相を選択することをさらに備え、前記複数の位相の異なる位相が異なる情報に対応し、
前記第１の信号とともに情報を前記送信することが、前記第１の位相において前記第１の信号を送信することを備える、Ｃ１に記載の方法。
［Ｃ８］
前記第１の信号が、前記無線周波数スペクトル帯域の第１の直交周波数分割多重化（ＯＦＤＭ）シンボル期間および前記無線周波数スペクトル帯域の第２のＯＦＤＭシンボル期間の間に送信され、前記情報が、前記第２のＯＦＤＭシンボル期間の間に送信される、Ｃ１に記載の方法。
［Ｃ９］
前記無線周波数スペクトル帯域の前記第２のＯＦＤＭシンボル期間の間に、前記情報を搬送する第２の信号を送信することをさらに備え、
前記第１の信号が、前記第２の信号のための位相基準を提供する、Ｃ８に記載の方法。
［Ｃ１０］
前記情報が、前記無線周波数スペクトル帯域における送信のために使用されるフレームのサブフレームの数を示す、Ｃ１に記載の方法。
［Ｃ１１］
前記情報が、前記無線周波数スペクトル帯域中のコンポーネントキャリアで搬送される送信を受信するために使用すべきアンテナの数を示す、Ｃ１に記載の方法。
［Ｃ１２］
前記無線周波数スペクトル帯域中の前記コンポーネントキャリアを受信するために使用すべきアンテナの前記数に少なくとも一部基づいて、前記無線周波数スペクトル帯域中の前記コンポーネントキャリアの送信のための変調およびコーディング方式（ＭＣＳ）を調整することをさらに備える、Ｃ１１に記載の方法。
［Ｃ１３］
前記無線周波数スペクトル帯域中の前記コンポーネントキャリアで搬送される送信を受信するために使用すべきアンテナの前記数が、前記コンポーネントキャリアと関連付けられるアップリンク構成またはダウンリンク構成に少なくとも一部基づいて決定される、Ｃ１１に記載の方法。
［Ｃ１４］
前記無線周波数スペクトル帯域中の前記コンポーネントキャリアで搬送される送信を受信するために使用すべきアンテナの前記数が、ユーザ機器（ＵＥ）にサービスするために使用される複数のコンポーネントキャリアの各々と関連付けられるクリアチャネルアセスメント（ＣＣＡ）手順に少なくとも一部基づいて決定される、Ｃ１１に記載の方法。
［Ｃ１５］
前記無線周波数スペクトル帯域中の前記コンポーネントキャリアのフレームの各サブフレームに対して、前記無線周波数スペクトル帯域中の前記コンポーネントキャリアで搬送される送信を受信するために使用すべきアンテナの前記数を選択することをさらに備える、Ｃ１１に記載の方法。
［Ｃ１６］
ワイヤレス通信のための方法であって、
無線周波数スペクトル帯域にアクセスするためのコンテンションに勝利することと、
前記無線周波数スペクトル帯域にアクセスするためのコンテンションに前記勝利した後で、第２の信号の開始点を前記無線周波数スペクトル帯域と関連付けられる基準の境界と揃えるように、第１の信号を送信することを備える、方法。
［Ｃ１７］
前記無線周波数スペクトル帯域が免許不要無線周波数スペクトルナムドを備える、Ｃ１６に記載の方法。
［Ｃ１８］
タイミング情報にアクセスすることと、
前記タイミング情報と前記無線周波数スペクトル帯域にアクセスするためのコンテンションに前記勝利したこととに少なくとも一部基づいて前記基準の境界を決定することとをさらに備える、Ｃ１６に記載の方法。
［Ｃ１９］
前記第１の信号が可変長訓練シーケンスを備える、Ｃ１６に記載の方法。
［Ｃ２０］
前記第１の信号が、可変長訓練シーケンスと少なくとも１つの固定長訓練シーケンスとを備える、Ｃ１６に記載の方法。
［Ｃ２１］
前記無線周波数スペクトル帯域においてリッスンビフォートーク（ＬＢＴ）−負荷ベース機器（ＬＢＥ）動作モードで動作することをさらに備える、Ｃ１６に記載の方法。
［Ｃ２２］
前記基準の境界が、前記無線周波数スペクトル帯域と関連付けられる直交周波数分割多重化（ＯＦＤＭ）シンボル期間の境界を備える、Ｃ１６に記載の方法。
［Ｃ２３］
前記第１の信号がコンテンションの優先順位と関連付けられ、前記第１の信号が前記コンテンションの優先順位に少なくとも一部基づいて前記ＯＦＤＭシンボル期間の一部分の間に送信される、Ｃ２２に記載の方法。
［Ｃ２４］
ワイヤレス通信のための装置であって、
プロセッサと、
前記プロセッサと電子通信しているメモリと、
前記メモリに記憶された命令とを備え、前記命令が、前記プロセッサによって、
無線周波数スペクトル帯域にアクセスするためのコンテンションに勝利し、
前記無線周波数スペクトル帯域にアクセスするためのコンテンションに勝利した後で、第２の信号の開始点を前記無線周波数スペクトル帯域と関連付けられる基準の境界と揃えるように、第１の信号を送信する
ように実行可能である、装置。
［Ｃ２５］
ワイヤレス通信のための方法であって、
第１のフレーム期間の間に無線周波数スペクトル帯域にアクセスするためのコンテンションに勝利することと、前記第１のフレーム期間は複数の異なるフレーム期間から選択される、
前記複数の異なるフレーム期間の各々のために前記第１のフレーム期間の１つまたは複数のサブフレームの間に、ある周期性で信号を送信することとを備える、方法。
［Ｃ２６］
前記周期性が固定された周期性である、Ｃ２５に記載の方法。
［Ｃ２７］
前記周期性で前記信号を前記送信することが、
前記信号を固定された時間および固定された周波数位置において送信することを備える、Ｃ２５に記載の方法。
［Ｃ２８］
前記信号がオーバーヘッドチャネルにおいて送信される、Ｃ２５に記載の方法。
［Ｃ２９］
前記第１のフレーム期間がリッスンビフォートーク（ＬＢＴ）フレーム期間を備える、Ｃ２５に記載の方法。
［Ｃ３０］
前記信号がコンテンション手順のタイミングと競合するかどうかを決定することと、
前記信号が前記コンテンション手順の前記タイミングと競合するという前記決定に少なくとも一部基づいて、前記信号の送信を防ぐこととをさらに備える、Ｃ２５に記載の方法。
【外国語明細書】
2019216444000001.pdf